(57)【特許請求の範囲】
【請求項１】
無線通信システムにおいて、端末（ｕｓｅｒ  ｅｑｕｉｐｍｅｎｔ：ＵＥ）が遂行する、物理ダウンリンク共有チャネル（ｐｈｙｓｉｃａｌ  ｄｏｗｎｌｉｎｋ  ｓｈａｒｅｄ  ｃｈａｎｎｅｌ：ＰＤＳＣＨ）を受信する方法であって、
基地局（ｂａｓｅ  ｓｔａｔｉｏｎ：ＢＳ）から、前記ＵＥに対して、ＨＡＲＱ（Ｈｙｂｒｉｄ  Ａｕｔｏｍａｔｉｃ  Ｒｅｐｅａｔ  Ｒｅｑｕｅｓｔ）−ｌｅｓｓ／ｂｌｉｎｄ  ｓｕｂｓｌｏｔ−ｂａｓｅｄ（レス／ブラインド  サブスロット―ベース）  ＰＤＳＣＨの繰り返し（Ｒｅｐｅｔｉｔｉｏｎ）を可能とする、第１情報を含む上位層の信号を受信する段階と、
前記ＢＳから、制御フォーマット指示子（Ｃｏｎｔｒｏｌ  Ｆｏｒｍａｔ  Ｉｎｄｉｃａｔｏｒ：ＣＦＩ）を含む第２情報を受信する段階と、
前記ＢＳから、前記第１情報に基づいて、前記ＨＡＲＱ−ｌｅｓｓ／ｂｌｉｎｄ  ｓｕｂｓｌｏｔ−ｂａｓｅｄ  ＰＤＳＣＨの繰り返しに対するＰＤＳＣＨの繰り返し回数に関する情報を含むダウンリンク制御情報（ｄｏｗｎｌｉｎｋ  ｃｏｎｔｒｏｌ  ｉｎｆｏｒｍａｔｉｏｎ：ＤＣＩ）を受信する段階と、
前記ＢＳから、前記ＰＤＳＣＨの繰り返し回数に関する情報を含む前記ＤＣＩに基づいて、前記ＨＡＲＱ−ｌｅｓｓ／ｂｌｉｎｄ  ｓｕｂｓｌｏｔ−ｂａｓｅｄ  ＰＤＳＣＨの繰り返しに対する複数のサブスロットＰＤＳＣＨ送信と、複数のサブスロットからなる各サブフレームと、を受信する段階とを含んでなり、
前記複数のサブスロットＰＤＳＣＨ送信は少なくとも１つのサブフレームにおいて受信されてなり、
２又は３と等しい値を有する前記ＣＦＩに基づいて、前記少なくとも１つのサブフレームにおいて、サブフレームの初期サブスロットは、前記複数のサブスロットＰＤＳＣＨ送信に対するサブスロットとしてカウント（ｃｏｕｎｔ）されない、方法。
【請求項２】
前記２又は３と等しい値を有する前記ＣＦＩに基づいて、
前記サブフレームの前記初期サブスロットは、前記ＵＥによる前記複数のサブスロットＰＤＳＣＨ送信をデコーディング（ｄｅｃｏｄｉｎｇ）することから除外される、請求項１に記載の方法。
【請求項３】
前記２又は３と等しい値を有する前記ＣＦＩに基づいて、値ｋを有する前記ＰＤＳＣＨの繰り返し回数に対して、
前記複数のサブスロットＰＤＳＣＨ送信は、kサブスロットにおける前記ＵＥによって受信され、前記サブフレームの前記初期サブスロットを除外する、請求項１に記載の方法。
【請求項４】
前記複数のサブスロットＰＤＳＣＨ送信は、同じＴＢ（Ｔｒａｎｓｐｏｒｔ  Ｂｌｏｃｋ）に対する繰り返し送信である、請求項１に記載の方法。
【請求項５】
前記ＵＥが前記ＨＡＲＱ−ｌｅｓｓ／ｂｌｉｎｄ  ｓｕｂｓｌｏｔ−ｂａｓｅｄ  ＰＤＳＣＨの繰り返しを可能とすることに基づいて、
前記ＵＥは、前記複数のサブスロットＰＤＳＣＨ送信に対して、ブラインドデコーディング（Ｂｌｉｎｄ  Ｄｅｃｏｄｉｎｇ：ＢＤ）を遂行し、
前記ＵＥは、前記受信した複数のサブスロットＰＤＳＣＨ送信に対して、前記ＢＳにＨＡＲＱ  Ａｃｋｎｏｗｌｅｄｇｅｍｅｎｔ（ＡＣＫ）を送信しない、請求項１に記載の方法。
【請求項６】
各サブフレームにおける前記複数のサブスロットにおいて、
前記各サブフレームに対する、ダウンリンク  サブスロット  パターンによって、
少なくとも１つの第１サブスロットは、２  ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボル持続を有し、及び、
少なくとも１つの第２サブスロットは、３  ＯＦＤＭシンボル持続を有する、請求項１に記載の方法。
【請求項７】
前記第２情報は、物理制御フォーマット指示子チャネル（ｐｈｙｓｉｃａｌ  ｃｏｎｔｒｏｌ  ｆｏｒｍａｔ  ｉｎｄｉｃａｔｏｒ  ｃｈａｎｎｅｌ：ＰＣＦＩＣＨ）又は上位層の信号を介して受信される、請求項１に記載の方法。
【請求項８】
１と等しい値を有する前記ＣＦＩに基づいて、
前記サブフレームの前記初期サブスロットは、前記複数のサブスロットＰＤＳＣＨ送信に対するサブスロットとしてカウント（ｃｏｕｎｔ）される、請求項１に記載の方法。
【請求項９】
１と等しい値を有する前記ＣＦＩに基づいて、
前記サブフレームの前記初期サブスロットは、前記ＵＥによる前記複数のサブスロットＰＤＳＣＨ送信をデコーディング（ｄｅｃｏｄｉｎｇ）する為に含まれる、請求項８に記載の方法。
【請求項１０】
無線通信システムにおいて、物理ダウンリンク共有チャネル（ｐｈｙｓｉｃａｌ  ｄｏｗｎｌｉｎｋ  ｓｈａｒｅｄ  ｃｈａｎｎｅｌ：ＰＤＳＣＨ）を受信する端末（ｕｓｅｒ  ｅｑｕｉｐｍｅｎｔ：ＵＥ）であって、
送受信部と、
少なくとも1つのプロセッサと、
少なくとも1つのコンピュータメモリーと、を備えてなり、
前記少なくとも1つのコンピュータメモリーは、前記少なくとも1つのプロセッサと動作可能に連結され、前記少なくとも1つのプロセッサにより駆動されることにより、動作を遂行する情報を格納するものであり、
前記動作は、
前記送受信部を介して基地局（ｂａｓｅ  ｓｔａｔｉｏｎ：ＢＳ）から、前記ＵＥに対して、ＨＡＲＱ（Ｈｙｂｒｉｄ  Ａｕｔｏｍａｔｉｃ  Ｒｅｐｅａｔ  Ｒｅｑｕｅｓｔ）−ｌｅｓｓ／ｂｌｉｎｄ  ｓｕｂｓｌｏｔ−ｂａｓｅｄ（レス／ブラインド  サブスロット―ベース）  ＰＤＳＣＨの繰り返し（Ｒｅｐｅｔｉｔｉｏｎ）を可能とする、第１情報を含む上位層の信号を受信する段階と、
前記送受信部を介して前記ＢＳから、制御フォーマット指示子（Ｃｏｎｔｒｏｌ  Ｆｏｒｍａｔ  Ｉｎｄｉｃａｔｏｒ：ＣＦＩ）を含む第２情報を受信する段階と、
前記送受信部を介して前記ＢＳから、前記第１情報に基づいて、前記ＨＡＲＱ−ｌｅｓｓ／ｂｌｉｎｄ  ｓｕｂｓｌｏｔ−ｂａｓｅｄ  ＰＤＳＣＨの繰り返しに対するＰＤＳＣＨの繰り返し回数に関する情報を含むダウンリンク制御情報（ｄｏｗｎｌｉｎｋ  ｃｏｎｔｒｏｌ  ｉｎｆｏｒｍａｔｉｏｎ：ＤＣＩ）を受信する段階と、
前記送受信部を介して前記ＢＳから、前記ＰＤＳＣＨの繰り返し回数に関する情報を含む前記ＤＣＩに基づいて、前記ＨＡＲＱ−ｌｅｓｓ／ｂｌｉｎｄ  ｓｕｂｓｌｏｔ−ｂａｓｅｄ  ＰＤＳＣＨの繰り返しに対する複数のサブスロットＰＤＳＣＨ送信と、複数のサブスロットからなる各サブフレームと、を受信する段階とを含んでなり、
前記複数のサブスロットＰＤＳＣＨ送信は少なくとも１つのサブフレームにおいて受信されてなり、
２又は３と等しい値を有する前記ＣＦＩに基づいて、前記少なくとも１つのサブフレームにおいて、サブフレームの初期サブスロットは、前記複数のサブスロットＰＤＳＣＨ送信に対するサブスロットとしてカウント（ｃｏｕｎｔ）されない、端末。
【請求項１１】
前記２又は３と等しい値を有する前記ＣＦＩに基づいて、
前記サブフレームの前記初期サブスロットは、前記ＵＥによる前記複数のサブスロットＰＤＳＣＨ送信をデコーディング（ｄｅｃｏｄｉｎｇ）することから除外される、請求項１０に記載の端末。
【請求項１２】
前記２又は３と等しい値を有する前記ＣＦＩに基づいて、値ｋを有する前記ＰＤＳＣＨの繰り返し回数に対して、
前記複数のサブスロットＰＤＳＣＨ送信は、kサブスロットにおいて受信され、前記サブフレームの前記初期サブスロットを除外する、請求項１０に記載の端末。
【請求項１３】
前記複数のサブスロットＰＤＳＣＨ送信は、同じＴＢ（Ｔｒａｎｓｐｏｒｔ  Ｂｌｏｃｋ）に対する繰り返し送信である、請求項１０に記載の端末。
【請求項１４】
前記ＵＥが前記ＨＡＲＱ−ｌｅｓｓ／ｂｌｉｎｄ  ｓｕｂｓｌｏｔ−ｂａｓｅｄ  ＰＤＳＣＨの繰り返しを可能とすることに基づいて、
前記ＵＥは、前記複数のサブスロットＰＤＳＣＨ送信に対して、ブラインドデコーディング（Ｂｌｉｎｄ  Ｄｅｃｏｄｉｎｇ：ＢＤ）を遂行し、
前記ＵＥは、前記受信した複数のサブスロットＰＤＳＣＨ送信に対して、前記ＢＳにＨＡＲＱ  Ａｃｋｎｏｗｌｅｄｇｅｍｅｎｔ（ＡＣＫ）を送信しない、請求項１０に記載の端末。
【請求項１５】
各サブフレームにおける前記複数のサブスロットにおいて、
前記各サブフレームに対する、ダウンリンク  サブスロット  パターンによって、
少なくとも１つの第１サブスロットは、２  ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボル持続を有し、及び、
少なくとも１つの第２サブスロットは、３  ＯＦＤＭシンボル持続を有する、請求項１０に記載の端末。
【請求項１６】
前記第２情報は、物理制御フォーマット指示子チャネル（ｐｈｙｓｉｃａｌ  ｃｏｎｔｒｏｌ  ｆｏｒｍａｔ  ｉｎｄｉｃａｔｏｒ  ｃｈａｎｎｅｌ：ＰＣＦＩＣＨ）又は上位層の信号を介して受信される、請求項１５に記載の端末。
【請求項１７】
１と等しい値を有する前記ＣＦＩに基づいて、前記サブフレームの前記初期サブスロットは、前記複数のサブスロットＰＤＳＣＨ送信に対するサブスロットとしてカウント（ｃｏｕｎｔ）される、請求項１０に記載の端末。
【請求項１８】
１と等しい値を有する前記ＣＦＩに基づいて、前記サブフレームの前記初期サブスロットは、前記ＵＥによる前記複数のサブスロットＰＤＳＣＨ送信をデコーディング（ｄｅｃｏｄｉｎｇ）する為に含まれる、請求項１７に記載の端末。
【請求項１９】
無線通信システムにおいて、物理ダウンリンク共有チャネル（ｐｈｙｓｉｃａｌ  ｄｏｗｎｌｉｎｋ  ｓｈａｒｅｄ  ｃｈａｎｎｅｌ：ＰＤＳＣＨ）を送信する基地局（ＢＳ）であって、
送受信部と、
少なくとも1つのプロセッサと、
少なくとも1つのコンピュータメモリーと、を備えてなり、
前記少なくとも1つのコンピュータメモリーは、前記少なくとも1つのプロセッサと動作可能に連結され、前記少なくとも1つのプロセッサにより駆動されることにより、動作を遂行する情報を格納するものであり、
前記動作は、
前記送受信部を介して端末（ｕｓｅｒ  ｅｑｕｉｐｍｅｎｔ：ＵＥ）に、前記ＵＥに対して、ＨＡＲＱ（Ｈｙｂｒｉｄ  Ａｕｔｏｍａｔｉｃ  Ｒｅｐｅａｔ  Ｒｅｑｕｅｓｔ）−ｌｅｓｓ／ｂｌｉｎｄ  ｓｕｂｓｌｏｔ−ｂａｓｅｄ（レス／ブラインド  サブスロット―ベース）  ＰＤＳＣＨの繰り返し（Ｒｅｐｅｔｉｔｉｏｎ）を可能とする、第１情報を含む上位層の信号を送信する段階と、
前記送受信部を介して前記ＵＥに、制御フォーマット指示子（Ｃｏｎｔｒｏｌ  Ｆｏｒｍａｔ  Ｉｎｄｉｃａｔｏｒ：ＣＦＩ）を含む第２情報を送信する段階と、
前記送受信部を介して前記ＵＥに、前記第１情報に基づいて、前記ＨＡＲＱ−ｌｅｓｓ／ｂｌｉｎｄ  ｓｕｂｓｌｏｔ−ｂａｓｅｄ  ＰＤＳＣＨの繰り返しに対するＰＤＳＣＨの繰り返し回数に関する情報を含むダウンリンク制御情報（ｄｏｗｎｌｉｎｋ  ｃｏｎｔｒｏｌ  ｉｎｆｏｒｍａｔｉｏｎ：ＤＣＩ）を送信する段階と、
前記送受信部を介して前記ＵＥに、前記ＨＡＲＱ−ｌｅｓｓ／ｂｌｉｎｄ  ｓｕｂｓｌｏｔ−ｂａｓｅｄ  ＰＤＳＣＨの繰り返しに対する複数のサブスロットＰＤＳＣＨ送信と、複数のサブスロットからなる各サブフレームと、を送信する段階とを含んでなり、
前記複数のサブスロットＰＤＳＣＨ送信は少なくとも１つのサブフレームにおいて送信されてなり、
２又は３と等しい値を有する前記ＣＦＩに基づいて、前記少なくとも１つのサブフレームにおいて、サブフレームの初期サブスロットは、前記複数のサブスロットＰＤＳＣＨ送信に対するサブスロットとしてカウント（ｃｏｕｎｔ）されない、基地局。
【請求項２０】
前記２又は３と等しい値を有する前記ＣＦＩに基づいて、値ｋを有する前記ＰＤＳＣＨの繰り返し回数に対して、
前記複数のサブスロットＰＤＳＣＨ送信は、kサブスロットにおいて遂行され、前記サブフレームの前記初期サブスロットを除外する、請求項１９に記載の基地局。
【発明の詳細な説明】
【技術分野】
【０００１】
本明細書は、無線通信システムに関し、詳細には、ＰＤＳＣＨ（ｐｈｙｓｉｃａｌ  ｄｏｗｎｌｉｎｋ  ｓｈａｒｅｄ  ｃｈａｎｎｅｌ）の繰り返し（Ｒｅｐｅｔｉｔｉｏｎ）を送受信するための方法、及びこれを支援する装置に関する。
【背景技術】
【０００２】
移動通信システムは、ユーザの活動性を保障しながら音声サービスを提供するために開発された。しかしながら、移動通信システムは、音声だけでなくデータサービスまで領域を拡張し、現在では、爆発的なトラフィックの増加によって資源の不足現象が引き起こされ、ユーザがより高速のサービスを要求するので、より発展した移動通信システムが要求されている。
【０００３】
次世代移動通信システムの要求条件は、大きく爆発的なデータトラフィックの収容、ユーザ当たりの送信率の画期的な増加、大幅増加した接続デバイス数の収容、非常に低いエンドツーエンド遅延（Ｅｎｄ−ｔｏ−Ｅｎｄ  Ｌａｔｅｎｃｙ）、高エネルギー効率をサポートできなければならない。このために、多重接続（Ｄｕａｌ  Ｃｏｎｎｅｃｔｉｖｉｔｙ）、大規模多重入出力（Ｍａｓｓｉｖｅ  ＭＩＭＯ：Ｍａｓｓｉｖｅ  Ｍｕｌｔｉｐｌｅ  Ｉｎｐｕｔ  Ｍｕｌｔｉｐｌｅ  Ｏｕｔｐｕｔ）、全二重（Ｉｎ−ｂａｎｄ  Ｆｕｌｌ  Ｄｕｐｌｅｘ）、非直交多重接続（ＮＯＭＡ：Ｎｏｎ−Ｏｒｔｈｏｇｏｎａｌ  Ｍｕｌｔｉｐｌｅ  Ａｃｃｅｓｓ）、超広帯域（Ｓｕｐｅｒ  ｗｉｄｅｂａｎｄ）サポート、端末ネットワーキング（Ｄｅｖｉｃｅ  Ｎｅｔｗｏｒｋｉｎｇ）等、多様な技術が研究されている。
【発明の概要】
【発明が解決しようとする課題】
【０００４】
本明細書は、ＰＤＳＣＨの繰り返し動作で、ＰＤＳＣＨの送受信の信頼性を向上させるための方法を提供することに目的がある。
【０００５】
本発明で解決しようとする技術的課題は、以上で言及した技術的課題に制限されず、言及しないまた別の技術的課題は、以下の記載から本発明が属する技術分野で通常の知識を有する者にとって明確に理解されるべきである。
【課題を解決するための手段】
【０００６】
本明細書は、無線通信システムにおける物理ダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）を受信する方法を提案する。端末によって行われる方法は、ＰＤＳＣＨの繰り返し（Ｒｅｐｅｔｉｔｉｏｎ）に関する動作の設定に対する第１情報を含む上位層の信号を基地局から受信する段階と、制御領域のシンボルの数に対する第２情報を前記基地局から受信する段階と、前記第２情報に基づいて、ＰＤＳＣＨの繰り返し回数に関する情報を含むダウンリンク制御情報（ｄｏｗｎｌｉｎｋ  ｃｏｎｔｒｏｌ  ｉｎｆｏｒｍａｔｉｏｎ、ＤＣＩ）を前記基地局から受信する段階と、前記ＤＣＩに基づいて前記基地局から前記ＰＤＳＣＨを繰り返して受信する段階とを含み、前記制御領域が特定の個数のシンボルに設定された場合、ＰＤＳＣＨの繰り返し受信のための送信時間単位に前記制御領域と関連した送信時間単位が含まれないことを特徴とすることができる。
【０００７】
また、本明細書の前記方法において、請求項１において、前記特定の個数のシンボルは、２シンボル又は３シンボルであってもよい。
【０００８】
また、本明細書の前記方法において、送信時間単位はサブスロットであってもよい。
【０００９】
また、本明細書の前記方法において、前記制御領域と関連したサブスロットは、サブフレームで一番目のサブスロット（ｓｕｂｓｌｏｔ＃０）であってもよい。
【００１０】
また、本明細書の前記方法において、前記第２情報は、物理制御フォーマット指示子チャネル（ｐｈｙｓｉｃａｌ  ｃｏｎｔｒｏｌ  ｆｏｒｍａｔ  ｉｎｄｉｃａｔｏｒ  ｃｈａｎｎｅｌ、ＰＣＦＩＣＨ）又は上位層の信号を介して受信されることができる。
【００１１】
また、本明細書の前記方法において、前記ＰＤＳＣＨの繰り返しに関する動作は、ＨＡＲＱ−ｌｅｓｓ／ｂｌｉｎｄ  ＰＤＳＣＨの繰り返し動作であってもよい。
【００１２】
また、本明細書の無線通信システムにおける物理ダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）を受信する端末は、無線信号を送受信するための送受信部と、前記送受信部と機能的に連結されているプロセッサとを含み、前記プロセッサは、ＰＤＳＣＨの繰り返し（Ｒｅｐｅｔｉｔｉｏｎ）に関する動作の設定に対する第１情報を含む上位層の信号を基地局から受信し、制御領域のシンボルの数に対する第２情報を前記基地局から受信し、前記第２情報に基づいて、ＰＤＳＣＨの繰り返し回数に関する情報を含むダウンリンク制御情報（ｄｏｗｎｌｉｎｋ  ｃｏｎｔｒｏｌ  ｉｎｆｏｒｍａｔｉｏｎ、ＤＣＩ）を前記基地局から受信し、前記ＤＣＩに基づいて前記基地局から前記ＰＤＳＣＨを繰り返して受信するように制御し、前記制御領域が特定の個数のシンボルに設定された場合、ＰＤＳＣＨの繰り返し受信のための送信時間単位に前記制御領域と関連した送信時間単位が含まれないことを特徴とすることができる。
【００１３】
また、本明細書の前記端末において、前記特定の個数のシンボルは、２シンボル又は３シンボルであってもよい。
【００１４】
また、本明細書の前記端末において、送信時間単位はサブスロットであってもよい。
【００１５】
また、本明細書の前記端末において、前記制御領域と関連したサブスロットは、サブフレームで一番目のサブスロット（ｓｕｂｓｌｏｔ＃０）であってもよい。
【００１６】
また、本明細書の前記端末において、前記第２情報は、物理制御フォーマット指示子チャネル（ｐｈｙｓｉｃａｌ  ｃｏｎｔｒｏｌ  ｆｏｒｍａｔ  ｉｎｄｉｃａｔｏｒ  ｃｈａｎｎｅｌ、ＰＣＦＩＣＨ）又は上位層の信号を介して受信されることができる。
【００１７】
また、本明細書の無線通信システムにおける物理ダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）を送信する基地局は、無線信号を送受信するための送受信部と、前記送受信部と機能的に連結されているプロセッサとを含み、前記プロセッサは、ＰＤＳＣＨの繰り返し（Ｒｅｐｅｔｉｔｉｏｎ）に関する動作の設定に対する第１情報を含む上位層の信号を端末に送信し、制御領域のシンボルの数に対する第２情報を前記端末に送信し、ＰＤＳＣＨの繰り返し回数に関する情報を含むダウンリンク制御情報（ｄｏｗｎｌｉｎｋ  ｃｏｎｔｒｏｌ  ｉｎｆｏｒｍａｔｉｏｎ、ＤＣＩ）を前記端末に送信し、前記端末に前記ＰＤＳＣＨを繰り返して送信するように制御し、前記制御領域が特定の個数のシンボルに設定された場合、前記端末のＰＤＳＣＨの繰り返し受信のための送信時間単位に前記制御領域と関連した送信時間単位が含まれないことを特徴とすることができる。
【００１８】
また、本明細書の前記基地局において、前記特定の個数のシンボルは、２シンボル又は３シンボルであってもよい。
【００１９】
また、本明細書の前記基地局において、送信時間単位は、サブスロットであってもよい。
【００２０】
また、本明細書の前記基地局において、前記制御領域と関連したサブスロットは、サブフレームで一番目のサブスロット（ｓｕｂｓｌｏｔ＃０）であってもよい。
【発明の効果】
【００２１】
本明細書は、ＰＤＳＣＨの繰り返し動作で制御領域のシンボルの数によって制御情報を含むＴＴＩを除外及び／又はスキップし、ＰＤＳＣＨの繰り返し回数だけＰＤＳＣＨをデコーディングし、ＰＤＳＣＨの受信の信頼性を向上させることができるという効果がある。
【００２２】
本明細書で得ることができる効果は以上で言及した効果に制限されず、言及しないまた別の効果は以下の記載から本発明が属する技術分野で通常の知識を有する者に明確に理解できるはずである。
【図面の簡単な説明】
【００２３】
本発明に関する理解を助けるために詳細な説明の一部に含まれる添付図面は本発明に対する実施例を提供し、詳細な説明と共に本発明の技術的特徴を説明する。
【図１】本発明が適用できる無線通信システムにおける無線フレームの構造を示す。
【図２】本発明が適用できる無線通信システムにおける１つのダウンリンクスロットに対する資源グリッド（ｒｅｓｏｕｒｃｅ  ｇｒｉｄ）を例示した図である。
【図３】本発明が適用できる無線通信システムにおけるダウンリンクサブフレームの構造を示す。
【図４】本発明が適用できる無線通信システムにおけるアップリンクサブフレームの構造を示す。
【図５】本明細書で提案する方法が適用できるＮＲの全体的なシステム構造の一例を示す。
【図６】本明細書で提案する方法が適用できる無線通信システムにおけるアップリンクフレームとダウンリンクフレームとの間の関係を示す。
【図７】ＮＲシステムにおけるフレーム構造の一例を示す。
【図８】本明細書で提案する方法が適用できる無線通信システムで支援する資源グリッド（ｒｅｓｏｕｒｃｅ  ｇｒｉｄ）の一例を示す。
【図９】本明細書で提案する方法が適用できるアンテナポート及びヌメロロジー別資源グリッドの例を示す。
【図１０】本明細書で提案する方法が適用できる自己完結型（ｓｅｌｆ−ｃｏｎｔａｉｎｅｄ）構造の一例を示す。
【図１１】本発明が適用できる無線通信システムにおける物理アップリンク制御チャネル（ｐｈｙｓｉｃａｌ  ｕｐｌｉｎｋ  ｃｏｎｔｒｏｌ  ｃｈａｎｎｅｌ、ＰＵＣＣＨ）のフォーマットがアップリンク物理資源ブロックのＰＵＣＣＨ領域にマッピングされる形態の一例を示す。
【図１２】本発明が適用できる無線通信システムにおける一般ＣＰ（ｃｙｃｌｉｃ  ｐｒｅｆｉｘ）の場合のＣＱＩ（ｃｈａｎｎｅｌ  ｑｕａｌｉｔｙ  ｉｎｄｉｃａｔｏｒ）チャネルの構造を示す。
【図１３】本発明が適用できる無線通信システムにおける一般ＣＰの場合に、ＡＣＫ／ＮＡＣＫチャネルの構造を示す。
【図１４】本発明が適用できる無線通信システムにおけるＵＬ−ＳＣＨ（ｕｐｌｉｎｋ  ｓｈａｒｅｄ  ｃｈａｎｎｅｌ）の送信チャネルプロセシングの一例を示す。
【図１５】本発明が適用できる無線通信システムにおける送信チャネル（ｔｒａｎｓｐｏｒｔ  ｃｈａｎｎｅｌ）であるアップリンク共有チャネルの信号処理過程の一例を示す。
【図１６】本発明が適用できる無線通信システムにおける一つのスロットの間に５個のＳＣ−ＦＤＭＡシンボルを生成して送信する一例を示す。
【図１７】一般ＣＰ（ｃｙｃｌｉｃ  ｐｒｅｆｉｘ）を有するＰＵＣＣＨフォーマット３に対するＡＣＫ／ＮＡＣＫチャネルの構造を示す。
【図１８】ＰＤＳＣＨの繰り返し動作で信頼性低下の問題点を説明するための図である。
【図１９】本明細書で提案する端末の動作方法を説明するためのフローチャートである。
【図２０】本明細書で提案する基地局の動作方法を説明するためのフローチャートである。
【図２１】本明細書で提案する方法が適用できる無線通信装置のブロック構成図を例示する。
【図２２】本発明の一実施例に係る通信装置のブロック構成図を例示する。
【図２３】本明細書で提案する方法が適用できる無線通信装置のＲＦモジュールの一例を示した図である。
【図２４】本明細書で提案する方法が適用できる無線通信装置のＲＦモジュールのまた別の一例を示した図である。
【発明を実施するための形態】
【００２４】
以下、本発明にかかる好ましい実施の形態を添付された図面を参照して詳細に説明する。添付された図面と共に以下に開示する詳細な説明は、本発明の例示的な実施の形態を説明するためのものであり、本発明が実施されうる唯一の実施の形態を示すためのものではない。以下の詳細な説明は、本発明の完全な理解を提供するために具体的細部事項を含む。しかしながら、当業者は、本発明がこのような具体的細部事項がなくても実施できることを理解すべきである。
【００２５】
いくつかの場合、本発明の概念が曖昧になることを避けるために、公知の構造及び装置は省略されるか、または各構造及び装置の核心機能を中心にしたブロック図形式で示されることができる。
【００２６】
本明細書で、基地局は端末と直接的に通信を遂行するネットワークの終端ノード（ｔｅｒｍｉｎａｌ  ｎｏｄｅ）としての意味を有する。本文書で基地局により行われるものとして説明された特定動作は、場合によっては、基地局の上位ノード（ｕｐｐｅｒ  ｎｏｄｅ）により行われることもできる。即ち、基地局を含む多数のネットワークノード（ｎｅｔｗｏｒｋ  ｎｏｄｅｓ）からなるネットワークで端末との通信のために行われる多様な動作は基地局または基地局以外の他のネットワークノードにより行われることができることは自明である。「基地局（ＢＳ：Ｂａｓｅ  Ｓｔａｔｉｏｎ）」は固定局（ｆｉｘｅｄ  ｓｔａｔｉｏｎ）、Ｎｏｄｅ  Ｂ、ｅＮＢ（ｅｖｏｌｖｅｄ−Ｎｏｄｅ  Ｂ）、ＢＴＳ（ｂａｓｅ  ｔｒａｎｓｃｅｉｖｅｒ  ｓｙｓｔｅｍ）、アクセスポイント（ＡＰ：Ａｃｃｅｓｓ  Ｐｏｉｎｔ）などの用語により代替できる。また、「端末（Ｔｅｒｍｉｎａｌ）」は固定されるか、または移動性を有することができ、ＵＥ（Ｕｓｅｒ  Ｅｑｕｉｐｍｅｎｔ）、ＭＳ（Ｍｏｂｉｌｅ  Ｓｔａｔｉｏｎ）、ＵＴ（ｕｓｅｒ  ｔｅｒｍｉｎａｌ）、ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）、ＡＭＳ（Ａｄｖａｎｃｅｄ  Ｍｏｂｉｌｅ  Ｓｔａｔｉｏｎ）、ＷＴ（Ｗｉｒｅｌｅｓｓ  ｔｅｒｍｉｎａｌ）、ＭＴＣ（Ｍａｃｈｉｎｅ−Ｔｙｐｅ  Ｃｏｍｍｕｎｉｃａｔｉｏｎ）装置、Ｍ２Ｍ（Ｍａｃｈｉｎｅ−ｔｏ−Ｍａｃｈｉｎｅ）装置、Ｄ２Ｄ（Ｄｅｖｉｃｅ−ｔｏ−Ｄｅｖｉｃｅ）装置などの用語に代替できる。
【００２７】
以下、ダウンリンク（ＤＬ：ｄｏｗｎｌｉｎｋ）は基地局から端末への通信を意味し、アップリンク（ＵＬ：ｕｐｌｉｎｋ）は端末から基地局への通信を意味する。ダウンリンクで、送信機は基地局の一部であり、受信機は端末の一部でありうる。アップリンクで、送信機は端末の一部であり、受信機は基地局の一部でありうる。
【００２８】
以下の説明において用いられる特定用語は、本発明の理解に役立つために提供されたものであり、このような特定用語の使用は、本発明の技術的思想から外れない範囲内で他の形態に変更されることができる。
【００２９】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）、ＮＯＭＡ（ｎｏｎ−ｏｒｔｈｏｇｏｎａｌ  ｍｕｌｔｉｐｌｅ  ａｃｃｅｓｓ）などのような多様な無線接続システムに利用されることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）またはＣＤＭＡ２０００のような無線技術（ｒａｄｉｏ  ｔｅｃｈｎｏｌｏｇｙ）により具現化されることができる。ＴＤＭＡは、ＧＳＭ（登録商標）（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ（登録商標）ｅｖｏｌｕｔｉｏｎ）のような無線技術により具現化されることができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（ｅｖｏｌｖｅｄ  ＵＴＲＡ）などのような無線技術により具現化されることができる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡを使用するＥ−ＵＭＴＳ（ｅｖｏｌｖｅｄ  ＵＭＴＳ）の一部であり、ダウンリンクにおいてＯＦＤＭＡを採用し、アップリンクにおいてＳＣ−ＦＤＭＡを採用する。ＬＴＥ−Ａ（ａｄｖａｎｃｅｄ）は、３ＧＰＰ  ＬＴＥの進化である。
【００３０】
本発明の実施例は、無線アクセスシステムであるＩＥＥＥ  ８０２、３ＧＰＰ及び３ＧＰＰ２のうち、少なくとも１つに開示された標準文書により裏付けられることができる。即ち、本発明の実施例のうち、本発明の技術的思想を明確にあらわすために、説明しないステップまたは部分は、前記文書により裏付けられることができる。また、本文書に開示しているすべての用語は、前記標準文書により説明されることができる。
【００３１】
説明を明確にするために、３ＧＰＰ  ＬＴＥ／ＬＴＥ−Ａ／ＮＲシステムを中心に述べるが、本発明の技術的特徴がこれに制限されるわけではない。
【００３２】
システム一般
図１は、本発明が適用できる無線通信システムにおける無線フレームの構造を示す。
【００３３】
３ＧＰＰ  ＬＴＥ／ＬＴＥ−ＡではＦＤＤ（Ｆｒｅｑｕｅｎｃｙ  Ｄｉｖｉｓｉｏｎ  Ｄｕｐｌｅｘ）に適用可能なタイプ１の無線フレーム（ｒａｄｉｏ  ｆｒａｍｅ）の構造とＴＤＤ（Ｔｉｍｅ  Ｄｉｖｉｓｉｏｎ  Ｄｕｐｌｅｘ）に適用可能なタイプ２の無線フレームの構造を支援する。
【００３４】
図１で、無線フレームの時間領域でのサイズはＴ＿ｓ＝１／（１５０００＊２０４８）の時間単位の倍数で表現される。ダウンリンク及びアップリンク送信はＴ＿ｆ＝３０７２００＊Ｔ＿ｓ＝１０ｍｓの区間を有する無線フレームで構成される。
【００３５】
図１の（ａ）は、タイプ１の無線フレームの構造を例示する。タイプ１の無線フレームは、全二重（ｆｕｌｌ  ｄｕｐｌｅｘ）及び半二重（ｈａｌｆ  ｄｕｐｌｅｘ）ＦＤＤに全て適用できる。
【００３６】
無線フレーム（ｒａｄｉｏ  ｆｒａｍｅ）は１０個のサブフレーム（ｓｕｂｆｒａｍｅ）から構成される。１つの無線フレームはＴ＿ｓｌｏｔ＝１５３６０＊Ｔ＿ｓ＝０．５ｍｓ長さの２０個のスロットから構成され、各スロットは０から１９までのインデックスが与えられる。１つのサブフレームは時間領域（ｔｉｍｅ  ｄｏｍａｉｎ）で連続的な２つのスロット（ｓｌｏｔ）から構成され、サブフレームｉはスロット２ｉ及びスロット２ｉ＋１で構成される。１つのサブフレームを送信するのにかかる時間をＴＴＩ（ｔｒａｎｓｍｉｓｓｉｏｎ  ｔｉｍｅ  ｉｎｔｅｒｖａｌ）という。例えば、１つのサブフレームの長さは１ｍｓであり、１つのスロットの長さは０．５ｍｓでありうる。
【００３７】
ＦＤＤでアップリンク送信及びダウンリンク送信は、周波数ドメインで区分される。全二重ＦＤＤに制限がないのに対し、半二重ＦＤＤ動作で端末は同時に送信及び受信をすることができない。
【００３８】
１つのスロットは時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域で多数の資源ブロック（ＲＢ：Ｒｅｓｏｕｒｃｅ  Ｂｌｏｃｋ）を含む。３ＧＰＰ  ＬＴＥはダウンリンクでＯＦＤＭＡを使用するのでＯＦＤＭシンボルは１つのシンボル区間（ｓｙｍｂｏｌ  ｐｅｒｉｏｄ）を表現するためのものである。ＯＦＤＭシンボルは１つのＳＣ−ＦＤＭＡシンボルまたはシンボル区間ということができる。資源ブロック（ｒｅｓｏｕｒｃｅ  ｂｌｏｃｋ）は資源割り当て単位であり、１つのスロットで複数の連続的な副搬送波（ｓｕｂｃａｒｒｉｅｒ）を含む。
【００３９】
図１の（ｂ）は、タイプ２フレーム構造（ｆｒａｍｅ  ｓｔｒｕｃｔｕｒｅ  ｔｙｐｅ２）を示す。
【００４０】
タイプ２の無線フレームは、各１５３６００＊Ｔ＿ｓ＝５ｍｓの長さの２つのハーフフレーム（ｈａｌｆ  ｆｒａｍｅ）から構成される。各ハーフフレームは３０７２０＊Ｔ＿ｓ＝１ｍｓ長さの５個のサブフレームから構成される。
【００４１】
ＴＤＤシステムのタイプ２のフレーム構造でアップリンク−ダウンリンク構成（ｕｐｌｉｎｋ−ｄｏｗｎｌｉｎｋ  ｃｏｎｆｉｇｕｒａｔｉｏｎ）は全てのサブフレームに対してアップリンクとダウンリンクが割り当て（または、予約）されるかを示す規則である。
【００４２】
表１は、アップリンク−ダウンリンク構成を示す。
【００４３】
【表１】
0006914366.tif 000002
【００４４】
表１を参照すると、無線フレームの各サブフレーム別に、‘Ｄ’はダウンリンク送信のためのサブフレームを示し、‘Ｕ’はアップリンク送信のためのサブフレームを示し、‘Ｓ’はＤｗＰＴＳ（Ｄｏｗｎｌｉｎｋ  Ｐｉｌｏｔ  Ｔｉｍｅ  Ｓｌｏｔ）、保護区間（ＧＰ：Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）の３種類のフィールドから構成されるスペシャルサブフレーム（ｓｐｅｃｉａｌ  ｓｕｂｆｒａｍｅ）を示す。ＤｗＰＴＳは、端末での初期セル探索、同期化、またはチャネル推定に使われる。ＵｐＰＴＳは、基地局でのチャネル推定と端末のアップリンク送信同期を合せるのに使われる。ＧＰは、アップリンクとダウンリンクの間にダウンリンク信号の多重経路遅延によってアップリンクで生じる干渉を除去するための区間である。
【００４５】
各サブフレームｉは、各Ｔ＿ｓｌｏｔ＝１５３６０＊Ｔ＿ｓ＝０．５ｍｓ長さのスロット２ｉ及びスロット２ｉ＋１で構成される。
【００４６】
アップリンク−ダウンリンク構成は７種類に区分されることができ、各構成別にダウンリンクサブフレーム、スペシャルサブフレーム、アップリンクサブフレームの位置及び／又は個数が異なる。
【００４７】
ダウンリンクからアップリンクに変更される時点、またはアップリンクからダウンリンクに切り換えられる時点を切換時点（ｓｗｉｔｃｈｉｎｇ  ｐｏｉｎｔ）という。切換時点の周期性（Ｓｗｉｔｃｈ−ｐｏｉｎｔ  ｐｅｒｉｏｄｉｃｉｔｙ）はアップリンクサブフレームとダウンリンクサブフレームが切り換えられる様相が同一に繰り返される周期を意味し、５ｍｓまたは１０ｍｓが全て支援される。５ｍｓダウンリンク−アップリンク切換時点の周期を有する場合には、スペシャルサブフレーム（Ｓ）はハーフ−フレーム毎に存在し、５ｍｓのダウンリンク−アップリンク切換時点の周期を有する場合には最初のハーフ−フレームのみに存在する。
【００４８】
全ての構成において、０番、５番サブフレーム、及びＤｗＰＴＳは、ダウンリンク送信のみのための区間である。ＵｐＰＴＳ及びサブフレームサブフレームに直ぐ繋がるサブフレームは常にアップリンク送信のための区間である。
【００４９】
このようなアップリンク−ダウンリンク構成は、システム情報として基地局と端末が全て知っていることができる。基地局はアップリンク−ダウンリンク構成情報が変わる度に構成情報のインデックスのみを送信することによって、無線フレームのアップリンク−ダウンリンク割り当て状態の変更を端末に知らせることができる。また、構成情報は一種のダウンリンク制御情報として他のスケジューリング情報と同様にＰＤＣＣＨ（Ｐｈｙｓｉｃａｌ  Ｄｏｗｎｌｉｎｋ  Ｃｏｎｔｒｏｌ  Ｃｈａｎｎｅｌ）を通じて送信されることができ、放送情報としてブロードキャストチャネル（ｂｒｏａｄｃａｓｔ  ｃｈａｎｎｅｌ）を介してセル内の全ての端末に共通に送信されることもできる。
【００５０】
表２は、スペシャルサブフレームの構成（ＤｗＰＴＳ／ＧＰ／ＵｐＰＴＳの長さ）を示す。
【００５１】
【表２】
0006914366.tif 000003
【００５２】
図１の例示に従う無線フレームの構造は１つの例示に過ぎず、無線フレームに含まれる副搬送波の数またはサブフレームに含まれるスロットの数、スロットに含まれるＯＦＤＭシンボルの数は多様に変更できる。
【００５３】
図２は、本発明が適用できる無線通信システムにおける１つのダウンリンクスロットに対する資源グリッド（ｒｅｓｏｕｒｃｅ  ｇｒｉｄ）を例示した図である。
【００５４】
図２を参照すると、１つのダウンリンクスロットは時間領域で複数のＯＦＤＭシンボルを含む。ここで、１つのダウンリンクスロットは７個のＯＦＤＭシンボルを含み、１つの資源ブロックは周波数領域で１２個の副搬送波を含むことを例示的に記述するが、これに限定されるものではない。
【００５５】
資源グリッド上で各要素（ｅｌｅｍｅｎｔ）を資源要素（ｒｅｓｏｕｒｃｅ  ｅｌｅｍｅｎｔ）といい、１つの資源ブロック（ＲＢ：ｒｅｓｏｕｒｃｅ  ｂｌｏｃｋ）は１２×７個の資源要素を含む。ダウンリンクスロットに含まれる資源ブロックの数ＮDLはダウンリンク送信帯域幅（ｂａｎｄｗｉｄｔｈ）に従属する。
【００５６】
アップリンクスロットの構造はダウンリンクスロットの構造と同一でありうる。
【００５７】
図３は、本発明が適用できる無線通信システムにおけるダウンリンクサブフレームの構造を示す。
【００５８】
図３を参照すると、サブフレーム内の一番目のスロットで前の最大３個のＯＦＤＭシンボルは制御チャネルが割り当てられる制御領域（ｃｏｎｔｒｏｌ  ｒｅｇｉｏｎ）であり、残りのＯＦＤＭシンボルはＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域（ｄａｔａ  ｒｅｇｉｏｎ）である。３ＧＰＰ  ＬＴＥで使われるダウンリンク制御チャネルの一例として、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などがある。
【００５９】
ＰＣＦＩＣＨは、サブフレームの一番目のＯＦＤＭシンボルで送信され、サブフレーム内に制御チャネルの送信のために使われるＯＦＤＭシンボルの数（即ち、制御領域のサイズ）に関する情報を運ぶ。ＰＨＩＣＨはアップリンクに対する応答チャネルであり、ＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｏｔ−Ａｃｋｎｏｗｌｅｄｇｅｍｅｎｔ）信号を運ぶ。ＰＤＣＣＨを介して送信される制御情報をダウンリンク制御情報（ＤＣＩ：ｄｏｗｎｌｉｎｋ  ｃｏｎｔｒｏｌ  ｉｎｆｏｒｍａｔｉｏｎ）という。ダウンリンク制御情報は、アップリンク資源割り当て情報、ダウンリンク資源割り当て情報、または任意の端末グループに対するアップリンク送信（Ｔｘ）パワー制御命令を含む。
【００６０】
ＰＤＣＣＨはＤＬ−ＳＣＨ（Ｄｏｗｎｌｉｎｋ  Ｓｈａｒｅｄ  Ｃｈａｎｎｅｌ）の資源割り当て及び送信フォーマット（これをダウンリンクグラントともいう。）、ＵＬ−ＳＣＨ（Ｕｐｌｉｎｋ  Ｓｈａｒｅｄ  Ｃｈａｎｎｅｌ）の資源割り当て情報（これをアップリンクグラントともいう。）、ＰＣＨ（Ｐａｇｉｎｇ  Ｃｈａｎｎｅｌ）でのページング（ｐａｇｉｎｇ）情報、ＤＬ−ＳＣＨでのシステム情報、ＰＤＳＣＨで送信されるランダムアクセス応答（ｒａｎｄｏｍ  ａｃｃｅｓｓ  ｒｅｓｐｏｎｓｅ）のような上位層（ｕｐｐｅｒ−ｌａｙｅｒ）制御メッセージに対する資源割り当て、任意の端末グループ内の個別端末に対する送信パワー制御命令の集合、ＶｏＩＰ（Ｖｏｉｃｅ  ｏｖｅｒ  ＩＰ）の活性化などを運ぶことができる。複数のＰＤＣＣＨは制御領域内で送信されることができ、端末は複数のＰＤＣＣＨをモニタリングすることができる。ＰＤＣＣＨは一つまたは複数の連続的なＣＣＥ（ｃｏｎｔｒｏｌ  ｃｈａｎｎｅｌ  ｅｌｅｍｅｎｔｓ）の集合で構成される。ＣＣＥは無線チャネルの状態に従う符号化率（ｃｏｄｉｎｇ  ｒａｔｅ）をＰＤＣＣＨに提供するために使われる論理的割り当て単位である。ＣＣＥは複数の資源要素グループ（ｒｅｓｏｕｒｃｅ  ｅｌｅｍｅｎｔ  ｇｒｏｕｐ）に対応する。ＰＤＣＣＨのフォーマット及び使用可能なＰＤＣＣＨのビット数はＣＣＥの数とＣＣＥにより提供される符号化率の間の関連関係によって決定される。
【００６１】
基地局は端末に送信しようとするＤＣＩによってＰＤＣＣＨのフォーマットを決定し、制御情報にＣＲＣ（Ｃｙｃｌｉｃ  Ｒｅｄｕｎｄａｎｃｙ  Ｃｈｅｃｋ）を付ける。ＣＲＣにはＰＤＣＣＨの所有者（ｏｗｎｅｒ）や用途によって固有の識別子（これをＲＮＴＩ（Ｒａｄｉｏ  Ｎｅｔｗｏｒｋ  Ｔｅｍｐｏｒａｒｙ  Ｉｄｅｎｔｉｆｉｅｒ）という。）がマスキングされる。特定の端末のためのＰＤＣＣＨであれば、端末固有の識別子、例えばＣ−ＲＮＴＩ（Ｃｅｌｌ−ＲＮＴＩ）がＣＲＣにマスキングできる。または、ページングメッセージのためのＰＤＣＣＨであれば、ページング指示識別子、例えばＰ−ＲＮＴＩ（Ｐａｇｉｎｇ−ＲＮＴＩ）がＣＲＣにマスキングできる。システム情報、より具体的にシステム情報ブロック（ＳＩＢ：ｓｙｓｔｅｍ  ｉｎｆｏｒｍａｔｉｏｎ  ｂｌｏｃｋ）のためのＰＤＣＣＨであれば、システム情報識別子、ＳＩ−ＲＮＴＩ（ｓｙｓｔｅｍ  ｉｎｆｏｒｍａｔｉｏｎ  ＲＮＴＩ）がＣＲＣにマスキングできる。端末のランダムアクセスプリアンブルの送信に対する応答であるランダムアクセス応答を指示するために、ＲＡ−ＲＮＴＩ（ｒａｎｄｏｍ  ａｃｃｅｓｓ−ＲＮＴＩ）がＣＲＣにマスキングできる。
【００６２】
ＥＰＤＣＣＨ（ｅｎｈａｎｃｅｄ  ＰＤＣＣＨ）は、端末特定（ＵＥ−ｓｐｅｃｉｆｉｃ）のシグナリングを運ぶ。ＥＰＤＣＣＨは、端末特定的に設定された物理資源ブロック（ＰＲＢ：ｐｈｙｓｉｃａｌ  ｒｅｓｏｕｒｃｅ  ｂｌｏｃｋ）に位置する。言い換えると、前述したように、ＰＤＣＣＨはサブフレーム内の一番目のスロットで以前の最大３個のＯＦＤＭシンボルで送信されることができるが、ＥＰＤＣＣＨはＰＤＣＣＨ以外の資源領域で送信されることができる。サブフレーム内ＥＰＤＣＣＨが開始される時点（即ち、シンボル）は、上位層のシグナリング（例えば、ＲＲＣシグナリング等）を介して端末に設定されることができる。
【００６３】
ＥＰＤＣＣＨは、ＤＬ−ＳＣＨと関連した送信フォーマット、資源割り当て及びＨＡＲＱ情報、ＵＬ−ＳＣＨと関連した送信フォーマット、資源割り当て及びＨＡＲＱ情報、ＳＬ−ＳＣＨ（Ｓｉｄｅｌｉｎｋ  Ｓｈａｒｅｄ  Ｃｈａｎｎｅｌ）及びＰＳＣＣＨ（Ｐｈｙｓｉｃａｌ  Ｓｉｄｅｌｉｎｋ  Ｃｏｎｔｒｏｌ  Ｃｈａｎｎｅｌ）と関連した資源割り当て情報等を運ぶことができる。多重のＥＰＤＣＣＨが支援されることができ、端末はＥＰＣＣＨのセットをモニタリングすることができる。
【００６４】
ＥＰＤＣＣＨは、一つまたそれ以上の連続した進歩したＣＣＥ（ＥＣＣＥ：ｅｎｈａｎｃｅｄ  ＣＣＥ）を用いて送信されることができ、各ＥＰＤＣＣＨフォーマット別に単一のＥＰＤＣＣＨ当たりのＥＣＣＥの個数が決められることができる。
【００６５】
各ＥＣＣＥは、複数の資源要素グループ（ＥＲＥＧ：ｅｎｈａｎｃｅｄ  ｒｅｓｏｕｒｃｅ  ｅｌｅｍｅｎｔ  ｇｒｏｕｐ）で構成されることができる。ＥＲＥＧは、ＥＣＣＥのＲＥへのマッピングを定義するために使用される。ＰＲＢ対別に１６個のＥＲＥＧが存在する。各ＰＲＢ対内でＤＭＲＳを運ぶＲＥを除き、全てのＲＥは、周波数が増加する順にその次の時間が増加する順に０乃至１５までの番号が付与される。
【００６６】
端末は、複数のＥＰＤＣＣＨをモニタリングすることができる。例えば、端末がＥＰＤＣＣＨ送信をモニタリングする一つのＰＲＢ対内の一つ又は二つのＥＰＤＣＣＨセットが設定されることができる。
【００６７】
互いに異なる個数のＥＣＣＥが併合されることによって、ＥＰＣＣＨのための互いに異なる符号化率（ｃｏｄｉｎｇ  ｒａｔｅ）が実現できる。ＥＰＣＣＨは、地域的送信（ｌｏｃａｌｉｚｅｄ  ｔｒａｎｓｍｉｓｓｉｏｎ）又は分散的送信（ｄｉｓｔｒｉｂｕｔｅｄ  ｔｒａｎｓｍｉｓｓｉｏｎ）を使用することができ、これによってＰＲＢ内ＲＥにＥＣＣＥのマッピングが変わり得る。
【００６８】
図４は、本発明が適用できる無線通信システムにおけるアップリンクサブフレームの構造を示す。
【００６９】
図４を参照すると、アップリンクサブフレームは周波数領域で制御領域とデータ領域とに分けられる。制御領域にはアップリンク制御情報を運ぶＰＵＣＣＨ（Ｐｈｙｓｉｃａｌ  Ｕｐｌｉｎｋ  Ｃｏｎｔｒｏｌ  Ｃｈａｎｎｅｌ）が割り当てられる。データ領域はユーザデータを運ぶＰＵＳＣＨ（Ｐｈｙｓｉｃａｌ  Ｕｐｌｉｎｋ  Ｓｈａｒｅｄ  Ｃｈａｎｎｅｌ）が割り当てられる。単一搬送波の特性を維持するために１つの端末はＰＵＣＣＨとＰＵＳＣＨを同時に送信しない。
【００７０】
１つの端末に対するＰＵＣＣＨにはサブフレーム内に資源ブロック（ＲＢ：Ｒｅｓｏｕｒｃｅ  Ｂｌｏｃｋ）対が割り当てられる。ＲＢ対に属するＲＢは２つのスロットの各々で互いに異なる副搬送波を占める。これをＰＵＣＣＨに割り当てられたＲＢ対はスロット境界（ｓｌｏｔ  ｂｏｕｎｄａｒｙ）で周波数跳躍（ｆｒｅｑｕｅｎｃｙ  ｈｏｐｐｉｎｇ）されるという。
【００７１】
また、以下、本明細書で提案する発明は、ＬＴＥ／ＬＴＥ−Ａシステム（又は、装置）だけでなく、５Ｇ  ＮＲシステム（又は、装置）にも適用できる。
【００７２】
以下、図５乃至図１０を参考し、５Ｇ  ＮＲシステムの通信について説明する。
【００７３】
５Ｇ  ＮＲシステムは、使用シナリオ（ｕｓａｇｅ  ｓｃｅｎａｒｉｏ）（例：サービス類型）によってｅＭＢＢ（ｅｎｈａｎｃｅｄ  Ｍｏｂｉｌｅ  Ｂｒｏａｄｂａｎｄ）、ｍＭＴＣ（ｍａｓｓｉｖｅ  Ｍａｃｈｉｎｅ  Ｔｙｐｅ  Ｃｏｍｍｕｎｉｃａｔｉｏｎｓ）、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎｓ）、Ｖ２Ｘ（ｖｅｈｉｃｌｅ−ｔｏ−ｅｖｅｒｙｔｈｉｎｇ）を定義する。
【００７４】
また、５Ｇ  ＮＲの規格（ｓｔａｎｄａｒｄ）は、ＮＲシステムとＬＴＥシステム間の共存（ｃｏ−ｅｘｉｓｔｅｎｃｅ）によって、スタンドアローン（ＳＡ）と非スタンドアローン（ＮＳＡ）とに区分する。
【００７５】
また、５Ｇ  ＮＲシステムは、様々なサブキャリア間隔（ｓｕｂｃａｒｒｉｅｒ  ｓｐａｃｉｎｇ）を支援し、ダウンリンクでＣＰ−ＯＦＤＭを、アップリンクでＣＰ−ＯＦＤＭ及びＤＦＴ−ｓ−ＯＦＤＭ（ＳＣ−ＯＦＤＭ）を支援する。
【００７６】
本発明の実施例は、無線接続システムであるＩＥＥＥ  ８０２、３ＧＰＰ及び３ＧＰＰ２の少なくとも一つに開示された標準文書によって裏付けられることができる。即ち、本発明の実施例のうち、本発明の技術的思想を明確に示すために、説明しない段階又は部分は、前記文書によって裏付けられることができる。また、本文書で開示している全ての用語は、前記標準文書によって説明されることができる。
【００７７】
スマートフォン（ｓｍａｒｔｐｈｏｎｅ）及びＩｏＴ（Ｉｎｔｅｒｎｅｔ  Ｏｆ  Ｔｈｉｎｇｓ）端末の普及が速く拡散されるにしたがって、通信網を介してやり取りする情報の量が増加している。これによって、次世代無線アクセス技術では、既存の通信システム（又は既存の無線アクセス技術（ｒａｄｉｏ  ａｃｃｅｓｓ  ｔｅｃｈｎｏｌｏｇｙ））より、さらに多くのユーザにさらに早いサービスを提供する環境（例：向上した移動広帯域通信（ｅｎｈａｎｃｅｄ  ｍｏｂｉｌｅ  ｂｒｏａｄｂａｎｄ  ｃｏｍｍｕｎｉｃａｔｉｏｎ））が考慮される必要がある。
【００７８】
このため、多数の機器及び物（ｏｂｊｅｃｔ）を連結してサービスを提供するＭＴＣ（Ｍａｃｈｉｎｅ  Ｔｙｐｅ  Ｃｏｍｍｕｎｉｃａｔｉｏｎ）を考慮する通信システムのデザインが議論されている。また、通信の信頼性（ｒｅｌｉａｂｉｌｉｔｙ）及び／又は遅延（ｌａｔｅｎｃｙ）に敏感なサービス（ｓｅｒｖｉｃｅ）及び／又は端末（ｔｅｒｍｉｎａｌ）等を考慮する通信システム（例：ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）のデザインも議論されている。
【００７９】
以下、本明細書において、説明の便宜のために、前記次世代無線アクセス技術は、ＮＲ（Ｎｅｗ  ＲＡＴ、Ｒａｄｉｏ  Ａｃｃｅｓｓ  Ｔｅｃｈｎｏｌｏｇｙ）と称され、前記ＮＲが適用される無線通信システムはＮＲシステムと称される。
【００８０】
ＮＲシステムに関する用語の定義
ｅＬＴＥ  ｅＮＢ：ｅＬＴＥ  ｅＮＢは、ＥＰＣ及びＮＧＣに対する連結を支援するｅＮＢの進化（ｅｖｏｌｕｔｉｏｎ）である。
【００８１】
ｇＮＢ：ＮＧＣとの連結だけでなく、ＮＲを支援するノード。
【００８２】
新しいＲＡＮ：ＮＲ又はＥ−ＵＴＲＡを支援するか、ＮＧＣと相互作用する無線アクセスネットワーク。
【００８３】
ネットワークスライス（ｎｅｔｗｏｒｋ  ｓｌｉｃｅ）：ネットワークスライスは、終端間の範囲と共に特定の要求事項を要求する特定の市場シナリオに対して最適化されたソリューションを提供するようにオペレータによって定義されたネットワーク。
【００８４】
ネットワーク機能（ｎｅｔｗｏｒｋ  ｆｕｎｃｔｉｏｎ）：ネットワーク機能は、よく定義された外部のインターフェースと、よく定義された機能的動作を有するネットワークインフラ内での論理的ノード。
【００８５】
ＮＧ−Ｃ：新しいＲＡＮとＮＧＣ間のＮＧ２リファレンスポイント（ｒｅｆｅｒｅｎｃｅ  ｐｏｉｎｔ）に使用されるコントロールプレーンインターフェース。
【００８６】
ＮＧ−Ｕ：新しいＲＡＮとＮＧＣ間のＮＧ３リファレンスポイント（ｒｅｆｅｒｅｎｃｅ  ｐｏｉｎｔ）に使用されるユーザプレーンインターフェース。
【００８７】
非独立型（Ｎｏｎ−ｓｔａｎｄａｌｏｎｅ）ＮＲ：ｇＮＢがＬＴＥ  ｅＮＢをＥＰＣにコントロールプレーンの連結のためのアンカーとして要求するか、又はｅＬＴＥ  ｅＮＢをＮＧＣにコントロールプレーンの連結のためのアンカーとして要求する配置構成。
【００８８】
非独立型Ｅ−ＵＴＲＡ：ｅＬＴＥ  ｅＮＢがＮＧＣにコントロールプレーンの連結のためのアンカーとしてｇＮＢを要求する配置構成。
【００８９】
ユーザプレーンゲートウェイ：ＮＧ−Ｕインターフェースの終端点。
【００９０】
図５は、本明細書で提案する方法が適用できるＮＲの全体的なシステム構造の一例を示す。
【００９１】
図５を参照すると、ＮＧ-ＲＡＮはＮＧ-ＲＡユーザプレーン（新しいＡＳ  ｓｕｂｌａｙｅｒ／ＰＤＣＰ／ＲＬＣ／ＭＡＣ／ＰＨＹ）及びＵＥ（Ｕｓｅｒ  Ｅｑｕｉｐｍｅｎｔ）に対するコントロールプレーン（ＲＲＣ）プロトコル終端を提供するｇＮＢで構成される。
【００９２】
前記ｇＮＢは、Ｘnインターフェースを介して相互連結される。
【００９３】
前記ｇＮＢは、また、ＮＧインターフェースを介してＮＧＣに連結される。
【００９４】
より具体的には、前記ｇＮＢはＮ２インターフェースを介してＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）に、Ｎ３インターフェースを介してＵＰＦ（Ｕｓｅｒ  Ｐｌａｎｅ  Ｆｕｎｃｔｉｏｎ）に連結される。
【００９５】
ＮＲ（Ｎｅｗ  Ｒａｔ）ヌメロロジー（Ｎｕｍｅｒｏｌｏｇｙ）及びフレーム（ｆｒａｍｅ）構造
ＮＲシステムでは、多数のヌメロロジー（ｎｕｍｅｒｏｌｏｇｙ）が支援できる。ここで、ヌメロロジーはサブキャリア間隔（ｓｕｂｃａｒｒｉｅｒ  ｓｐａｃｉｎｇ）とＣＰ（Ｃｙｃｌｉｃ  Ｐｒｅｆｉｘ）のオーバーヘッドにより定義されることができる。このとき、多数のサブキャリア間隔は基本サブキャリア間隔を整数Ｎ（または、μ）にスケーリング（ｓｃａｌｉｎｇ）することにより誘導できる。また、非常に高い搬送波周波数で非常に低いサブキャリア間隔を用いないと仮定されても、用いられるヌメロロジーは周波数帯域と独立に選択されることができる。
【００９６】
また、ＮＲシステムでは多数のヌメロロジーに従う多様なフレーム構造が支援できる。
【００９７】
以下、ＮＲシステムで考慮されることができるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）ヌメロロジー及びフレーム構造を見る。
【００９８】
ＮＲシステムで支援される多数のＯＦＤＭヌメロロジーは、表３のように定義されることができる。
【００９９】
【表３】
0006914366.tif 000004
【０１００】
【表４】
0006914366.tif 000005
【０１０１】
図６は、本明細書で提案する方法が適用できる無線通信システムにおけるアップリンクフレームとダウンリンクフレームとの間の関係を示す。図６に示すように、端末（Ｕｓｅｒ  Ｅｑｕｉｐｍｅｎｔ、ＵＥ）からのアップリンクフレーム番号ｉの送信は、該当端末における該当ダウンリンクフレームの開始よりＴTA＝ＮTAＴs以前に開始しなければならない。
【０１０２】
【表５】
0006914366.tif 000006
【０１０３】
全ての端末が同時に送信及び受信できるものではなく、これはダウンリンクスロット（ｄｏｗｎｌｉｎｋ  ｓｌｏｔ）又はアップリンクスロット（ｕｐｌｉｎｋ  ｓｌｏｔ）の全てのＯＦＤＭシンボルが用いられることはできないということを意味する。
【０１０４】
【表６】
0006914366.tif 000007
【０１０５】
【表７】
0006914366.tif 000008
【０１０６】
【表８】
0006914366.tif 000009
【０１０７】
図７は、ＮＲシステムにおけるフレーム構造の一例を示す。図７は、単に説明の便宜のためのものであるだけで、本発明の範囲を制限するものではない。
表５の場合、μ＝２である場合、即ち、サブキャリア間隔（ｓｕｂｃａｒｒｉｅｒ  ｓｐａｃｉｎｇ、ＳＣＳ）が６０ｋＨｚである場合の一例であって、表４を参考すると、１サブフレーム（又はフレーム）は４個のスロットを含むことができ、図３に示されている１サブフレーム＝｛１、２、４｝のスロットは一例であって、１サブフレームに含まれることができるスロットの個数は表２のように定義され得る。
【０１０８】
また、ミニ−スロット（ｍｉｎｉ−ｓｌｏｔ）は２、４又は７シンボル（ｓｙｍｂｏｌ）で構成されてもよく、より多いか又はより少ないシンボルで構成されてもよい。
【０１０９】
ＮＲシステムにおける物理資源（ｐｈｙｓｉｃａｌ  ｒｅｓｏｕｒｃｅ）と関連して、アンテナポート（ａｎｔｅｎｎａ  ｐｏｒｔ）、資源グリッド（ｒｅｓｏｕｒｃｅ  ｇｒｉｄ）、資源要素（ｒｅｓｏｕｒｃｅ  ｅｌｅｍｅｎｔ）、資源ブロック（ｒｅｓｏｕｒｃｅ  ｂｌｏｃｋ）、キャリアパート（ｃａｒｒｉｅｒ  ｐａｒｔ）などが考慮できる。
【０１１０】
以下、ＮＲシステムで考慮できる前記物理資源について具体的に見てみる。
【０１１１】
まず、アンテナポートと関連して、アンテナポートはアンテナポート上のシンボルが運搬されるチャネルが同一なアンテナポート上の他のシンボルが運搬されるチャネルから推論できるように定義される。１本のアンテナポート上のシンボルが運搬されるチャネルの広範囲特性（ｌａｒｇｅ−ｓｃａｌｅ  ｐｒｏｐｅｒｔｙ）が他のアンテナポート上のシンボルが運搬されるチャネルから類推できる場合、２本のアンテナポートはＱＣ／ＱＣＬ（ｑｕａｓｉｃｏ−ｌｏｃａｔｅｄまたはｑｕａｓｉ  ｃｏ−ｌｏｃａｔｉｏｎ）関係にあるといえる。ここで、前記広範囲特性は遅延拡散（Ｄｅｌａｙ  ｓｐｒｅａｄ）、ドップラー拡散（Ｄｏｐｐｌｅｒ  ｓｐｒｅａｄ）、周波数シフト（Ｆｒｅｑｕｅｎｃｙ  ｓｈｉｆｔ）、平均受信パワー（Ａｖｅｒａｇｅ  ｒｅｃｅｉｖｅｄ  ｐｏｗｅｒ）、受信タイミング（Ｒｅｃｅｉｖｅｄ  Ｔｉｍｉｎｇ）のうち、１つ以上を含む。
【０１１２】
図８は、本明細書で提案する方法が適用できる無線通信システムで支援する資源グリッド（ｒｅｓｏｕｒｃｅ  ｇｒｉｄ）の一例を示す。
【０１１３】
図８を参考すると、資源グリッドが周波数領域上にＮμRBＮRBscサブキャリアで構成され、１つのサブフレームが１４・２μＯＦＤＭシンボルで構成されることを例示的に記述するが、これに限定されるものではない。
【０１１４】
ＮＲシステムにおいて、伝送される信号（ｔｒａｎｓｍｉｔｔｅｄ  ｓｉｇｎａｌ）は、ＮμRBＮRBscサブキャリアで構成される一つまたはそれ以上の資源グリッド及び２μＮ(μ)symbのＯＦＤＭシンボルによって説明される。ここで、ＮμRB≦Ｎmax,μRBである。前記Ｎmax,μRBは、最大伝送帯域幅を示し、これは、ヌメロロジーだけでなく、アップリンクとダウンリンクの間でも変わり得る。
【０１１５】
この場合、図９のように、ヌメロロジーμ及びアンテナポートｐ別に１つの資源グリッドが設定されることができる。
【０１１６】
図９は、本明細書で提案する方法が適用できるアンテナポート及びヌメロロジー別の資源グリッドの例を示す。
【０１１７】
【表９】
0006914366.tif 000010
【０１１８】
また、物理資源ブロック（ｐｈｙｓｉｃａｌ  ｒｅｓｏｕｒｃｅ  ｂｌｏｃｋ）は周波数領域上のＮRBsc＝１２の連続的なサブキャリアで定義される。
【０１１９】
Ｐｏｉｎｔ  Ａは資源ブロックグリッドの共通参照点（ｃｏｍｍｏｎ  ｒｅｆｅｒｅｎｃｅ  ｐｏｉｎｔ）としての役割をし、次のように獲得されることができる。
【０１２０】
−  ＰＣｅｌｌダウンリンクに対するｏｆｆｓｅｔＴｏＰｏｉｎｔＡは、初期セルの選択のためにＵＥによって使用されたＳＳ／ＰＢＣＨブロックと重なる最も低い資源ブロックの最も低いサブキャリアとｐｏｉｎｔ  Ａ間の周波数オフセットを示し、ＦＲ１に対して１５ｋＨｚのサブキャリア間隔及びＦＲ２に対して６０ｋＨｚのサブキャリア間隔を仮定したリソースブロック単位（ｕｎｉｔ）で表現され；
【０１２１】
−  ａｂｓｏｌｕｔｅＦｒｅｑｕｅｎｃｙＰｏｉｎｔＡはＡＲＦＣＮ（ａｂｓｏｌｕｔｅ  ｒａｄｉｏ−ｆｒｅｑｕｅｎｃｙ  ｃｈａｎｎｅｌ  ｎｕｍｂｅｒ）でのように表現されたｐｏｉｎｔ  Ａの周波数−位置を示す。
【０１２２】
共通資源ブロック（ｃｏｍｍｏｎ  ｒｅｓｏｕｒｃｅ  ｂｌｏｃｋ）はサブキャリア間隔の設定μに対する周波数領域で０から上方にナンバリング（ｎｕｍｂｅｒｉｎｇ）される。
【０１２３】
サブキャリア間隔の設定μに対する共通資源ブロック０のサブキャリア０の中心は「ｐｏｉｎｔ  Ａ」と一致する。周波数領域で共通資源ブロックの番号（ｎｕｍｂｅｒ）ｎμCRBとサブキャリア間隔の設定に対する資源要素（ｋ、ｌ）は下記数式１のように与えられ得る。
【０１２４】
【数１】
0006914366.tif 000011
【０１２５】
【表１０】
0006914366.tif 000012
【０１２６】
【数２】
0006914366.tif 000013
【０１２７】
自己完結型（Ｓｅｌｆ−ｃｏｎｔａｉｎｅｄ）構造
ＮＲシステムで考慮されるＴＤＤ（Ｔｉｍｅ  Ｄｉｖｉｓｉｏｎ  Ｄｕｐｌｅｘｉｎｇ）構造は、アップリンク（Ｕｐｌｉｎｋ、ＵＬ）とダウンリンク（Ｄｏｗｎｌｉｎｋ、ＤＬ）を一つのスロット（ｓｌｏｔ）（又はサブフレーム（ｓｕｂｆｒａｍｅ））で全て処理する構造である。これは、ＴＤＤシステムでデータ伝送の遅延（ｌａｔｅｎｃｙ）を最小化するためのものであり、前記構造は自己完結型（ｓｅｌｆ−ｃｏｎｔａｉｎｅｄ）構造又は自己完結型（ｓｅｌｆ−ｃｏｎｔａｉｎｅｄ）スロットと称され得る。
【０１２８】
図１０は、本明細書で提案する方法が適用できる自己完結型（ｓｅｌｆ−ｃｏｎｔａｉｎｅｄ）構造の一例を示す。図１０は単に説明の便宜のためのものであるだけで、本発明の範囲を制限するものではない。
【０１２９】
図１０を参考すると、ｌｅｇａｃｙ  ＬＴＥの場合のように、１つの送信単位（例：スロット、サブフレーム）が１４個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル（ｓｙｍｂｏｌ）で構成される場合が仮定される。
【０１３０】
図１０において、領域１００２はダウンリンク制御領域（ｄｏｗｎｌｉｎｋ  ｃｏｎｔｒｏｌ  ｒｅｇｉｏｎ）を意味し、領域１００４はアップリンク制御領域（ｕｐｌｉｎｋ  ｃｏｎｔｒｏｌ  ｒｅｇｉｏｎ）を意味する。また、領域１００２及び領域１００４以外の領域（即ち、別途の表示がない領域）は、ダウンリンクデータ（ｄｏｗｎｌｉｎｋ  ｄａｔａ）又はアップリンクデータ（ｕｐｌｉｎｋ  ｄａｔａ）の送信のために用いられることができる。
【０１３１】
即ち、アップリンク制御情報（ｕｐｌｉｎｋ  ｃｏｎｔｒｏｌ  ｉｎｆｏｒｍａｔｉｏｎ）及びダウンリンク制御情報（ｄｏｗｎｌｉｎｋ  ｃｏｎｔｒｏｌ  ｉｎｆｏｒｍａｔｉｏｎ）は１つの自己完結型（ｓｅｌｆ−ｃｏｎｔａｉｎｅｄ）スロットで送信されることができる。これに対し、データ（ｄａｔａ）の場合、アップリンクデータ又はダウンリンクデータが１つの自己完結型（ｓｅｌｆ−ｃｏｎｔａｉｎｅｄ）スロットで送信されることができる。
【０１３２】
図１０に示されている構造を用いる場合、一つの自己完結型（ｓｅｌｆ−ｃｏｎｔａｉｎｅｄ）スロット内で、ダウンリンク送信とアップリンク送信が順次進められ、ダウンリンクデータの送信及びアップリンクのＡＣＫ／ＮＡＣＫの受信が行われることができる。
【０１３３】
結果、データ伝送のエラーが発生する場合、データの再伝送までかかる時間が減少し得る。これを通じて、データ伝達に関する遅延が最小化し得る。
【０１３４】
図１０のような自己完結型（ｓｅｌｆ−ｃｏｎｔａｉｎｅｄ）スロット構造で、基地局（ｅＮｏｄｅＢ、ｅＮＢ、ｇＮＢ）及び／又は端末（ｔｅｒｍｉｎａｌ、ＵＥ（Ｕｓｅｒ  Ｅｑｕｉｐｍｅｎｔ））が送信モード（ｔｒａｎｓｍｉｓｓｉｏｎ  ｍｏｄｅ）から受信モード（ｒｅｃｅｐｔｉｏｎ  ｍｏｄｅ）へ切り換える過程又は受信モードから送信モードへ切り換える過程のための時間ギャップ（ｔｉｍｅ  ｇａｐ）が要求される。前記時間ギャップに関して、前記自己完結型（ｓｅｌｆ−ｃｏｎｔａｉｎｅｄ）スロットでダウンリンク送信以降にアップリンク送信が行われる場合、一部ＯＦＤＭシンボルが保護区間（Ｇｕａｒｄ  Ｐｅｒｉｏｄ、ＧＰ）に設定されることができる。
【０１３５】
物理アップリンク制御チャネル（ＰＵＣＣＨ）
ＰＵＣＣＨを介して送信されるアップリンク制御情報（ＵＣＩ）は、スケジューリング要求（ＳＲ：Ｓｃｈｅｄｕｌｉｎｇ  Ｒｅｑｕｅｓｔ）、ＨＡＲＱ  ＡＣＫ／ＮＡＣＫ情報及びダウンリンクチャネル測定情報を含むことができる。
【０１３６】
ＨＡＲＱ  ＡＣＫ／ＮＡＣＫ情報は、ＰＤＳＣＨ上のダウンリンクデータパケットのデコーディングの成功可否に応じて生成されることができる。既存の無線通信システムで、ダウンリンクの単一コードワード（ｃｏｄｅｗｏｒｄ）の送信に対しては、ＡＣＫ／ＮＡＣＫ情報として１ビットが送信され、ダウンリンクの２コードワードの送信に対しては、ＡＣＫ／ＮＡＣＫ情報として２ビットが送信される。
【０１３７】
チャネル測定情報は、多重入出力（ＭＩＭＯ：Ｍｕｌｔｉｐｌｅ  Ｉｎｐｕｔ  Ｍｕｌｔｉｐｌｅ  Ｏｕｔｐｕｔ）技法と関連したフィードバック情報を称し、チャネル品質指示子（ＣＱＩ：Ｃｈａｎｎｅｌ  Ｑｕａｌｉｔｙ  Ｉｎｄｉｃａｔｏｒ）、プリコーディングマトリックスインデックス（ＰＭＩ：Ｐｒｅｃｏｄｉｎｇ  Ｍａｔｒｉｘ  Ｉｎｄｅｘ）及びランク指示子（ＲＩ：Ｒａｎｋ  Ｉｎｄｉｃａｔｏｒ）を含むことができる。これらのチャネル測定情報を通称しＣＱＩと表現してもよい。
【０１３８】
ＣＱＩの送信のために、サブフレーム当たりの２０ビットが使用されることができる。
【０１３９】
ＰＵＣＣＨは、ＢＰＳＫ（Ｂｉｎａｒｙ  Ｐｈａｓｅ  Ｓｈｉｆｔ  Ｋｅｙｉｎｇ）とＱＰＳＫ（Ｑｕａｄｒａｔｕｒｅ  Ｐｈａｓｅ  Ｓｈｉｆｔ  Ｋｅｙｉｎｇ）技法を使用して変調されることができる。ＰＵＣＣＨを介して複数の端末の制御情報が送信されることができ、各端末の信号を区別するためにコード分割多重化（ＣＤＭ：Ｃｏｄｅ  Ｄｉｖｉｓｉｏｎ  Ｍｕｌｔｉｐｌｅｘｉｎｇ）を行う場合に長さ１２のＣＡＺＡＣ（Ｃｏｎｓｔａｎｔ  Ａｍｐｌｉｔｕｄｅ  Ｚｅｒｏ  Ａｕｔｏｃｏｒｒｅｌａｔｉｏｎ）シーケンスを主に使用する。ＣＡＺＡＣシーケンスは、時間領域（ｔｉｍｅ  ｄｏｍａｉｎ）及び周波数領域（ｆｒｅｑｕｅｎｃｙ  ｄｏｍａｉｎ）において一定の大きさ（ａｍｐｌｉｔｕｄｅ）を維持する特性を有するので、端末のＰＡＰＲ（Ｐｅａｋ-ｔｏ-Ａｖｅｒａｇｅ  Ｐｏｗｅｒ  Ｒａｔｉｏ）またはＣＭ（Ｃｕｂｉｃ  Ｍｅｔｒｉｃ）を低くしてカバレッジを増加させるのに適した性質を有する。また、ＰＵＣＣＨを介して送信されるダウンリンクデータ送信に対するＡＣＫ／ＮＡＣＫ情報は、直交シーケンス（ｏｒｔｈｇｏｎａｌ  ｓｅｑｕｅｎｃｅ）または直交カバー（ＯＣ：ｏｒｔｈｏｇｏｎａｌ  ｃｏｖｅｒ）を利用してカバーリングされる。
【０１４０】
また、ＰＵＣＣＨ上に送信される制御情報は、互いに異なる循環シフト（ＣＳ：ｃｙｃｌｉｃ  ｓｈｉｆｔ）値を有する循環シフトされたシーケンス（ｃｙｃｌｉｃａｌｌｙ  ｓｈｉｆｔｅｄ  ｓｅｑｕｅｎｃｅ）を利用して区別されることができる。循環シフトされたシーケンスは、基本シーケンス（ｂａｓｅ  ｓｅｑｕｅｎｃｅ）を特定のＣＳ量（ｃｙｃｌｉｃ  ｓｈｉｆｔ  ａｍｏｕｎｔ）だけ循環シフトさせて生成できる。特定のＣＳ量は、循環シフトインデックス（ＣＳ  ｉｎｄｅｘ）により指示される。チャネルの遅延拡散（ｄｅｌａｙ  ｓｐｒｅａｄ）によって使用可能な循環シフトの数は変わり得る。多様な種類のシーケンスが基本シーケンスとして使用されることができ、前述のＣＡＺＡＣシーケンスは、その一例である。
【０１４１】
また、端末が１つのサブフレームにおいて送信できる制御情報の量は、制御情報の送信に利用可能なＳＣ−ＦＤＭＡシンボルの数（すなわち、ＰＵＣＣＨのコヒーレント（ｃｏｈｅｒｅｎｔ）検出のための参照信号（ＲＳ）の送信に利用されるＳＣ−ＦＤＭＡシンボルを除いたＳＣ−ＦＤＭＡシンボル）に応じて決定されることができる。
【０１４２】
３ＧＰＰ  ＬＴＥシステムにおけるＰＵＣＣＨは、送信される制御情報、変調技法、制御情報の量などによって計７種の異なるフォーマットで定義され、それぞれのＰＵＣＣＨフォーマットに従って送信されるアップリンク制御情報（ＵＣＩ：ｕｐｌｉｎｋ  ｃｏｎｔｒｏｌ  ｉｎｆｏｒｍａｔｉｏｎ）の属性は、以下の表６のように要約できる。
【０１４３】
【表１１】
0006914366.tif 000014
【０１４４】
ＰＵＣＣＨフォーマット１は、ＳＲの単独送信に使用される。ＳＲ単独送信の場合には、変調されない波形が適用され、これについては詳細に後述する。ＰＵＣＣＨフォーマット１ａまたは１ｂは、ＨＡＲＱ  ＡＣＫ／ＮＡＣＫの送信に使用される。任意のサブフレームにおいてＨＡＲＱ  ＡＣＫ／ＮＡＣＫが単独で送信される場合には、ＰＵＣＣＨフォーマット１ａまたは１ｂを使用することができる。または、ＰＵＣＣＨフォーマット１ａまたは１ｂを使用してＨＡＲＱ  ＡＣＫ／ＮＡＣＫ及びＳＲが同一サブフレームにおいて送信されることもできる。
【０１４５】
ＰＵＣＣＨフォーマット２は、ＣＱＩの送信に使用され、ＰＵＣＣＨフォーマット２ａまたは２ｂは、ＣＱＩ及びＨＡＲＱ  ＡＣＫ／ＮＡＣＫの送信に使用される。
【０１４６】
拡張されたＣＰの場合には、ＰＵＣＣＨフォーマット２がＣＱＩ及びＨＡＲＱ  ＡＣＫ／ＮＡＣＫの送信に使用されることもできる。
【０１４７】
図１１は、本発明が適用できる無線通信システムにおけるＰＵＣＣＨフォーマットがアップリンク物理資源ブロックのＰＵＣＣＨ領域にマッピングされる形態の一例を示す。
【０１４８】
図１１において、ＮULRBは、アップリンクでの資源ブロックの個数を示し、０、１、．．．、ＮULRB−１は、物理資源ブロックの番号を意味する。基本的に、ＰＵＣＣＨは、アップリンク周波数ブロックの両端（ｅｄｇｅ）にマッピングされる。図１１に示すように、ｍ＝０、１で表されるＰＵＣＣＨ領域にＰＵＣＣＨフォーマット２／２ａ／２ｂがマッピングされ、これは、ＰＵＣＣＨフォーマット２／２ａ／２ｂが帯域端（ｂａｎｄｅｄｇｅ）に位置した資源ブロックにマッピングされると表現できる。また、ｍ＝２で表されるＰＵＣＣＨ領域にＰＵＣＣＨフォーマット２／２ａ／２ｂ及びＰＵＣＣＨフォーマット１／１ａ／１ｂが共に（ｍｉｘｅｄ）マッピングされることができる。次に、ｍ＝３、４、５で表されるＰＵＣＣＨ領域にＰＵＣＣＨフォーマット１／１ａ／１ｂがマッピングされることができる。ＰＵＣＣＨフォーマット２／２ａ／２ｂにより使用可能なＰＵＣＣＨ  ＲＢの数（Ｎ(2)RB）は、ブロードキャスティングのシグナリングによってセル内の端末に指示されることができる。
【０１４９】
ＰＵＣＣＨフォーマット２／２ａ／２ｂについて説明する。ＰＵＣＣＨフォーマット２／２ａ／２ｂは、チャネル測定フィードバック（ＣＱＩ、ＰＭＩ、ＲＩ）を送信するための制御チャネルである。
【０１５０】
チャネル測定フィードバック（以下、通称してＣＱＩ情報と表現）の報告周期及び測定の対象になる周波数単位（または周波数解像度（ｒｅｓｏｌｕｔｉｏｎ））は、基地局によって制御されることができる。時間領域において周期的及び非周期的ＣＱＩ報告が支援できる。ＰＵＣＣＨフォーマット２は、周期的報告のみに使用され、非周期的報告のためには、ＰＵＳＣＨが使用できる。非周期的報告の場合に、基地局は、端末にアップリンクデータ送信のためにスケジューリングされた資源に個別ＣＱＩ報告をピギーバックして送信するように指示できる。
【０１５１】
図１２は、本発明が適用できる無線通信システムにおける一般ＣＰの場合のＣＱＩチャネルの構造を示す。
【０１５２】
１つのスロットのＳＣ−ＦＤＭＡシンボル０〜６のうち、ＳＣ−ＦＤＭＡシンボル１及び５（２番目及び６番目のシンボル）は、復調参照信号（ＤＭＲＳ：Ｄｅｍｏｄｕｌａｔｉｏｎ  Ｒｅｆｅｒｅｎｃｅ  Ｓｉｇｎａｌ）の送信に使用され、残りのＳＣ−ＦＤＭＡシンボルでＣＱＩ情報が送信されることができる。一方、拡張されたＣＰの場合には、１つのＳＣ−ＦＤＭＡシンボル（ＳＣ−ＦＤＭＡシンボル３）がＤＭＲＳの送信に使用される。
【０１５３】
ＰＵＣＣＨフォーマット２／２ａ／２ｂでは、ＣＡＺＡＣシーケンスによる変調を支援し、ＱＰＳＫ変調されたシンボルが長さ１２のＣＡＺＡＣシーケンスで乗算される。シーケンスの循環シフト（ＣＳ）は、シンボル及びスロットの間で変更される。ＤＭＲＳに対して直交カバーリングが使用される。
【０１５４】
１つのスロットに含まれる７個のＳＣ−ＦＤＭＡシンボルのうち、３個のＳＣ−ＦＤＭＡシンボル間隔だけ離れた２個のＳＣ−ＦＤＭＡシンボルには、参照信号（ＤＭＲＳ）がピギーバックされ、残りの５個のＳＣ−ＦＤＭＡシンボルには、ＣＱＩ情報がピギーバックされる。１つのスロット内に２個のＲＳが使用されたことは、高速端末を支援するためである。また、各端末は、循環シフト（ＣＳ）シーケンスを使用して区分される。ＣＱＩ情報のシンボルは、ＳＣ−ＦＤＭＡシンボル全体に変調されて伝達され、ＳＣ−ＦＤＭＡシンボルは、１つのシーケンスから構成されている。すなわち、端末は、各シーケンスにＣＱＩを変調して送信する。
【０１５５】
１つのＴＴＩに送信できるシンボル数は１０個であり、ＣＱＩ情報の変調は、ＱＰＳＫまで決まっている。ＳＣ−ＦＤＭＡシンボルに対してＱＰＳＫマッピングを使用する場合、２ビットのＣＱＩ値がピギーバックできるので、１つのスロットに１０ビットのＣＱＩ値をピギーバックすることができる。したがって、１つのサブフレームに最大２０ビットのＣＱＩ値をピギーバックすることができる。ＣＱＩ情報を周波数領域で拡散させるために周波数領域拡散符号を使用する。
【０１５６】
周波数領域拡散符号としては、長さ−１２のＣＡＺＡＣシーケンス（例えば、ＺＣシーケンス）を使用することができる。各制御チャネルは、互いに異なる循環シフト（ｃｙｃｌｉｃ  ｓｈｉｆｔ）値を有するＣＡＺＡＣシーケンスを適用して区分できる。周波数領域拡散されたＣＱＩ情報にＩＦＦＴが行われる。
【０１５７】
１２個の同等な間隔を有する循環シフトによって１２個の異なる端末が同じＰＵＣＣＨ  ＲＢ上において直交多重化されることができる。一般ＣＰの場合に、ＳＣ−ＦＤＭＡシンボル１及び５上の（拡張されたＣＰの場合にＳＣ−ＦＤＭＡシンボル３上の）ＤＭＲＳシーケンスは、周波数領域上のＣＱＩ信号シーケンスと似ているが、ＣＱＩ情報のような変調は適用されない。
【０１５８】
【表１２】
0006914366.tif 000015
【０１５９】
ＰＵＣＣＨチャネル構造
ＰＵＣＣＨフォーマット１ａ及び１ｂについて説明する。
ＰＵＣＣＨフォーマット１ａ／１ｂにおいてＢＰＳＫまたはＱＰＳＫ変調方式を利用して変調されたシンボルは、長さ１２のＣＡＺＡＣシーケンスで乗算（ｍｕｌｔｉｐｌｙ）される。例えば、変調シンボルｄ（０）に長さＮのＣＡＺＡＣシーケンスｒ（ｎ）（ｎ＝０、１、２、．．．、Ｎ−１）が乗算された結果は、ｙ（０）、ｙ（１）、ｙ（２）、．．．、ｙ（Ｎ-１）になる。ｙ（０）、．．．、ｙ（Ｎ-１）のシンボルをシンボルブロック（ｂｌｏｃｋ  ｏｆ  ｓｙｍｂｏｌ）と称することができる。変調シンボルにＣＡＺＡＣシーケンスを掛け算した後に、直交シーケンスを利用したブロック−単位（ｂｌｏｃｋ−ｗｉｓｅ）拡散が適用される。
【０１６０】
一般ＡＣＫ／ＮＡＣＫ情報に対しては、長さ４のアダマール（Ｈａｄａｍａｒｄ）シーケンスが使用され、短い（ｓｈｏｒｔｅｎｅｄ）ＡＣＫ／ＮＡＣＫ情報及び参照信号（Ｒｅｆｅｒｅｎｃｅ  ｓｉｇｎａｌ）に対しては、長さ３のＤＦＴ（Ｄｉｓｃｒｅｔｅ  Ｆｏｕｒｉｅｒ  Ｔｒａｎｓｆｏｒｍ）シーケンスが使用される。
【０１６１】
拡張されたＣＰの場合の参照信号に対しては、長さ２のアダマールシーケンスが使用される。
【０１６２】
図１３は、本発明が適用できる無線通信システムにおける一般ＣＰの場合にＡＣＫ／ＮＡＣＫチャネルの構造を示す。
【０１６３】
図１３では、ＣＱＩなしでＨＡＲＱ  ＡＣＫ／ＮＡＣＫ送信のためのＰＵＣＣＨチャネルの構造を例示的に示す。
【０１６４】
１つのスロットに含まれる７個のＳＣ−ＦＤＭＡシンボルのうち、中間部分の３個の連続するＳＣ−ＦＤＭＡシンボルには参照信号（ＲＳ）がピギーバックされ、残りの４個のＳＣ−ＦＤＭＡシンボルにはＡＣＫ／ＮＡＣＫ信号がピギーバックされる。
【０１６５】
一方、拡張されたＣＰの場合には、中間の２個の連続するシンボルにＲＳがピギーバックされることができる。ＲＳに使用されるシンボルの個数及び位置は、制御チャネルに応じて変わり得、これと関連したＡＣＫ／ＮＡＣＫ信号に使用されるシンボルの個数及び位置も、それに応じて変わり得る。
【０１６６】
１ビット及び２ビットの確認応答情報（スクランブリングされていない状態）は、各々ＢＰＳＫ及びＱＰＳＫ変調技法を使用し、一つのＨＡＲＱ  ＡＣＫ／ＮＡＣＫ変調シンボルで表されることができる。肯定確認応答（ＡＣＫ）は、「１」でエンコーディングされてもよく、否定確認応答（ＮＡＣＫ）は、「０」でエンコーディングされてもよい。
【０１６７】
割り当てられる帯域内で制御信号を送信する時、多重化容量を高めるために２次元の拡散が適用される。即ち、多重化できる端末の数又は制御チャネルの数を高めるために、周波数領域の拡散と時間領域の拡散を同時に適用する。
【０１６８】
ＡＣＫ／ＮＡＣＫ信号を周波数領域で拡散させるために、周波数領域のシーケンスを基本シーケンスとして用いる。周波数領域のシーケンスとしては、ＣＡＺＡＣシーケンスのうちの一つであるＺａｄｏｆｆ−Ｃｈｕ（ＺＣ）シーケンスを使用してもよい。例えば、基本シーケンスであるＺＣシーケンスに互いに異なる循環シフト（ＣＳ：Ｃｙｃｌｉｃ  Ｓｈｉｆｔ）が適用されることによって、互いに異なる端末又は互いに異なる制御チャネルの多重化が適用されることができる。ＨＡＲＱ  ＡＣＫ／ＮＡＣＫ送信のためのＰＵＣＣＨ  ＲＢのためのＳＣ−ＦＤＭＡシンボルで支援されるＣＳ資源の個数は、セル特定の上位層のシグナリングパラメータ（ΔPUCCHshift）によって設定される。
【０１６９】
周波数領域拡散されたＡＣＫ／ＮＡＣＫ信号は、直交拡散（ｓｐｒｅａｄｉｎｇ）コードを使用して時間領域で拡散される。直交拡散コードとしては、ウォルシュ−アダマール（Ｗａｌｓｈ−Ｈａｄａｍａｒｄ）シーケンス又はＤＦＴシーケンスが使用できる。例えば、ＡＣＫ／ＮＡＣＫ信号は、４シンボルに対して長さ４の直交シーケンス（ｗ０、ｗ１、ｗ２、ｗ３）を用いて拡散されることができる。また、ＲＳも、長さ３又は長さ２の直交シーケンスを介して拡散させる。これを直交カバーリング（ＯＣ：Ｏｒｔｈｏｇｏｎａｌ  Ｃｏｖｅｒｉｎｇ）という。
【０１７０】
前述したような周波数領域におけるＣＳ資源及び時間領域におけるＯＣ資源を用いて、多数の端末がコード分割多重化（ＣＤＭ：Ｃｏｄｅ  Ｄｉｖｉｓｉｏｎ  Ｍｕｌｔｉｐｌｅｘｉｎｇ）方式で多重化されることができる。即ち、同じＰＵＣＣＨ  ＲＢ上で多くの数の端末のＡＣＫ／ＮＡＣＫ情報及びＲＳが多重化されることができる。
【０１７１】
このような時間領域拡散ＣＤＭに対して、ＡＣＫ／ＮＡＣＫ情報に対して支援される拡散コードの個数は、ＲＳシンボルの個数によって制限される。即ち、ＲＳ送信のＳＣ−ＦＤＭＡシンボルの個数は、ＡＣＫ／ＮＡＣＫ情報送信のＳＣ−ＦＤＭＡシンボルの数よりも少ないため、ＲＳの多重化容量（ｃａｐａｃｉｔｙ）がＡＣＫ／ＮＡＣＫ情報の多重化容量に比べて少なくなる。
【０１７２】
例えば、一般ＣＰの場合に、４個のシンボルでＡＣＫ／ＮＡＣＫ情報が送信されることができるが、ＡＣＫ／ＮＡＣＫ情報のために４個ではなく３個の直交拡散コードが使用され、これは、ＲＳ送信シンボルの個数が３個に制限されて、ＲＳのために３個の直交拡散コードのみが使用されるためである。
【０１７３】
一般ＣＰのサブフレームにおいて、１つのスロットで３個のシンボルがＲＳ送信のために使用され、４個のシンボルがＡＣＫ／ＮＡＣＫ情報の送信のために使用される場合に、例えば、周波数領域で６個の循環シフト（ＣＳ）及び時間領域で３個の直交カバー（ＯＣ）資源を使用することができるならば、計１８個の異なる端末からのＨＡＲＱ確認応答が１つのＰＵＣＣＨ  ＲＢ内で多重化されることができる。もし、拡張されたＣＰのサブフレームにおいて、１つのスロットで２個のシンボルがＲＳ送信のために使用され、４個のシンボルがＡＣＫ／ＮＡＣＫ情報の送信のために使用される場合に、例えば、周波数領域で６個の循環シフト（ＣＳ）及び時間領域で２個の直交カバー（ＯＣ）資源を使用することができるならば、計１２個の異なる端末からのＨＡＲＱ確認応答が１つのＰＵＣＣＨ  ＲＢ内で多重化されることができる。
【０１７４】
次に、ＰＵＣＣＨフォーマット１について説明する。スケジューリング要求（ＳＲ）は、端末がスケジューリングされるように要求するか、又は要求しない方式で送信される。ＳＲチャネルは、ＰＵＣＣＨフォーマット１ａ／１ｂでのＡＣＫ／ＮＡＣＫチャネルの構造を再使用し、ＡＣＫ／ＮＡＣＫチャネルの設計に基づいてＯＯＫ（Ｏｎ−Ｏｆｆ  Ｋｅｙｉｎｇ）方式で構成される。ＳＲチャネルでは、参照信号が送信されない。従って、一般ＣＰの場合には、長さ７のシーケンスが用いられ、拡張されたＣＰの場合には、長さ６のシーケンスが用いられる。ＳＲ及びＡＣＫ／ＮＡＣＫに対して異なる循環シフト又は直交カバーが割り当てられ得る。即ち、肯定（ｐｏｓｉｔｉｖｅ）ＳＲ送信のために、端末はＳＲ用に割り当てられた資源を介して、ＨＡＲＱ  ＡＣＫ／ＮＡＣＫを送信する。否定（ｎｅｇａｔｉｖｅ）ＳＲ送信のためには、端末はＡＣＫ／ＮＡＣＫ用に割り当てられた資源を介して、ＨＡＲＱ  ＡＣＫ／ＮＡＣＫを送信する。
【０１７５】
次に、改善したＰＵＣＣＨ（ｅ−ＰＵＣＣＨ）フォーマットについて説明する。ｅ−ＰＵＣＣＨは、ＬＴＥ−ＡシステムのＰＵＣＣＨフォーマット３に対応し得る。ＰＵＣＣＨフォーマット３を用いたＡＣＫ／ＮＡＣＫ送信には、ブロック拡散（ｂｌｏｃｋ  ｓｐｒｅａｄｉｎｇ）技法が適用できる。
【０１７６】
ＰＵＣＣＨ  ｐｉｇｇｙｂａｃｋｉｎｇ  ｉｎ  Ｒｅｌ−８  ＬＴＥ
図１４は、本発明が適用できる無線通信システムにおけるＵＬ−ＳＣＨの送信チャネルプロセシングの一例を示す。
【０１７７】
３ＧＰＰ  ＬＴＥシステム（＝Ｅ−ＵＴＲＡ、Ｒｅｌ．８）では、ＵＬの場合、端末機のパワーアンプの効率的な活用のために、パワーアンプの性能に影響を与えるＰＡＰＲ（Ｐｅａｋ−ｔｏ−Ａｖｅｒａｇｅ  Ｐｏｗｅｒ  Ｒａｔｉｏ）特性や、ＣＭ（Ｃｕｂｉｃ  Ｍｅｔｒｉｃ）特性が良い単一キャリア送信を維持するようになっている。即ち、既存のＬＴＥシステムのＰＵＳＣＨ送信の場合、送信しようとするデータをＤＦＴ−プリコーディングを介して単一キャリア特性を維持し、ＰＵＣＣＨ送信の場合は、単一キャリア特性を有しているシーケンスに情報をピギーバックして送信することによって、単一キャリア特性を維持することができる。しかし、ＤＦＴ−プリコーディングをしたデータを周波数軸で非連続的に割り当てるか、ＰＵＳＣＨとＰＵＣＣＨが同時に送信するようになる場合には、このような単一キャリア特性がなくなる。従って、図８のように、ＰＵＣＣＨ送信と同じサブフレームにＰＵＳＣＨ送信がある場合、単一キャリア特性を維持するために、ＰＵＣＣＨに送信するＵＣＩ（ｕｐｌｉｎｋ  ｃｏｎｔｒｏｌ  ｉｎｆｏｒｍａｔｉｏｎ）情報をＰＵＳＣＨを介してデータと共に送信（Ｐｉｇｇｙｂａｃｋ）するようになっている。
【０１７８】
前記で説明したように、既存のＬＴＥ端末は、ＰＵＣＣＨとＰＵＳＣＨが同時に送信できないため、ＰＵＳＣＨが送信されるサブフレームでは、アップリンク制御情報（ＵＣＩ）（ＣＱＩ／ＰＭＩ、ＨＡＲＱ−ＡＣＫ、ＲＩ等）をＰＵＳＣＨ領域に多重化する方法を使用する。
【０１７９】
一例として、ＰＵＳＣＨを送信するように割り当てられたサブフレームでチャネル品質指示子（ＣＱＩ）及び／又はプリコーディングマトリックス指示子（ＰＭＩ）を送信すべき場合、ＵＬ−ＳＣＨデータとＣＱＩ／ＰＭＩをＤＦＴ−拡散する前に多重化して、制御情報とデータを共に送信することができる。この場合、ＵＬ−ＳＣＨデータは、ＣＱＩ／ＰＭＩ資源を考慮し、レートマッチング（ｒａｔｅ−ｍａｔｃｈｉｎｇ）を行うことになる。また、ＨＡＲＱ  ＡＣＫ、ＲＩ等の制御情報は、ＵＬ−ＳＣＨデータをパンクチャリング（ｐｕｎｃｔｕｒｉｎｇ）し、ＰＵＳＣＨ領域に多重化される方式が使用されている。
【０１８０】
図１５は、本発明が適用できる無線通信システムにおける送信チャネル（ｔｒａｎｓｐｏｒｔ  ｃｈａｎｎｅｌ）であるアップリンク共有チャネルの信号処理過程の一例を示す。
【０１８１】
以下、アップリンク共有チャネル（以下、「ＵＬ−ＳＣＨ」という）の信号処理過程は、一つ以上の送信チャネル又は制御情報タイプに適用されることができる。
【０１８２】
図１５を参照すると、ＵＬ−ＳＣＨは、送信時間区間（ＴＴＩ：ｔｒａｎｓｍｉｓｓｉｏｎ  ｔｉｍｅ  ｉｎｔｅｒｖａｌ）毎に一度ずつデータを送信ブロック（ＴＢ：Ｔｒａｎｓｐｏｒｔ  Ｂｌｏｃｋ）の形態で符号化ユニット（ｃｏｄｉｎｇ  ｕｎｉｔ）に伝達される。
【０１８３】
【表１３】
0006914366.tif 000016
【０１８４】
一方、ＰＵＳＣＨで制御情報が送信されるとき、制御情報であるＣＱＩ／ＰＭＩ、ＲＩ、ＡＣＫ／ＮＡＣＫは、各々独立にチャネルの符号化が行われる。各制御情報の送信のために各々互いに異なる符号化されたシンボルが割り当てられるため、各々の制御情報は互いに異なるコーディング率（ｃｏｄｉｎｇ  ｒａｔｅ）を有する。
【０１８５】
ＴＤＤ（Ｔｉｍｅ  Ｄｉｖｉｓｉｏｎ  Ｄｕｐｌｅｘ）でＡＣＫ／ＮＡＣＫフィードバック（ｆｅｅｄｂａｃｋ）モードは、上位層の設定によってＡＣＫ／ＮＡＣＫバンドリング（ｂｕｎｄｌｉｎｇ）及びＡＣＫ／ＮＡＣＫ多重化（ｍｕｌｔｉｐｌｅｘｉｎｇ）の二つのモードが支援される。ＡＣＫ／ＮＡＣＫバンドリングのために、ＡＣＫ／ＮＡＣＫ情報のビットは、１ビット又は２ビットで構成され、ＡＣＫ／ＮＡＣＫ多重化のために、ＡＣＫ／ＮＡＣＫ情報のビットは、１ビットから４ビットの間で構成される。
【０１８６】
【表１４】
0006914366.tif 000017
【０１８７】
次いで、多重化されたデータとＣＱＩ／ＰＭＩ、別にチャネル符号化されたＲＩ、ＡＣＫ／ＮＡＣＫは、チャネルインターリービングされて出力信号が生成される。
【０１８８】
ＰＤＣＣＨ割り当て手続（ａｓｓｉｇｎｍｅｎｔ  ｐｒｏｃｅｄｕｒｅ）
【表１５】
0006914366.tif 000018
【０１８９】
端末は、サブフレーム毎に複数のＰＤＣＣＨをモニタリングする。ここで、モニタリングとは、端末がモニタリングされるＰＤＣＣＨのフォーマットによってＰＤＣＣＨのそれぞれのデコーディングを試みることを言う。サブフレーム内で割り当てられた制御領域で、基地局は端末に該当するＰＤＣＣＨがどこにあるかに関する情報を提供しない。端末は、基地局から送信された制御チャネルを受信するために、自身のＰＤＣＣＨがどの位置でどんなＣＣＥ集合レベルやＤＣＩフォーマットに送信されるか分からないので、端末は、サブフレーム内でＰＤＣＣＨ候補（ｃａｎｄｉｄａｔｅ）の集合をモニタリングし、自身のＰＤＣＣＨを見つける。これをブラインドデコーディング（ＢＤ：Ｂｌｉｎｄ  Ｄｅｃｏｄｉｎｇ／Ｄｅｔｅｃｔｉｏｎ）という。ブラインドデコーディングは、端末がＣＲＣ部分に自身の端末識別子（ＵＥ  ＩＤ）をデマスキング（Ｄｅ−Ｍａｓｋｉｎｇ）させた後、ＣＲＣエラーを検討し、該当ＰＤＣＣＨが自身の制御チャネルであるか否かを確認する方法をいう。
【０１９０】
活性モード（ａｃｔｉｖｅ  ｍｏｄｅ）において、端末は自身に送信されるデータを受信するために、毎サブフレームのＰＤＣＣＨをモニタリングする。ＤＲＸモードにおいて、端末は毎ＤＲＸ周期のモニタリング区間で起床（ｗａｋｅ  ｕｐ）し、モニタリング区間に該当するサブフレームでＰＤＣＣＨをモニタリングする。ＰＤＣＣＨのモニタリングが行われるサブフレームを非ＤＲＸ（ｎｏｎ−ＤＲＸ）サブフレームという。
【０１９１】
端末は、自身に送信されるＰＤＣＣＨを受信するためには、非ＤＲＸサブフレームの制御領域に存在する全てのＣＣＥに対してブラインドデコーディングを行わなければならない。端末は、いずれのＰＤＣＣＨフォーマットが送信されるか分からないので、毎非ＤＲＸサブフレーム内でＰＤＣＣＨのブラインドデコーディングに成功するまで、可能なＣＣＥ集団レベルでＰＤＣＣＨを全てデコーディングしなければならない。端末は、自身のためのＰＤＣＣＨがいくつかのＣＣＥを使用するのか分からないので、ＰＤＣＣＨのブラインドデコーディングに成功するまで、可能な全てのＣＣＥ集団レベルで検出を試みなければならない。即ち、端末は、ＣＣＥ集合レベル別にブラインドデコーディングを行う。即ち、端末は、まずＣＣＥ集合レベルの単位を１としてデコーディングを試みる。デコーディングが全て失敗すると、ＣＣＥ集合レベルの単位を２としてデコーディングを試みる。その後、再度ＣＣＥ集合レベルの単位を４、ＣＣＥ集合レベルの単位を８としてデコーディングを試みる。また、端末は、Ｃ−ＲＮＴＩ、Ｐ−ＲＮＴＩ、ＳＩ−ＲＮＴＩ、ＲＡ−ＲＮＴＩの４個に対して全てブラインドデコーディグを試みることになる。また、端末は、モニタリングすべき全てのＤＣＩフォーマットに対してブラインドデコーディングを試みることになる。
【０１９２】
このように、端末が可能な全てのＲＮＴＩに対して、モニタリングすべき全てのＤＣＩフォーマットに対して、全てのＣＣＥ集合レベル別にブラインドデコーディングを試みれば、検出試み（ｄｅｔｅｃｔｉｏｎ  ａｔｔｅｍｐｔ）の回数が過度に多くなるので、ＬＴＥシステムでは端末のブラインドデコーディングのために検索空間（ＳＳ：Ｓｅａｒｃｈ  Ｓｐａｃｅ）の概念を定義する。検索空間は、モニターするためのＰＤＣＣＨの候補セットを意味し、各ＰＤＣＣＨフォーマットに応じて異なる大きさを有し得る。
【０１９３】
検索空間は、共用検索空間（ＣＳＳ：Ｃｏｍｍｏｎ  Ｓｅａｒｃｈ  Ｓｐａｃｅ）と端末特定検索空間（ＵＳＳ：ＵＥ−ｓｐｅｃｉｆｉｃ／Ｄｅｄｉｃａｔｅｄ  Ｓｅａｒｃｈ  Ｓｐａｃｅ）で構成されることができる。共用検索空間の場合、全ての端末が共用検索空間の大きさについて分かるが、端末特定検索空間は、各端末毎に個別的に設定されることができる。従って、端末はＰＤＣＣＨをデコーディングするために端末特定検索空間及び共用検索空間を全てモニタリングすべき、よって、１つのサブフレームで最大４４回のブラインドデコーディング（ＢＤ）を行うことになる。ここには、異なるＣＲＣ値（例えば、Ｃ−ＲＮＴＩ、Ｐ−ＲＮＴＩ、ＳＩ−ＲＮＴＩ、ＲＡ−ＲＮＴＩ）に応じて行うブラインドデコーディングは含まれない。
【０１９４】
小さい検索空間によって、基地局は与えられたサブフレーム内でＰＤＣＣＨを送信しようとする端末の全てにＰＤＣＣＨを送信するためのＣＣＥ資源が確保できない場合が発生し得る。何故なら、ＣＣＥの位置が割り当てられて残った資源は、特定端末の検索空間内に含まれないことがあるためである。次のサブフレームにも続くことができるこのような壁を最小化するために、端末特定ホッピング（ｈｏｐｐｉｎｇ）シーケンスが端末特定検索空間の開始地点に適用され得る。
【０１９５】
表７は、共用検索空間と端末特定検索空間の大きさを示す。
【０１９６】
【表１６】
0006914366.tif 000019
【０１９７】
ブラインドデコーディングを試みる回数による端末の計算的ロード（ｌｏａｄ）を軽減するために、端末は定義された全てのＤＣＩフォーマットによる検索を同時に行わない。具体的に、端末は、端末特定検索空間で常時ＤＣＩフォーマット０と１Ａに関する検索を行うことができる。この時、ＤＣＩフォーマット０と１Ａは同一の大きさを有するが、端末はＰＤＣＣＨに含まれたＤＣＩフォーマット０と１Ａを区分するのに使用されるフラグ（ｆｌａｇ  ｆｏｒ  ｆｏｒｍａｔ  ０／ｆｏｒｍａｔ  １Ａ  ｄｉｆｆｅｒｅｎｔｉａｔｉｏｎ）を用いて、ＤＣＩフォーマットを区分することができる。また、基地局によって設定されたＰＤＳＣＨ送信モードに応じて、端末に０と１Ａ以外に他のＤＣＩフォーマットが要求できるが、その一例として、ＤＣＩフォーマット１、１Ｂ、２がある。
【０１９８】
共用検索空間で、端末はＤＣＩフォーマット１Ａと１Ｃを検索することができる。また、端末は、ＤＣＩフォーマット３又は３Ａを検索するように設定されることができ、ＤＣＩフォーマット３と３Ａは、ＤＣＩフォーマット０と１Ａと同一の大きさを有するが、端末は端末特定の識別子ではなく、他の識別子によってスクランブル（ｓｃｒａｍｂｌｉｎｇ）されたＣＲＣを用いてＤＣＩフォーマットを区別することができる。
【０１９９】
【表１７】
0006914366.tif 000020
【０２００】
【数３】
0006914366.tif 000021
【０２０１】
前述したように、端末はＰＤＣＣＨをデコーディングするために、端末特定検索空間及び共用検索空間を全てモニタリングする。ここで、共用検索空間（ＣＳＳ）は、｛４、８｝の集合レベルを有するＰＤＣＣＨを支援し、端末特定検索空間（ＵＳＳ）は、｛１、２、４、８｝の集合レベルを有するＰＤＣＣＨを支援する。
【０２０２】
表８は、端末によってモニタリングされるＰＤＣＣＨ候補を示す。
【０２０３】
【表１８】
0006914366.tif 000022
【０２０４】
数式３を参照すると、共用検索空間の場合、２個の集合レベル、Ｌ＝４及びＬ＝８に対して、Ｙkは０に設定される。反面、集合レベルＬに対して、端末特定検索空間の場合、Ｙkは数式４のように定義される。
【０２０５】
【数４】
0006914366.tif 000023
【０２０６】
一般的なＡＣＫ／ＮＡＣＫ多重化方法
端末がｅＮＢから受信される多数のデータユニットに該当する多数のＡＣＫ／ＮＡＣＫを同時に送信すべき状況で、ＡＣＫ／ＮＡＣＫ信号の単一−周波数特性を維持し、ＡＣＫ／ＮＡＣＫ送信の電力を減らすために、ＰＵＣＣＨ資源の選択に基づいたＡＣＫ／ＮＡＣＫ多重化方法が考慮できる。
【０２０７】
ＡＣＫ／ＮＡＣＫ多重化と共に、多数のデータユニットに対するＡＣＫ／ＮＡＣＫ応答の内容は、実際のＡＣＫ／ＮＡＣＫ送信に使用されるＰＵＣＣＨ資源とＱＰＳＫ変調シンボルの資源との結合によって識別される。
【０２０８】
例えば、万が一１つのＰＵＣＣＨ資源が４ビットを送信し、４個のデータユニットが最大に送信できる場合、ＡＣＫ／ＮＡＣＫの結果は、下記表９のようにｅＮＢで識別されることができる。
【０２０９】
【表１９】
0006914366.tif 000024
【０２１０】
前記表９において、ＨＡＲＱ−ＡＣＫ（ｉ）は、ｉ番目のデータユニット（ｄａｔａ  ｕｎｉｔ）に対するＡＣＫ／ＮＡＣＫの結果を表す。前記表９において、ＤＴＸ（ＤＴＸ（Ｄｉｓｃｏｎｔｉｎｕｏｕｓ  Ｔｒａｎｓｍｉｓｓｉｏｎ）は、該当するＨＡＲＱ−ＡＣＫ（ｉ）のために送信されるデータユニットがないか、端末がＨＡＲＱ−ＡＣＫ（ｉ）に対応するデータユニットを検出することができないということを意味する。
【０２１１】
【表２０】
0006914366.tif 000025
【０２１２】
ＡＣＫ／ＮＡＣＫチャネルの選択で、少なくとも一つのＡＣＫがあれば、ＮＡＣＫとＤＴＸは連結される（ｃｏｕｐｌｅ）。これは、予約された（ｒｅｓｅｒｖｅｄ）ＰＵＣＣＨ資源とＱＰＳＫシンボルの組み合わせでは、全てのＡＣＫ／ＮＡＣＫの状態を示すことができないためである。しかし、ＡＣＫがなければ、ＤＴＸはＮＡＣＫと分離される（ｄｅｃｏｕｐｌｅ）。
【０２１３】
この場合、一つの明確なＮＡＣＫに該当するデータユニットにリンクされたＰＵＣＣＨ資源は、多数のＡＣＫ／ＮＡＣＫの信号を送信するために、また予約されることができる。
【０２１４】
一般的なＡＣＫ／ＮＡＣＫ送信（ｔｒａｎｓｍｉｓｓｉｏｎ）
ＬＴＥ−Ａシステムでは、複数のＤＬ  ＣＣを介して送信された複数のＰＤＳＣＨに対する複数のＡＣＫ／ＮＡＣＫ情報／信号を特定のＵＬ  ＣＣ（ｃｏｍｐｏｎｅｎｔ  ｃａｒｒｉｅｒ）を介して送信することを考慮している。このため、既存のＲｅｌ−８  ＬＴＥにおけるＰＵＣＣＨフォーマット１ａ／１ｂを用いたＡＣＫ／ＮＡＣＫ送信とは異なり、複数のＡＣＫ／ＮＡＣＫ情報をチャネルコーディング（例、Ｒｅｅｄ−Ｍｕｌｌｅｒ  ｃｏｄｅ、Ｔａｉｌ−ｂｉｔｉｎｇ  ｃｏｎｖｏｌｕｔｉｏｎａｌ  ｃｏｄｅ等）した後、ＰＵＣＣＨフォーマット２、又は下記のようなブロック拡散（Ｂｌｏｃｋ−ｓｐｒｅａｄｉｎｇ）ベースの変形された形態の新しいＰＵＣＣＨフォーマット（即ち、Ｅ−ＰＵＣＣＨフォーマット）を用いて、複数のＡＣＫ／ＮＡＣＫ情報／信号を送信することが考慮できる。
【０２１５】
ブロック拡散技法は、既存のＰＵＣＣＨフォーマット１系列又は２系列とは異なり、制御信号の送信をＳＣ−ＦＤＭＡ方式を用いて変調する方式である。図８に示すように、シンボルシーケンスがＯＣＣ（Ｏｒｔｈｏｇｏｎａｌ  Ｃｏｖｅｒ  Ｃｏｄｅ）を用いて時間領域（ｄｏｍａｉｎ）上で拡散して送信されることができる。ＯＣＣを用いることによって、同じＲＢ上に複数個の端末の制御信号が多重化できる。前述したＰＵＣＣＨフォーマット２の場合には、１つのシンボルシーケンスが時間領域にわたって送信され、ＣＡＺＡＣシーケンスのＣＳ（ｃｙｃｌｉｃ  ｓｈｉｆｔ）を用いて複数個の端末の制御信号が多重化されるのに対し、ブロック拡散ベースのＰＵＣＣＨフォーマット（例えば、ＰＵＣＣＨフォーマット３）の場合には、１つのシンボルシーケンスが周波数領域にわたって送信され、ＯＣＣを用いた時間領域拡散を用いて複数個の端末の制御信号が多重化される。
【０２１６】
図１６は、本発明が適用できる無線通信システムにおける１つのスロットの間に５個のＳＣ−ＦＤＭＡシンボルを生成して送信する一例を示す。
【０２１７】
図１６では、１スロットの間に１つのシンボルシーケンスに長さ＝５（又はＳＦ＝５）のＯＣＣを用いて、５個のＳＣ−ＦＤＭＡシンボル（すなわち、データ部分）を生成して送信する例を示す。この場合、１スロットの間に２個のＲＳシンボルが使用できる。
【０２１８】
図１６の例示において、ＲＳシンボルは、特定の循環シフト値が適用されたＣＡＺＡＣシーケンスから生成でき、複数個のＲＳシンボルにわたって所定のＯＣＣが適用された（又は掛けられた）形態で送信できる。また、図16の例示において、それぞれのＯＦＤＭシンボル（又はＳＣ−ＦＤＭＡシンボル）別に１２個の変調シンボルが使用され、それぞれの変調シンボルはＱＰＳＫによって生成されると仮定すれば、１つのスロットで送信可能な最大のビット数は１２×２＝２４ビットとなる。よって、２個のスロットで送信可能なビット数は計４８ビットとなる。このようにブロック拡散方式のＰＵＣＣＨチャネルの構造を使用する場合、既存のＰＵＣＣＨフォーマット１系列及び２系列に比べて拡張された大きさの制御情報の送信が可能になる。
【０２１９】
説明の便宜のために、ＰＵＣＣＨフォーマット２又はＥ−ＰＵＣＣＨフォーマットを使用する、このようなチャネルコーディングベースの複数のＡＣＫ／ＮＡＣＫ送信方式をマルチビットＡＣＫ／ＮＡＣＫ符号化（ｍｕｌｔｉ−ｂｉｔ  ＡＣＫ／ＮＡＣＫ  ｃｏｄｉｎｇ）送信方法と称する。この方法は、複数のＤＬ  ＣＣのＰＤＳＣＨに対するＡＣＫ／ＮＡＣＫ又はＤＴＸ（ｄｉｓｃｏｎｔｉｎｕｏｕｓ  ｔｒａｎｓｍｉｓｓｉｏｎ）情報（ＰＤＣＣＨを受信／検出できないということを意味）をチャネルコーディングして生成されたＡＣＫ／ＮＡＣＫコードされたブロックを送信する方法を示す。例えば、端末があるＤＬ  ＣＣでＳＵ−ＭＩＭＯモード（ｍｏｄｅ）で動作し、２個のコードワード（ＣＷ）を受信すれば、そのＣＣに対してＣＷ別にＡＣＫ／ＡＣＫ、ＡＣＫ／ＮＡＣＫ、ＮＡＣＫ／ＡＣＫ、ＮＡＣＫ／ＮＡＣＫの計４個のフィードバック状態（ｆｅｅｄｂａｃｋ  ｓｔａｔｅ）を送信するか、ＤＴＸまで含めて最大５個のフィードバック状態を有することができる。また、もし端末が単一（ｓｉｎｇｌｅ）ＣＷ受信をすれば、ＡＣＫ、ＮＡＣＫ、ＤＴＸの最大３個の状態（ｓｔａｔｅ）を有することができる（もし、ＮＡＣＫをＤＴＸと同様に処理すれば、ＡＣＫ、ＮＡＣＫ／ＤＴＸの計２個の状態を有することができる）。従って、もし端末が最大５個のＤＬ  ＣＣを併合（ａｇｇｒｅｇａｔｉｏｎ）し、全てのＣＣでＳＵ−ＭＩＭＯモードで動作すれば、最大５５個の送信可能なフィードバック状態を有することができ、これを表現するためのＡＣＫ／ＮＡＣＫのペイロード（ｐａｙｌｏａｄ）のサイズは計１２ビット（ｂｉｔｓ）になる（もし、ＤＴＸをＮＡＣＫと同様に処理すれば、フィードバック状態の数は４５個となり、これを表現するためのＡＣＫ／ＮＡＣＫのペイロードのサイズは計１０ビットになる）。
【０２２０】
既存のＲｅｌ−８  ＴＤＤシステムに適用される前記ＡＣＫ／ＮＡＣＫ多重化（ｍｕｌｔｉｐｌｅｘｉｎｇ）（即ち、ＡＣＫ／ＮＡＣＫ選択）方法では、基本的に各ＵＥのＰＵＣＣＨ資源確保のために該当ＵＥの各ＰＤＳＣＨをスケジューリングするＰＤＣＣＨに対応する（即ち、最下位（ｌｏｗｅｓｔ）のＣＣＥインデックスとリンクされている）暗示的（ｉｍｐｌｉｃｉｔ）ＰＵＣＣＨ資源を使用する暗示的ＡＣＫ／ＮＡＣＫ選択（ｓｅｌｅｃｔｉｏｎ）方式を考慮している。一方、ＬＴＥ−Ａ  ＦＤＤシステムでは、基本的にＵＥ−特定的（ｓｐｅｃｉｆｉｃ）に設定される一つの特定ＵＬ  ＣＣを介して複数のＤＬ  ＣＣを介して送信された複数のＰＤＳＣＨに対する複数のＡＣＫ／ＮＡＣＫ送信を考慮しており、このため、特定又は一部又は全てのＤＬ  ＣＣをスケジューリングするＰＤＣＣＨにリンクされている（即ち、最下位（ｌｏｗｅｓｔ）のＣＣＥインデックスｎ＿ＣＣＥにリンクされている、或いはｎ＿ＣＣＥとｎ＿ＣＣＥ＋１にリンクされている）暗示的ＰＵＣＣＨ資源又は該当暗示的ＰＵＣＣＨ資源とＲＲＣシグナリング（ｓｉｇｎａｌｉｎｇ）を介して各ＵＥに予め予約された明示的（ｅｘｐｌｉｃｉｔ）ＰＵＣＣＨ資源との組み合わせを使用するＡＣＫ／ＮＡＣＫ選択（ｓｅｌｅｃｔｉｏｎ）方式を考慮している。
【０２２１】
一方、ＬＴＥ−Ａ  ＴＤＤシステムでも、複数のＣＣが併合（ａｇｇｒｅｇａｔｉｏｎ）（即ち、ＣＡ）された状況が考慮でき、これによって、複数のＤＬサブフレーム（ｓｕｂｆｒａｍｅ）と複数のＣＣを介して送信された複数のＰＤＳＣＨに対する複数のＡＣＫ／ＮＡＣＫ情報／信号を、該当複数のＤＬサブフレームに対応するＵＬサブフレームで特定ＣＣ（即ち、Ａ／Ｎ  ＣＣ）を介して送信することを考慮している。ここでは、前記ＬＴＥ−Ａ  ＦＤＤとは異なり、ＵＥに割り当てられた全てのＣＣを介して送信されることができる最大ＣＷの数に対応する複数のＡＣＫ／ＮＡＣＫを、複数のＤＬサブフレーム（即ち、ＳＦ）のすべてに対して送信する方式（即ち、フル（ｆｕｌｌ）ＡＣＫ／ＮＡＣＫ）を考慮するか、又はＣＷ及び／又はＣＣ及び／又はＳＦ領域（ｄｏｍａｉｎ）に対してＡＣＫ／ＮＡＣＫバンドリング（ｂｕｎｄｌｉｎｇ）を適用し、全体送信のＡＣＫ／ＮＡＣＫの数を減らして送信する方式（即ち、バンドリングされた（ｂｕｎｄｌｅｄ）ＡＣＫ／ＮＡＣＫ）が考慮できる（ここで、ＣＷバンドリングの場合、各ＤＬ  ＳＦに対してＣＣ別にＣＷに対するＡＣＫ／ＮＡＣＫバンドリングを適用することを意味し、ＣＣバンドリンクの場合、各ＤＬ  ＳＦに対して全ての又は一部ＣＣに対するＡＣＫ／ＮＡＣＫバンドリングを適用することを意味し、ＳＦバンドリングの場合、各ＣＣに対して全ての又は一部ＤＬ  ＳＦに対するＡＣＫ／ＮＡＣＫバンドリングを適用することを意味する。特徴的に、ＳＦバンドリング方法として、ＣＣそれぞれに対して受信された全てのＰＤＳＣＨ又はＤＬグラント（ｇｒａｎｔ）ＰＤＣＣＨに対して、ＣＣ別ＡＣＫの合計数（或いは、一部ＡＣＫの個数）を知らせるＡＣＫ−カウンター（ｃｏｕｎｔｅｒ）方式を考慮することができる）。このとき、ＵＥ別ＡＣＫ／ＮＡＣＫペイロード（ｐａｙｌｏａｄ）、即ち、各ＵＥ別に設定されたフル（ｆｕｌｌ）又はバンドルされた（ｂｕｎｄｌｅｄ）ＡＣＫ／ＮＡＣＫ送信のためのＡＣＫ／ＮＡＣＫのペイロードのサイズに応じて、マルチビットＡＣＫ／ＮＡＣＫ符号化（ｍｕｌｔｉ−ｂｉｔ  ＡＣＫ／ＮＡＣＫ  ｃｏｄｉｎｇ）或いはＡＣＫ／ＮＡＣＫ選択（ｓｅｌｅｃｔｉｏｎ）ベースのＡＣＫ／ＮＡＣＫ送信技法を構成可能（ｃｏｎｆｉｇｕｒａｂｌｅ）に適用することができる。
【０２２２】
ＡＣＫ／ＮＡＣＫ  ｔｒａｎｓｍｉｓｓｉｏｎ  ｆｏｒ  ＬＴＥ−Ａ
ＬＴＥ−Ａシステムでは、複数のＤＬ  ＣＣを介して送信された複数のＰＤＳＣＨに対する複数のＡＣＫ／ＮＡＣＫ情報／信号を特定ＵＬ  ＣＣを介して送信することを支援する。このため、既存のＲｅｌ−８  ＬＴＥにおけるＰＵＣＣＨフォーマット１ａ／１ｂを用いたＡＣＫ／ＮＡＣＫ送信とは異なり、ＰＵＣＣＨフォーマット３を介して複数のＡＣＫ／ＮＡＣＫ情報を送信することができる。
【０２２３】
図１７は、一般ＣＰ（ｃｙｃｌｉｃ  ｐｒｅｆｉｘ）を有するＰＵＣＣＨフォーマット３にＡＣＫ／ＮＡＣＫチャネルの構造を示す。
【０２２４】
図１７でのように、シンボルシーケンス（ｓｅｑｕｅｎｃｅ）がＯＣＣ（Ｏｒｔｈｏｇｏｎａｌ  Ｃｏｖｅｒ  Ｃｏｄｅ）によって時間領域拡散（ｔｉｍｅ−ｄｏｍａｉｎ  ｓｐｒｅａｄｉｎｇ）されて送信される形態であり、ＯＣＣを用いて同じＲＢに種々のＵＥの制御信号を多重化させることができる。前記のＰＵＣＣＨフォーマット２では、１つのシンボルシーケンスが時間領域にわたって送信され、ＣＡＺＡＣシーケンスの循環シフトを用いて、ＵＥ多重化を行う反面、ＰＵＣＣＨフォーマット３の場合、１つのシンボルシーケンスが周波数領域にわたって送信され、ＯＣＣベースの時間領域拡散（ｔｉｍｅ−ｄｏｍａｉｎ  ｓｐｒｅａｄｉｎｇ）を用いてＵＥ多重化（ＵＥ  ｍｕｌｔｉｐｌｅｘｉｎｇ）を行う。図１７では、１つのシンボルシーケンスを長さ−５（ｓｐｒｅａｄｉｎｇ  ｆａｃｔｏｒ＝５）のＯＣＣを用いて５個のＳＣ−ＦＤＭＡシンボルを生成させて送信する方法を示す。図１７の例題では、１スロットの間に計２個のＲＳシンボルを使用したが、３個のＲＳシンボルを使用し、ｓｐｒｅａｄｉｎｇ  ｆａｃｔｏｒ＝４のＯＣＣを用いる方式等多様な応用も考慮できる。ここで、ＲＳシンボルは、特定の循環シフトを有するＣＡＺＡＣシーケンスから生成でき、時間領域の複数のＲＳシンボルに特定のＯＣＣが適用された（即ち、掛けられた）形態で送信できる。図の例示で各ＳＣ−ＦＤＭＡシンボル別に１２個の変調シンボルが使用され、各変調シンボルはＱＰＳＫを使用すると仮定する場合、各スロット別に送信できる最大のビット数は、１２×２＝２４ビットとなる。従って、２個のスロットで送信できるビット数は、計４８ビットとなる。
【０２２５】
説明の便宜のために、ＰＵＣＣＨフォーマット２又はＥ−ＰＵＣＣＨフォーマットを使用する、このようなチャネルコーディングベースの複数のＡＣＫ／ＮＡＣＫ送信方式を「マルチビットＡＣＫ／ＮＡＣＫコーディング」送信方法と称する。この方法は、複数のＤＬ  ＣＣのＰＤＳＣＨに対するＡＣＫ／ＮＡＣＫ又はＤＴＸ情報（ＰＤＣＣＨを受信／検出できないということを意味）をチャネルコーディングして生成されたＡＣＫ／ＮＡＣＫコードされたブロックを送信する方法を示す。例えば、端末があるＤＬ  ＣＣでＳＵ−ＭＩＭＯモードで動作し、２個のコードワード（ＣＷ）を受信すれば、そのＣＣに対してＣＷ別にＡＣＫ／ＡＣＫ、ＡＣＫ／ＮＡＣＫ、ＮＡＣＫ／ＡＣＫ、ＮＡＣＫ／ＮＡＣＫの計４個のフィードバック状態を送信するか、ＤＴＸまで含めて最大５個のフィードバック状態を有することができる。また、もし端末が単一のＣＷ受信をすれば、ＡＣＫ、ＮＡＣＫ、ＤＴＸの最大３個の状態を有することができる（もし、ＮＡＣＫをＤＴＸと同様に処理すれば、ＡＣＫ、ＮＡＣＫ／ＤＴＸの計２個の状態を有することができる）。従って、もし端末が最大５個のＤＬ  ＣＣを併合（ａｇｇｒｅｇａｔｉｏｎ）し、全てのＣＣでＳＵ−ＭＩＭＯモードで動作すれば、最大５５個の送信可能なフィードバック状態を有することができ、これを表現するためのＡＣＫ／ＮＡＣＫのペイロードのサイズは、計１２ビットとなる（もし、ＤＴＸをＮＡＣＫと同様に処理すれば、フィードバック状態の数は４５個となり、これを表現するためのＡＣＫ／ＮＡＣＫのペイロードのサイズは、計１０ビットとなる）。
【０２２６】
既存のＲｅｌ−８  ＴＤＤシステムに適用される前記のＡＣＫ／ＮＡＣＫ多重化（即ち、ＡＣＫ／ＮＡＣＫ選択）方法では、基本的に各ＵＥのＰＵＣＣＨ資源の確保のために、該当ＵＥの各ＰＤＳＣＨをスケジューリングするＰＤＣＣＨに対応する（即ち、最下位のＣＣＥインデックスとリンクされている）暗示的ＰＵＣＣＨ資源を使用する暗示的ＡＣＫ／ＮＡＣＫ選択の方式を考慮している。一方、ＬＴＥ−Ａ  ＦＤＤシステムでは、基本的にＵＥ−特定的に設定される１つの特定ＵＬ  ＣＣを介して複数のＤＬ  ＣＣを介して送信された複数のＰＤＳＣＨに対する複数のＡＣＫ／ＮＡＣＫ送信を考慮しており、このため、特定又は一部又は全てのＤＬ  ＣＣをスケジューリングするＰＤＣＣＨにリンクされている（即ち、最下位のＣＣＥインデックスｎ＿ＣＣＥにリンクされている、又はｎ＿ＣＣＥとｎ＿ＣＣＥ＋１にリンクされている）暗示的ＰＵＣＣＨ資源又は該当暗示的ＰＵＣＣＨ資源とＲＲＣシグナリングを介して各ＵＥに予め予約された明示的ＰＵＣＣＨ資源との組み合わせを使用する「ＡＣＫ／ＮＡＣＫ選択」方式を考慮している。
【０２２７】
一方、ＬＴＥ−Ａ  ＴＤＤシステムでも、複数のＣＣが併合（ａｇｇｒｅｇａｔｉｏｎ）（ＣＡ）された状況を考慮することができ、これによって複数のＤＬサブフレームと複数のＣＣを介して送信された複数のＰＤＳＣＨに対する複数のＡＣＫ／ＮＡＣＫ情報／信号を、該当複数のＤＬサブフレームに対応するＵＬサブフレームで特定ＣＣ（即ち、Ａ／Ｎ  ＣＣ）を介して送信することを考慮している。ここでは、前記のＬＴＥ−Ａ  ＦＤＤとは異なり、ＵＥに割り当てられた全てのＣＣを介して送信されることができる最大ＣＷの数に対応する複数のＡＣＫ／ＮＡＣＫを、複数のＤＬサブフレーム（即ち、ＳＦ）の全てに対して送信する方式（即ち、フルＡＣＫ／ＮＡＣＫ）を考慮するか、又はＣＷ及び／又はＣＣ及び／又はＳＦ領域に対してＡＣＫ／ＮＡＣＫバンドリングを適用して全体送信のＡＣＫ／ＮＡＣＫの数を減らして送信する方式（即ち、バンドルされたＡＣＫ／ＮＡＣＫ）を考慮することができる（ここで、ＣＷバンドリングの場合、各ＤＬ  ＳＦに対してＣＣ別にＣＷに対するＡＣＫ／ＮＡＣＫバンドリングを適用することを意味し、ＣＣバンドリングの場合、各ＤＬ  ＳＦに対して全ての又は一部ＣＣに対するＡＣＫ／ＮＡＣＫバンドリングを適用することを意味し、ＳＦバンドリングの場合、各ＣＣに対して全ての又は一部ＤＬ  ＳＦに対するＡＣＫ／ＮＡＣＫバンドリングを適用することを意味する。特徴的に、ＳＦバンドリングの方法として、ＣＣのそれぞれに対して受信された全てのＰＤＳＣＨ又はＤＬグラントＰＤＣＣＨに対して、ＣＣ別ＡＣＫの合計数（又は、一部ＡＣＫの個数）を知らせる「ＡＣＫ−カウンター」方式を考慮することができる）。このとき、ＵＥ別ＡＣＫ／ＮＡＣＫのペイロード、即ち、各ＵＥ別に設定されたフル又はバンドルされた（ｆｕｌｌ  ｏｒ  ｂｕｎｄｌｅｄ）ＡＣＫ／ＮＡＣＫ送信のためのＡＣＫ／ＮＡＣＫのペイロードのサイズに応じて、「マルチビットＡＣＫ／ＮＡＣＫコーディング」又は「ＡＣＫ／ＮＡＣＫ選択」ベースのＡＣＫ／ＮＡＣＫ送信技法を構成可能に適用することができる。
【０２２８】
次世代の無線通信システムでは、広い周波数帯域を使用し、多様なサービス又は要求事項の支援を志向している。一例として、３ＧＰＰのＮＲ（Ｎｅｗ  Ｒａｄｉｏ）要件（ｒｅｑｕｉｒｅｍｅｎｔ）を見ると、代表シナリオのうち一つであるＵＲＬＬＣ（Ｕｌｔｒａ  Ｒｅｌｉａｂｌｅ  ａｎｄ  Ｌｏｗ  Ｌａｔｅｎｃｙ  Ｃｏｍｍｕｎｉｃａｔｉｏｎｓ）の場合、０．５ｍｓのユーザプレーンの遅延時間とＸバイトのデータを１ｍｓ内に１０＾−５のエラー率以内に送信すべき低遅延高信頼の要求事項が必要であることがある。
【０２２９】
また、ＵＲＬＬＣのトラフィックは、トラフィック容量が大きなｅＭＢＢ（ｅｎｈａｎｃｅｄ  Ｍｏｂｉｌｅ  ＢｒｏａｄＢａｎｄ）と異なり、ファイルのサイズが数十乃至数百バイト以内であり、散発的に（ｓｐｏｒａｄｉｃａｌｌｙ）発生するという特徴がある。
【０２３０】
従って、ｅＭＢＢには伝送率を極大化し、制御情報のオーバーヘッドを最小化する送信が要求されるのに対して、ＵＲＬＬＣには短いスケジューリング時間単位と信頼性のある送信方法が要求される。
【０２３１】
物理チャネルを送受信するために仮定及び／又は利用される基準時間単位は、応用分野又はトラフィック（ｔｒａｆｆｉｃ）の種類によって多様に設定されることができる。前記基準時間は、特定の物理チャネルをスケジューリング（ｓｃｈｅｄｕｌｉｎｇ）する基本単位であり得る。該当スケジューリング単位を構成するシンボルの個数及び／又はサブキャリア間隔（ｓｕｂｃａｒｒｉｅｒ  ｓｐａｃｉｎｇ）等によって基準時間の単位が変わり得る。
【０２３２】
本明細書は、説明の便宜上、基準時間の単位としてスロット（ｓｌｏｔ）とミニスロット（ｍｉｎｉ−ｓｌｏｔ）に基づいて説明するようにする。スロットは、一例として一般的なデータトラフィック（ｄａｔａ  ｔｒａｆｆｉｃ）（例：ｅＭＢＢ）に使用されるスケジューリングの基本単位であり得る。
【０２３３】
ミニスロットは、時間領域（ｔｉｍｅ  ｄｏｍａｉｎ）でスロットよりも時間区間が小さいものであってもよい。より特別な目的のトラフィック（ｔｒａｆｆｉｃ）又は通信方式（例：ＵＲＬＬＣ、免許不要帯域（ｕｎｌｉｃｅｎｓｅｄ  ｂａｎｄ）、又はミリ波（ｍｉｌｌｉｍｅｔｅｒ  ｗａｖｅ）等）で使用するスケジューリングの基本単位であってもよい。
【０２３４】
しかし、一例示に過ぎず、ｅＭＢＢがミニスロットに基づいて物理チャネルを送受信する場合及び／又はＵＲＬＬＣや他の通信技法がスロットに基づいて物理チャネルを送受信する場合にも、本明細書で提案する方法が拡張されて適用できることは自明である。
【０２３５】
以下、本明細書は、既存のフィールドを再解釈してＰＤＳＣＨ（ｐｈｙｓｉｃａｌ  ｄｏｗｎｌｉｎｋ  ｓｈａｒｅｄ  ｃｈａｎｎｅｌ）の繰り返しに関する情報が指示されるようにする方法（以下、第１実施例）、及び、ＰＤＳＣＨの繰り返しに関する動作の可否によるＣＦＩの解釈方法（以下、第２実施例）、及び、ＨＡＲＱ−ＡＣＫを送信するためのＰＵＣＣＨ資源を決定する方法（以下、第３実施例）、及び、一定時間内の特定ＴＴＩに対するＰＤＳＣＨのデコーディングの可否を報告する方法（以下、第４実施例）、及び、ＰＤＳＣＨに対するＨＡＲＱ−ＡＣＫの報告可否を指示、及び／又は設定する方法（以下、第５実施例）、特定の遅延及び／又は信頼性の要求事項を支援するための動作の可否を設定及び／又は報告する方法（以下、第６実施例）、ＰＤＳＣＨの繰り返し動作でダウンリンクデータを送信することができないＴＴＩが発生する場合、ＰＤＳＣＨの繰り返し受信の信頼性を向上させるための方法（以下、第７実施例）、及び、複数の連続したサブフレームにかけたＴＴＩに対するＤＬ  ＤＭＲＳ共有（ｓｈａｒｉｎｇ）の許容可否を決定及び／又は設定する方法（以下、第８実施例）、及びＰＤＳＣＨの繰り返し動作で異なるサブフレームタイプによるＰＤＳＣＨ受信の信頼性の低下を解決するための方法（以下、第９実施例）、ＰＤＳＣＨの繰り返し送信で無効ＴＴＩによる時間遅延を減らすための方法（以下、第１０実施例）、及び、ＰＤＳＣＨの繰り返し動作でＰＣＦＩＣＨのデコーディングエラーによるＰＤＳＣＨ受信の信頼性の低下を解決するための方法（以下、第１１実施例）について提案する。
【０２３６】
以下、本明細書で説明される実施例は、説明の便宜のために区分されたものであるだけで、ある実施例の一部方法及び／又は一部構成等が別の実施例の方法及び／又は構成等と置換するか、相互結合して適用できることはもちろんである。
【０２３７】
また、以下、本明細書で説明される実施例で言及されるスロット（ｓｌｏｔ）、サブフレーム（ｓｕｂｆｒａｍｅ）、フレーム（ｆｒａｍｅ）などは、無線通信システムで利用される一定の時間単位（ｔｉｍｅ  ｕｎｉｔ）の具体的な例に該当し得る。即ち、本明細書で提案する方法を適用することにおいて、時間単位等は、また別の無線通信システムで適用される別の時間単位に代替されて適用されることもある。
【０２３８】
第１実施例
既存のフィールドを再解釈し、ＰＤＳＣＨ（ｐｈｙｓｉｃａｌ  ｄｏｗｎｌｉｎｋ  ｓｈａｒｅｄ  ｃｈａｎｎｅｌ）の繰り返しに関する情報が指示されるようにする方法について見る。
【０２３９】
ＰＤＳＣＨの送信の信頼性（ｒｅｌｉａｂｉｌｉｔｙ）向上のために、ＨＡＲＱ（Ｈｙｂｒｉｄ  Ａｕｔｏｍａｔｉｃ  Ｒｅｐｅａｔ  ａｎｄ  ｒｅｑｕｅｓｔ）−ＡＣＫ（Ａｃｋｎｏｗｌｅｄｇｅｍｅｎｔ）送信をせず、同じＴＢ（Ｔｒａｎｓｐｏｒｔ  Ｂｌｏｃｋ）に対して複数のＴＴＩ（Ｔｒａｎｓｍｉｓｓｉｏｎ  Ｔｉｍｅ  Ｉｎｔｅｒｖａｌ）にかけて繰り返して送信する案が考慮できる（即ち、ｂｌｉｎｄ／ＨＡＲＱ−ｌｅｓｓ  ＰＤＳＣＨ  ｒｅｐｅｔｉｔｉｏｎ）。このような同じＴＢの繰り返しは、ＤＣＩ（ｄｏｗｎｌｉｎｋ  ｃｏｎｔｒｏｌ  ｉｎｆｏｒｍａｔｉｏｎ）で繰り返し（ｒｅｐｅｔｉｔｉｏｎ）の回数を指示することによって、スケジューリングされることができる。或いは、同じＴＢの繰り返しは、上位層の信号を介して繰り返し回数を設定することによって、スケジューリングされることができる。或いは、同じＴＢの繰り返しは（連続された又は一定持続時間（ｔｉｍｅ  ｄｕｒａｔｉｏｎ）内の）ＴＴＩに対して同じＨＡＲＱ  ｐｒｏｃｅｓｓ  ＩＤ及び／又はｎｏｎ−ｔｏｇｇｌｅｄ  ＮＤＩ（Ｎｅｗ  Ｄａｔａ  Ｉｎｄｉｃａｔｏｒ）を使用することによってスケジューリングする案が考慮できる。
【０２４０】
ＰＤＳＣＨの送信性能は、ＰＤＣＣＨをどれくらい正確にデコーディング（ｄｅｃｏｄｉｎｇ）できるかによって影響を受けることがある。これは、ＰＤＣＣＨのデコーディングが失敗する場合、これをスケジューリングするＰＤＳＣＨのデコーディングもまた成功することが事実上可能ではないためである。
【０２４１】
前記繰り返し動作のために、ＤＣＩフィールド（ｆｉｅｌｄ）が追加される案を考慮すれば、これはＰＤＣＣＨのペイロード（ｐａｙｌｏａｄ）を増加させて、結果、ＰＤＣＣＨのデコーディング性能を低下させることもできるので、好ましくないかもしれない。従って、ＰＤＣＣＨのデコーディング性能の低下を避けるために、及び／又は端末の更なるブラインドデコーディング（ｂｌｉｎｄ  ｄｅｃｏｄｉｎｇ、ＢＤ）の試みを止揚するために、既存のＤＣＩフォーマットのサイズ（ｓｉｚｅ）を維持することが好ましいかもしれない。
【０２４２】
従って、一例として、ＨＡＲＱ  ｐｒｏｃｅｓｓ  ＩＤ、ＲＶ（ｒｅｄｕｎｄａｎｃｙ  ｖｅｒｓｉｏｎ）、ＮＤＩ、ＴＰＣ（ｔｒａｎｓｍｉｔ  ｐｏｗｅｒ  ｃｏｎｔｒｏｌ）コマンド、ＤＡＩ（ｄｏｗｎｌｉｎｋ  ａｓｓｉｇｎｍｅｎｔ  ｉｎｄｅｘ）、そして／又はＡＲＩ（ａｃｋｎｏｗｌｅｄｇｅｍｅｎｔ  ｒｅｓｏｕｒｃｅ  ｉｎｄｉｃａｔｏｒ）のようなフィールドを使用し、ＰＤＳＣＨの繰り返し可否及び／又は回数に関する情報が指示されるように規則が定義、約束及び／又は設定できる。言い換えると、前記フィールドのうち一部を再解釈し、既存のＤＣＩフォーマットからフィールドの追加なく、及び／又はサイズの変更なく（及び／又は既存のＢＤに対して更なるＢＤの設定なく）、ＰＤＳＣＨの繰り返し可否／回数に関する情報が指示されるように規則が定義、約束及び／又は設定できる。ここで、再解釈は、特定のフィールド値をＰＤＳＣＨの繰り返し可否／回数に関する情報に対する値と解釈することを意味し得る。
【０２４３】
ここで、ＨＡＲＱ  ｐｒｏｃｅｓｓ  ＩＤ、ＲＶ、ＮＤＩ、ＴＰＣコマンド、ＤＡＩ、及び／又はＡＲＩのようなフィールドは、ＨＡＲＱフィードバック（ｆｅｅｄｂａｃｋ）と関連したフィールドである。低遅延の要求事項（ｌａｔｅｎｃｙ  ｒｅｑｕｉｒｅｍｅｎｔ）が１ｍｓである場合、ＨＡＲＱ−ＡＣＫフィードバック（による再送信（ｒｅｔｒａｎｓｍｉｓｓｉｏｎ））は考慮する必要がないため、前記フィールドを再解釈して別の情報の指示用途で使用することが可能である。前記特定のフィールドを再解釈してＰＤＳＣＨの繰り返し可否及び／又は回数に関する情報が指示される動作は、端末が該当動作をすべきか否かが上位層の信号を介して設定されることができる。或いは、ｂｌｉｎｄ／ＨＡＲＱ−ｌｅｓｓ  ＰＤＳＣＨの繰り返し動作が上位層の信号を介して可能に（ｅｎａｂｌｅ）なった場合にのみ、前記特定のフィールドのうち一部を再解釈し、ＰＤＳＣＨの繰り返し可否及び／又は回数に関する情報が指示されるように規則が定義、約束及び／又は設定されることもできる。
【０２４４】
そして／又は、前記フィールドのうち一部を再解釈し、既存のＤＣＩフォーマットからフィールドの追加なく、そして／又はサイズの変更なく（そして／又は既存のＢＤに対して更なるＢＤの設定なく）、繰り返し中のＰＤＳＣＨのｉｎｔｅｒ−ＴＴＩ  ｈｏｐｐｉｎｇに関する情報が指示されるように規則が定義、約束及び／又は設定できる。周波数ダイバーシティ（ｄｉｖｅｒｓｉｔｙ）の利得はｉｎｔｅｒ−ＴＴＩ  ｈｏｐｐｉｎｇを介して期待されることができる。また、これを介して、繰り返し中のＰＤＳＣＨのデコーディング性能をより向上させることができる。
【０２４５】
前記フィールドのうち一部を再解釈し、既存のＤＣＩフォーマットからフィールドの追加なく、そして／又はサイズの変更なく（そして／又は既存のＢＤに対して更なるＢＤの設定なく）、繰り返し中のＰＤＳＣＨのｉｎｔｅｒ−ＴＴＩ  ｈｏｐｐｉｎｇに関する情報が指示される動作が行われる場合、該当動作をすべきか否かが上位層の信号を介して端末に設定されることができる。或いは、ｂｌｉｎｄ／ＨＡＲＱ−ｌｅｓｓ  ＰＤＳＣＨの繰り返し動作が上位層の信号を介して可能に（ｅｎａｂｌｅ）なった場合にのみ、前記フィールドのうち一部を再解釈し、繰り返し中のＰＤＳＣＨのｉｎｔｅｒ−ＴＴＩ  ｈｏｐｐｉｎｇに関する情報が指示されるように規則が定義、約束及び／又は設定できる。ここで、ｉｎｔｅｒ−ＴＴＩ  ｈｏｐｐｉｎｇに関する情報は、一例として、複数のＴＴＩに同じＴＢが繰り返されて送信される場合、各ＴＴＩにどんな周波数資源（ｆｒｅｑｕｅｎｃｙ  ｒｅｓｏｕｒｃｅ）を使用するかに対する（ｐａｔｔｅｒｎ／ｏｆｆｓｅｔ）情報を意味することができる。
【０２４６】
そして／又はＰＤＳＣＨのｉｎｔｅｒ−ＴＴＩ  ｈｏｐｐｉｎｇ動作が設定及び／又は指示される場合、ＤＭＲＳ共有を指示するフィールドを再解釈することができる。繰り返し中のＰＤＳＣＨのｉｎｔｅｒ−ＴＴＩ  ｈｏｐｐｉｎｇ動作が設定及び／又は指示される場合、ＤＭＲＳ共有が、動作は好ましくないかもしれない。ＤＭＲＳ共有を適用しようとする複数のＴＴＩは、少なくとも同じＰＲＧ（ｐｒｅｃｏｄｉｎｇ  ｒｅｓｏｕｒｃｅ  ｂｌｏｃｋ  ｇｒｏｕｐ）を使用すべきであるが、周波数ダイバーシティの利得を得るためのホッピング動作は、できる限り異なる周波数資源を利用しなければならないためである。従って、繰り返し中のＰＤＳＣＨのｉｎｔｅｒ−ＴＴＩ  ｈｏｐｐｉｎｇの動作が設定及び／又は指示される場合、ＤＭＲＳ共有を指示するフィールドが再解釈されて、ＰＤＳＣＨの繰り返し可否及び／又は回数に関する情報、そして／又は繰り返し中のＰＤＳＣＨのｉｎｔｅｒ−ＴＴＩ  ｈｏｐｐｉｎｇに関する情報が指示されるように規則が定義、約束及び／又は設定されることもできる。
【０２４７】
第２実施例
ＰＤＳＣＨの繰り返しに関する動作の可否によるＣＦＩの解釈方法について見る。
ＵＲＬＬＣ送受信の信頼性は、制御チャネルの信頼性によって影響を受けることがあるが、特に、ＰＣＦＩＣＨ（Ｐｈｙｓｉｃａｌ  Ｃｏｎｔｒｏｌ  Ｆｏｒｍａｔ  Ｉｎｄｉｃａｔｏｒ  ｃｈａｎｎｅｌ）のデコーディング性能に大きく影響を受けることがある。端末がＰＣＦＩＣＨを誤ってデコーディングし、制御チャネル領域（例：制御チャネルが占めるシンボルの数）を誤って認知した場合、制御チャネルの信頼性に悪影響を及ぼすことがあり（サブスロット動作の場合）、端末がＤＬ（ｄｏｗｎｌｉｎｋ）ＴＴＩの境界を基地局と異なって理解してデコーディングを行うこともある。これを防止するために、上位層の信号を介して制御チャネル領域に対する情報を端末に設定する案が考慮されている。
【０２４８】
従って、端末は、次のような方法でＰＣＦＩＣＨに基づいたＣＦＩ（ｃｏｎｔｒｏｌ  ｆｏｒｍａｔ  ｉｎｄｉｃａｔｏｒ）値に従うか、上位層の信号を介したＣＦＩ値に従うかを決定することができる。
【０２４９】
以下、説明される方法は、説明の便宜のために区分されたものであるだけで、ある方法の構成が別の方法の構成と置換されるか、相互結合して適用できることはもちろんである。
【０２５０】
（方法１）
ｂｌｉｎｄ／ＨＡＲＱ−ｌｅｓｓ  ＰＤＳＣＨ（又は、ＨＡＲＱ−ｌｅｓｓ及び／又はｂｌｉｎｄ  ＰＤＳＣＨ）の繰り返し動作の可能（ｅｎａｂｌｅ）か否かが上位層の信号で定義される場合、そして／又は第１実施例で前述した既存のＤＣＩフォーマットの特定のフィールドに対する再解釈を介したＰＤＳＣＨの繰り返し可否及び／又は回数に関する情報の指示動作の可否が上位層の信号で定義、約束、及び／又は設定される場合、そして／又は、特定のフィールドの再解釈を介した繰り返し中のＰＤＳＣＨのｉｎｔｅｒ−ＴＴＩ  ｈｏｐｐｉｎｇに関する情報が指示される動作の可否が上位層の信号で定義、約束、及び／又は設定される場合、端末がＰＣＦＩＣＨに基づいたＣＦＩ値に従うか、又は上位層の信号を介して設定されたＣＦＩ値に従うか否かが異なって決定されることができる。即ち、上位層の信号によってｂｌｉｎｄ／ＨＡＲＱ−ｌｅｓｓ  ＰＤＳＣＨの繰り返し動作が可能な場合には、端末が上位層の信号を介して設定されたＣＦＩ値に従い、可能ではない場合には、端末がＰＣＦＩＣＨに基づいたＣＦＩ値に従うように規則が定義できる。
【０２５１】
（方法２）
上位層の信号によって、既存のＤＣＩフォーマットの特定フィールドに対する再解釈を介したＰＤＳＣＨの繰り返し可否及び／又は回数に関する情報の指示動作が可能になった場合には、端末が上位層の信号を介して設定されたＣＦＩ値に従い、可能ではない場合には、端末がＰＣＦＩＣＨに基づいたＣＦＩ値に従うように規則が定義できる。
【０２５２】
（方法３）
繰り返し回数が一定以下である場合と、残りの場合の端末のＣＦＩ解釈方法が異なって決定されることもできる。繰り返し回数が高い場合、より多くの数の繰り返しが必要であるという意味であり、これは、チャネル状況がよくないこともあるという意味と解釈され得るが、このような場合、端末がＰＣＦＩＣＨのデコーディングに依存するよりは、上位層の信号として事前に設定された値をＣＦＩ値に使用することがよりよいことがある。従って、ＰＤＳＣＨの繰り返し回数が一定以下である場合、端末がＰＣＦＩＣＨに基づいたＣＦＩ値に従い、一定を超えた場合には、端末が上位層の信号を介して設定されたＣＦＩ値に従うように規則が定義されることもできる。
【０２５３】
（方法４）
上位層の信号によって既存のＤＣＩフォーマットの特定フィールドに対する再解釈を介した繰り返し中のＰＤＳＣＨのｉｎｔｅｒ−ＴＴＩ  ｈｏｐｐｉｎｇに関する情報が指示される動作が可能になった場合には、端末が上位層の信号を介して設定されたＣＦＩ値に従い、可能ではない場合には、端末がＰＣＦＩＣＨに基づいたＣＦＩ値に従うように規則が定義できる。
【０２５４】
（方法５）
ＰＤＣＣＨの信頼性向上のためにＤＣＩのペイロードを既存に比べてより減らそうとすれば（即ち、ｃｏｍｐａｃｔ  ＤＣＩの導入）、このようなＤＣＩフォーマットに対するモニタリング（ｍｏｎｉｔｏｒｉｎｇ）が設定されたＴＴＩ又は該当ＴＴＩを含むサブフレーム（ｓｕｂｆｒａｍｅ）内では、端末が上位層の信号を介して設定されたＣＦＩ値に従い、このようなＤＣＩフォーマットに対するモニタリングが設定されないＴＴＩ又はそのＴＴＩを含むサブフレーム内では、端末がＰＣＦＩＣＨに基づいたＣＦＩ値に従うように規則が定義できる。
【０２５５】
第３実施例
ＨＡＲＱ−ＡＣＫを送信するためのＰＵＣＣＨ資源を決定する方法について見る。
【０２５６】
既存のＤＣＩフォーマットのＡＲＩフィールドに対する再解釈を介して、繰り返し可否及び／又は回数に関する情報、又はｉｎｔｅｒ−ＴＴＩ  ｈｏｐｐｉｎｇに関する情報が指示される場合、端末はＨＡＲＱ−ＡＣＫ資源（ｒｅｓｏｕｒｃｅ）の決定に曖昧性（ａｍｂｉｇｕｉｔｙ）が発生し得る。
【０２５７】
このような曖昧性を防止するために、次の方法のように規則が定義、約束及び／又は設定されるようにすることができる。
【０２５８】
以下、説明される方法は、説明の便宜のために区分されたものであるだけで、ある方法の構成が別の方法の構成と置換されるか、相互結合して適用できることはもちろんである。
【０２５９】
（方法１）
既存のＤＣＩフォーマットのＡＲＩフィールドに対する再解釈を介して、繰り返し可否及び／又は回数に関する情報、又はｉｎｔｅｒ−ＴＴＩ  ｈｏｐｐｉｎｇに関する情報が指示される場合、端末は事前に別途定義されたＰＵＣＣＨ資源を使用してＨＡＲＱ−ＡＣＫを送信するように規則が定義、約束及び／又は設定できる。
【０２６０】
（方法２）
既存のＤＣＩフォーマットのＡＲＩフィールドに対する再解釈を介して、繰り返し可否及び／又は回数に関する情報、又はｉｎｔｅｒ−ＴＴＩ  ｈｏｐｐｉｎｇに関する情報が指示される場合、端末はＡＲＩの各状態（ｓｔａｔｅ）に連動したＰＵＣＣＨ資源のうち、事前に約束された（例：一番目の状態に連動した、又は特定ＰＵＣＣＨフォーマットが設定された資源のうち一番目の状態に連動した）資源を使用するように規則が定義、約束及び／又は設定できる。
【０２６１】
（方法３）
既存のＤＣＩフォーマットのＡＲＩフィールドに対する再解釈を介して繰り返し可否及び／又は回数に関する情報、又はｉｎｔｅｒ−ＴＴＩ  ｈｏｐｐｉｎｇに関する情報が指示される場合、特定ＣＣＥ（Ｃｏｎｔｒｏｌ  Ｃｈａｎｎｅｌ  Ｅｌｅｍｅｎｔ）インデックス（例：最下位のＣＣＥインデックス）に連動したＰＵＣＣＨ資源を使用するように規則が定義、約束及び／又は設定できる。
【０２６２】
そして／また、既存のＤＣＩフォーマットのＴＰＣフィールドに対する再解釈を介して、繰り返し可否及び／又は回数に関する情報、又はｉｎｔｅｒ−ＴＴＩ  ｈｏｐｐｉｎｇに関する情報が指示される場合、ＴＰＣコマンドは、０ｄＢ（即ち、ｎｏ  ａｄｊｕｓｔｍｅｎｔ）と見なされるように規則が定義、約束、及び／又は設定できる。そして／又は、ＴＰＣコマンドによる集積（ａｃｃｕｍｕｌａｔｉｏｎ）が可能ではない場合には、事前に約束及び／又は設定された特定の絶対的な電力（ａｂｓｏｌｕｔｅ  ｐｏｗｅｒ）値が適用されるように規則が定義、約束及び／又は設定できる。
【０２６３】
第４実施例
一定時間内の特定ＴＴＩに対するＰＤＳＣＨのデコーディングの可否を報告する方法について見る。
【０２６４】
前記第１実施例で説明された同じＴＢに対して複数のＴＴＩにかけてデータチャネルが繰り返して送信される動作が考慮される状況で、端末が特定ＴＴＩに対するＰＤＳＣＨのデコーディングを一定時間内に行うことができる場合、成功的にデコーディングすれば、以降のＴＴＩで繰り返し送信されるデータチャネルに対する端末の処理（ｐｒｏｃｅｓｓｉｎｇ）は必要ではない（又は、有用ではない）ことがある。従って、端末はデコーディングの成功以降の処理をスキップ（ｓｋｉｐ）することによって、節電（ｐｏｗｅｒ  ｓａｖｉｎｇ）を期待することができる。
【０２６５】
言い換えると、一定時間内に特定ＴＴＩに対するＰＤＳＣＨのデコーディングを行うことができるか否かが端末の能力（ｃａｐａｂｉｌｉｔｙ）で定義されることができ、これを基地局（又は、ネットワーク）に報告（ｒｅｐｏｒｔ）するように規則が定義、約束及び／又は設定できる。
【０２６６】
ここで、「一定時間」は、ＰＤＳＣＨの受信時点以降から繰り返し送信されるＰＤＳＣＨに対する次のＴＴＩ（又は、事前に定義／設定されただけの時間以降に該当するＴＴＩ）までの時間であってもよい。或いは、一定時間はＰＤＳＣＨの受信時点以降から繰り返し送信されるＰＤＳＣＨに対するスケジューリングＰＤＣＣＨの受信時点までの時間であってもよい。一定時間（ｔｉｍｅ  ｄｕｒａｔｉｏｎ）は事前に定義されるか、端末が能力（ｃａｐａｂｉｌｉｔｙ）報告の際に共に指示されることができる。そして／又は、複数の一定時間が定義、及び／又は指示された場合、端末は複数の一定時間別に特定ＴＴＩに対するＰＤＳＣＨのデコーディングを行うことができるか否かを独立に報告することもある。
【０２６７】
そして／又は、一定時間内に特定ＴＴＩに対するＰＤＳＣＨのデコーディングを行うことができるか否かに対する能力（ｃａｐａｂｉｌｉｔｙ）、そして／又は該当動作に対する基地局の設定（ｃｏｎｆｉｇｕｒａｔｉｏｎ）によって、端末のＨＡＲＱ−ＡＣＫの送信動作が異なって決定されることができる。端末が一定時間内に特定ＴＴＩに対するＰＤＳＣＨのデコーディングを行うことができる場合又は該当動作が設定された場合、端末はＰＤＳＣＨデコーディングが成功した場合、成功したＰＤＳＣＨの受信時点から事前に約束及び／又は設定された処理時間（ｐｒｏｃｅｓｓｉｎｇ  ｔｉｍｅ）以降のタイミング（ｔｉｍｉｎｇ）でＨＡＲＱ−ＡＣＫフィードバック（ｆｅｅｄｂａｃｋ）を行い、以降の繰り返し送信されるＰＤＳＣＨに対してデコーディングが要求されないことがある。また、端末は、以降の繰り返し送信されるＰＤＳＣＨに対してバッファリング（ｂｕｆｆｅｒｉｎｇ）及び／又は連結（ｃｏｍｂｉｎｉｎｇ）が要求されないことがあり、以降の繰り返し送信されるＰＤＳＣＨに対するＨＡＲＱ−ＡＣＫ送信も要求されないことがある。これに対して、前記能力（ｃａｐａｂｉｌｉｔｙ）がない、又は該当動作が設定されない端末の場合には、複数のＴＴＩに繰り返し送信されたＰＤＳＣＨに対して連結した後、最後のＰＤＳＣＨ受信ＴＴＩに対応するＨＡＲＱ−ＡＣＫフィードバックを行うように規則が定義、約束及び／又は設定できる。
【０２６８】
そして／又は、繰り返し送信されるＰＤＳＣＨに対して連結処理をすることができるか否かに対する端末の能力、そして／又は該当動作に対する基地局の設定によって、端末のＨＡＲＱ−ＡＣＫ送信動作が異なって決定されることができる。連結を支援する、又は連結が設定された端末の場合、複数のＴＴＩに繰り返し送信されたＰＤＳＣＨに対して連結の後、最後のＰＤＳＣＨ受信ＴＴＩに対応するＨＡＲＱ−ＡＣＫフィードバックを行い、そうでない端末の場合、それぞれのＴＴＩで受信されたＰＤＳＣＨのそれぞれに対応するＨＡＲＱ−ＡＣＫフィードバックを個別的に行うように規則が定義、約束及び／又は設定できる。
【０２６９】
第５実施例
ＰＤＳＣＨに対するＨＡＲＱ−ＡＣＫの報告可否を指示、及び／又は設定方法について見る。
【０２７０】
特定の遅延（ｌａｔｅｎｃｙ）及び／又は信頼性（ｒｅｌｉａｂｉｌｉｔｙ）の要求事項（ｒｅｑｕｉｒｅｍｅｎｔ）を支援するための動作（ｏｐｅｒａｔｉｏｎ）（例：ｂｌｉｎｄ／ＨＡＲＱ−ｌｅｓｓ  ＰＤＳＣＨの繰り返し）の可否が上位層の信号を介して設定されることができる。そして／又は、遅延及び／又は信頼性の要求事項を支援するか否かそのものが、上位層の信号を介して可否が設定できる。前記設定を受けた端末は、遅延の要求事項によって再送信（ｒｅｔｒａｎｓｍｉｓｓｉｏｎ）及び／又はＨＡＲＱ−ＡＣＫ報告が必要ではないことがある。
【０２７１】
ＰＤＳＣＨの繰り返し可否及び／又は回数が動的に（ｄｙｎａｍｉｃａｌｌｙ）端末に指示されることを仮定する場合、上位層の信号を介してＨＡＲＱ−ＡＣＫ報告可否が決定されることは好ましくないかもしれない。一例として、特定の遅延及び／又は信頼性の要求事項を支援するために、ｂｌｉｎｄ／ＨＡＲＱ−ｌｅｓｓ  ＰＤＳＣＨの繰り返しが上位層の信号を介して設定されたとしても、基地局はトラフィック（ｔｒａｆｆｉｃ）の種類によって該当遅延及び／又は信頼性の要求事項を支援する必要がなく、繰り返しなく、そして／又はＨＡＲＱ−ＡＣＫを介した再送信動作を要求することができるためである。
【０２７２】
従って、物理層の信号を介して、特定ＰＤＳＣＨに対するＨＡＲＱ−ＡＣＫを端末が報告するか否かを指示するように規則が定義、約束及び／又は設定できる。
【０２７３】
前記規則は、特定の遅延及び／又は信頼性の要求事項を支援するための動作（例：ｂｌｉｎｄ／ＨＡＲＱ−ｌｅｓｓ  ＰＤＳＣＨの繰り返し）が上位層の信号を介して可能になった場合に限って適用されるものであってもよい。端末は、前記動的指示（ｄｙｎａｍｉｃ  ｉｎｄｉｃａｔｉｏｎ）がＨＡＲＱ−ＡＣＫ報告を指示する場合、ＰＤＳＣＨの繰り返しバンドル（ｂｕｎｄｌｅ）に対するＨＡＲＱ−ＡＣＫを報告するか、又は繰り返しバンドルに該当する各ＰＤＳＣＨの全体（または一部）に対してＨＡＲＱ−ＡＣＫを報告するように規則が定義、約束、及び／又は設定できる。これに対して、前記動的指示（ｄｙｎａｍｉｃ  ｉｎｄｉｃａｔｉｏｎ）がＨＡＲＱ−ＡＣＫを報告しないように指示する場合、端末はＰＤＳＣＨの繰り返しバンドルをデコーディングするが、ＨＡＲＱ−ＡＣＫは報告しないように規則が定義、約束、及び／又は設定できる。
【０２７４】
前記ＨＡＲＱ−ＡＣＫの報告可否は、明示的に（ｅｘｐｌｉｃｉｔ）追加されたビット（ｂｉｔ）のフィールド（例：動的指示フィールド）によって指示、及び／又は設定されることができる。この場合にも、特定の遅延及び／又は信頼性の要求事項を支援するための動作（例：ｂｌｉｎｄ／ＨＡＲＱ−ｌｅｓｓ  ＰＤＳＣＨの繰り返し）が上位層の信号を介して可能な場合に限って追加されるものであってもよい。
【０２７５】
そして／又は、前記ＨＡＲＱ−ＡＣＫの報告可否は、既存のＤＣＩフィールドを再解釈することによって決定されることができる。
【０２７６】
そして／又は、前記ＨＡＲＱ−ＡＣＫの報告可否は、ＰＤＳＣＨの繰り返し回数によって決定されることができる。一例として、繰り返し回数が一定以下である場合、端末が繰り返しバンドルに対するＨＡＲＱ−ＡＣＫを報告するか、又は繰り返しバンドルに該当する各ＰＤＳＣＨ全体（または、一部）に対してＨＡＲＱ−ＡＣＫを報告するように規則が定義、約束、及び／又は設定できる。これに対して、一定を超えた場合、端末がＰＤＳＣＨの繰り返しバンドルをデコーディングするが、ＨＡＲＱ−ＡＣＫ報告しないように規則が定義、約束、及び／又は設定できる。
【０２７７】
第６実施例
特定の遅延及び／又は信頼性の要求事項を支援するための動作の可否を設定及び／又は報告する方法について具体的に見る。
【０２７８】
特定の遅延及び／又は信頼性の要求事項を支援するための動作（例：ｂｌｉｎｄ／ＨＡＲＱ−ｌｅｓｓ  ＰＤＳＣＨ（又は、ＨＡＲＱ−ｌｅｓｓ及び／又はｂｌｉｎｄ  ＰＤＳＣＨ）の繰り返し及び／又は繰り返されたＵＬ  ＳＰＳ（ｓｅｍｉ−ｐｅｒｓｉｓｔｅｎｔ）スケジューリング）が上位層の信号を介して可否が設定できる。また、前記動作の可否は、ＴＴＩの長さ（ｌｅｎｇｔｈ）又はＤＬ  ＆  ＵＬ  ＴＴＩ  ｌｅｎｇｔｈ  ｃｏｍｂｉｎａｔｉｏｎ別に独立に設定されることができる。或いは、前記動作の可否は、フレーム構造（ｆｒａｍｅ  ｓｔｒｕｃｔｕｒｅ）別に独立に（異なって）定義されて端末に設定されることができる。
【０２７９】
そして／又は、特定の遅延及び／又は信頼性の要求事項を支援するための動作（例：ｂｌｉｎｄ／ＨＡＲＱ−ｌｅｓｓ  ＰＤＳＣＨの繰り返し及び／又は繰り返されたＵＬ  ＳＰＳ）を（いくつかのキャリアコンポーネント（ｃａｒｒｉｅｒ  ｃｏｍｐｏｎｅｎｔ、ＣＣ）及び／又はセル（ｃｅｌｌ）で）支援できるかに対する情報がＵＥ能力で定義され、基地局（又は、ネットワーク）に報告されることができる。
【０２８０】
前記情報は、ＴＴＩの長さ（グループ）又はＤＬとＵＬ  ＴＴＩの長さ結合（ＤＬ  ＆  ＵＬ  ＴＴＩ  ｌｅｎｇｔｈ  ｃｏｍｂｉｎａｔｉｏｎ）（グループ）別に独立に報告されることができる。一例として、｛ＤＬ＝ｓｕｂｓｌｏｔ、ＵＬ＝ｓｕｂｓｌｏｔ｝、｛ＤＬ＝ｓｕｂｓｌｏｔ、ＵＬ＝ｓｌｏｔ｝、｛ＤＬ＝ｓｌｏｔ、ＵＬ＝ｓｌｏｔ｝、｛ＤＬ＝ｓｕｂｆｒａｍｅ、ＵＬ＝ｓｕｂｆｒａｍｅ｝等に対してそれぞれ別途のＵＥ能力が定義され得る。
【０２８１】
或いは、前記ＵＥ能力は、フレーム構造別に独立に（異なって）定義され、基地局（又は、ネットワーク）に報告されることができる。或いは、前記ＵＥ能力は、バンド（ｂａｎｄ）及び／又はバンド結合（ｂａｎｄ  ｃｏｍｂｉｎａｔｉｏｎ）ごとに別に独立に定義され得る。
【０２８２】
そして／又は、端末が前記ＵＥ能力を報告すると、基地局は前記ＵＥ能力に基づいて該当端末がどの程度の動作を支援するかを判断し、報告された動作及び／又は報告された動作のうち、特定動作が可能なように設定及び／又は動作することができる。例えば、特定動作は、ＤＣＩフィールドを異なって解釈、既存のＤＣＩに特定フィールドが追加、ＤＣＩモニタリング（ｍｏｎｉｔｏｒｉｎｇ）方法／ＢＤの数、特定ＤＣＩフォーマットに対するＢＤ動作、繰り返し送信されるＰＤＳＣＨ受信及び／又はデコーディング、及び、このうち、最後のＰＤＳＣＨに対するＨＡＲＱ−ＡＣＫ送信動作等であってもよい。
【０２８３】
特に、前記特定の遅延及び／又は信頼性の要求事項を支援するための動作（例：ｂｌｉｎｄ／ＨＡＲＱ−ｌｅｓｓ  ＰＤＳＣＨの繰り返し及び／又は繰り返されたＵＬ  ＳＰＳ）を（いくつかのキャリアコンポーネント及び／又はセルで）支援することができるかに対するＵＥ能力は、上位層の信号を介して（特定セルの）制御領域（ｃｏｎｔｒｏｌ  ｒｅｇｉｏｎ）のシンボルの数が設定され、これに基づいてダウンリンク制御（ＤＬ  ｃｏｎｔｒｏｌ）とデータ（ｄａｔａ）を受信する動作を支援する端末の場合に限って、可否が定義されて報告できるように規則が定義、約束、及び／又は設定できる。
【０２８４】
即ち、上位層の信号を介して、（特定セルの）制御領域（ｃｏｎｔｒｏｌ  ｒｅｇｉｏｎ）のシンボルの数が設定され、これに基づいてダウンリンク制御（ＤＬ  ｃｏｎｔｒｏｌ）とデータを受信する動作を支援しない端末の場合には、前記特定の遅延及び／又は信頼性の要求事項を支援するための動作（例：ｂｌｉｎｄ／ＨＡＲＱ−ｌｅｓｓ  ＰＤＳＣＨの繰り返し及び／又は繰り返されたＵＬ  ＳＰＳ）もまた常時支援できない。
【０２８５】
これに対して、上位層の信号を介して、（特定セルの）制御領域のシンボルの数が設定され、これに基づいてダウンリンク制御（ＤＬ  ｃｏｎｔｒｏｌ）とデータを受信する動作を支援する端末の場合、前記特定の遅延及び／又は信頼性の要求事項を支援するための動作（例：ｂｌｉｎｄ／ＨＡＲＱ−ｌｅｓｓ  ＰＤＳＣＨの繰り返し及び／又は繰り返されたＵＬ  ＳＰＳ）の支援可否が能力のシグナリングを介して報告されることができる。
【０２８６】
第７実施例
まず、ＰＤＳＣＨの繰り返し動作でダウンリンクデータを送信することができないＴＴＩが発生する場合、ＰＤＳＣＨの繰り返し受信の信頼性を向上させるための方法について見る。
【０２８７】
ｂｌｉｎｄ／ＨＡＲＱ−ｌｅｓｓ  ＰＤＳＣＨ（又は、ＨＡＲＱ−ｌｅｓｓ及び／又はｂｌｉｎｄ  ＰＤＳＣＨ）の繰り返し（ｒｅｐｅｔｉｔｉｏｎ）動作が可能（ｅｎａｂｌｅ）か否かが上位層の信号で定義、約束、及び／又は設定される場合、ＰＤＳＣＨ（ｐｈｙｓｉｃａｌ  ｄｏｗｎｌｉｎｋ  ｓｈａｒｅｄ  ｃｈａｎｎｅｌ）の繰り返し回数に関する情報（例：Ｒｅｐｅｔｉｔｉｏｎ  ｎｕｍｂｅｒ）が物理層の信号を介して基地局から端末へ指示及び／又は送信されることができる。端末は、繰り返し回数に関する情報に基づいて、いくつかのＴＴＩの間に同じＴＢ（ｔｒａｎｓｐｏｒｔ  ｂｌｏｃｋ）に対するＰＤＳＣＨが繰り返されて送信されるかを知って、受信動作を行うことができる。例えば、繰り返し回数に関する情報は、ＰＤＣＣＨの受信時点のＴＴＩ（Ｔｒａｎｓｍｉｓｓｉｏｎ  Ｔｉｍｅ  Ｉｎｔｅｒｖａｌ）を含めて、該当ＰＤＣＣＨがスケジューリング（ｓｃｈｅｄｕｌｉｎｇ）するＰＤＳＣＨの全体（ｔｏｔａｌ）送信ＴＴＩの個数であり得る。
【０２８８】
ＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）又は上位層の信号を介して設定されたＣＦＩ（ｃｏｎｔｒｏｌ  ｆｏｒｍａｔ  ｉｎｄｉｃａｔｏｒ）値によってサブフレーム（ｓｕｂｆｒａｍｅ）内の一番目の短いＴＴＩ（例：ｓｕｂｓｌｏｔ＃０）がダウンリンクデータ（ＤＬ  ｄａｔａ）の送信ができない場合（即ち、ｓｕｂｓｌｏｔ＃０にＰＤＳＣＨが送信できない場合）、端末は、該当ＴＴＩ（例：サブスロット）が繰り返し回数に関する情報によって指示されたＰＤＳＣＨの繰り返しの全体送信ＴＴＩの個数に含まれるか否かによって、実際にＰＤＳＣＨの繰り返し送信を行うＴＴＩに対する解釈が基地局と端末間で異なり得る。ここで、「＃ｎｕｍｂｅｒ」はインデックスを意味することができる。例えば、ｓｕｂｓｌｏｔ＃０は、サブフレーム内インデックス０を有するサブスロットを意味することができる。
【０２８９】
一例として、ＰＤＳＣＨは、図１８（ａ）のように、ＰＤＳＣＨが送信できないｓｕｂｓｌｏｔ＃０（１８１１）を除外及び／又はスキップし、ＰＤＳＣＨの繰り返しの全体（ｔｏｔａｌ）送信ＴＴＩの個数だけ送信されることができる。或いは、図１８（ｂ）のように、ＰＤＳＣＨが送信できないｓｕｂｓｌｏｔ＃０（１８２１）を含めて、ＰＤＳＣＨの繰り返しの全体送信ＴＴＩの個数だけ送信されることもできる。このような解釈は、基地局と端末間のＰＤＳＣＨの受信の信頼性（ｒｅｌｉａｂｉｌｉｔｙ）を低下させることができる。
【０２９０】
従って、ｂｌｉｎｄ／ＨＡＲＱ−ｌｅｓｓ  ＰＤＳＣＨの繰り返し動作の可否が上位層の信号で定義される場合、端末は、繰り返し送信に該当するＰＤＳＣＨの送信（ＴＴＩ）回数を次の方法のように仮定し、ＰＤＳＣＨのデコーディング（ｄｅｃｏｄｉｎｇ）を行うように規則が定義、約束、及び／又は設定できる。
【０２９１】
以下、説明される方法は説明の便宜のために区分されたものであるだけで、ある方法の構成が別の方法の構成と置換されるか、相互結合して適用できることはもちろんである。
【０２９２】
（方法１）
上位層の信号及び／又は物理層の信号を介して設定及び／又は指示された制御領域（ｃｏｎｔｒｏｌ  ｒｅｇｉｏｎ）が２又は３ＯＦＤＭシンボル（ｓｙｍｂｏｌ）である場合、端末は、該当ＴＴＩ（例：ｓｕｂｓｌｏｔ＃０）又は制御領域の長さ（ｌｅｎｇｔｈ）によって影響を受けたＴＴＩ（例：ｓｕｂｓｌｏｔ＃０及びｓｕｂｓｌｏｔ＃１）を除外及び／又はスキップし、設定及び／又は指示されたＰＤＳＣＨの繰り返しの全体送信ＴＴＩの個数だけＰＤＳＣＨが送信されると仮定し、デコーディングを行うことができる。例えば、端末は、図１８（ａ）のように、ｓｕｂｓｌｏｔ＃０（１８１１）をスキップして繰り返し送信されたものと見て、デコーディングを行うことができる。
【０２９３】
図１８（ａ）を参考すると、ＰＤＳＣＨの繰り返し回数は４回であり、ＰＤＳＣＨの繰り返しと関連した全体送信ＴＴＩは５個であってもよい。前記ＰＤＳＣＨの繰り返しと関連した全体送信ＴＴＩは、実際にＰＤＳＣＨが送信されるＴＴＩ（１stＴＴＩ（１８１２）、２ndＴＴＩ（１８１３）、３rdＴＴＩ（１８１４）、４thＴＴＩ（１８１５））とＰＤＳＣＨが送信されないＴＴＩ（１８１１）を含む。
【０２９４】
即ち、ＰＤＳＣＨの繰り返し回数が４回に設定され、特定ＴＴＩが制御領域の長さによってＰＤＳＣＨ受信に使用できない場合、端末は、図１８（ａ）のように１ｓｔ  ＴＴＩ（１８１２）及び２ｎｄ  ＴＴＩ（１８１３）でＰＤＳＣＨを繰り返し受信し、特定ＴＴＩ（１８１１）でＰＤＳＣＨ受信をスキップし、３ｒｄ  ＴＴＩ（１８１４）及び４ｔｈ  ＴＴＩ（１８１５）でＰＤＳＣＨを続けて繰り返し受信する。
【０２９５】
（方法２）
上位層の信号及び／又は物理層の信号を介して設定及び／又は指示された制御領域が１ＯＦＤＭシンボルである場合、端末は、該当ＴＴＩ（例：ｓｕｂｓｌｏｔ＃０）又は制御領域の長さによって影響を受けたＴＴＩ（例：ｓｕｂｓｌｏｔ＃０及びｓｕｂｓｌｏｔ＃１）を含めて設定及び／又は指示されたＰＤＳＣＨの繰り返しの全体送信ＴＴＩの個数だけＰＤＳＣＨが送信されると仮定し、デコーディングを行うことができる。例えば、端末は、図１８（ｂ）のようにｓｕｂｓｌｏｔ＃０（１８２１）を含めて繰り返し送信されたものと見て、デコーディングを行うことができる。
【０２９６】
（方法３）
制御領域のシンボルの個数と関係なく、端末は常時該当ＴＴＩ（例：ｓｕｂｓｌｏｔ＃０）を除外及び／又はスキップし、設定及び／又は指示されたＰＤＳＣＨの繰り返しの全体送信ＴＴＩの個数だけ実際にＰＤＳＣＨが送信されると仮定し、デコーディングを行うことができる。
【０２９７】
（方法４）
ＰＤＳＣＨの繰り返し動作がサブフレームの境界（ｓｕｂｆｒａｍｅ  ｂｏｕｎｄａｒｙ）内に制限され、端末はサブフレーム内でのみ同じＴＢに対して複数のＴＴＩで繰り返されて送信されるＰＤＳＣＨのデコーディングを行うように、規則が定義、約束、及び／又は設定できる。言い換えると、端末は連続された複数のサブフレームにかけて同じＴＢに対して複数のＴＴＩで繰り返されて送信されるＰＤＳＣＨのデコーディングを期待しなくてもよい。
【０２９８】
（方法５）
特定キャリア（ｃａｒｒｉｅｒ）及び／又はセル（ｃｅｌｌ）に対してダウンリンク制御領域（ＤＬ  ｃｏｎｔｒｏｌ  ｒｅｇｉｏｎ）のシンボルの数が端末に指示される方式（例：物理層の信号（ＰＣＦＩＣＨ）又は上位層の信号）によって繰り返し送信されるＰＤＳＣＨを受信すべきＴＴＩを把握することができる。ＰＣＦＩＣＨによって制御領域のシンボルの数が指示される場合、端末のＰＣＦＩＣＨのデコーディング性能によって制御チャネルの性能が影響を受けることがある。また、サブスロットのパターン（ｓｕｂｓｌｏｔ  ｐａｔｔｅｒｎ）の決定においても、ｓｕｂｓｌｏｔ＃０とｓｕｂｓｌｏｔ＃１の境界（ｂｏｕｎｄａｒｙ）を誤って把握することになり、ダウンリンクデータチャネルのデコーディング性能が低下し得る。
【０２９９】
従って、ＰＣＦＩＣＨによって（特定セルの）制御領域のシンボルの数が指示される場合、端末は常時制御領域内のＴＴＩ（例：ｓｕｂｓｌｏｔ＃０）又は制御領域の長さによって影響を受けたＴＴＩ（例：ｓｕｂｓｌｏｔ＃０及びｓｕｂｓｌｏｔ＃１）を除外及び／又はスキップし、設定及び／又は指示されたＰＤＳＣＨの繰り返しの全体送信ＴＴＩの個数だけ実際にＰＤＳＣＨが送信されると仮定し、デコーディングを行うことができる。これに対して、上位層の信号を介して（特定セルの）制御領域のシンボルの数が設定される場合には、設定された制御領域のシンボルの数によって、制御領域が２又は３ＯＦＤＭシンボルである場合、制御領域内ＴＴＩ（例：ｓｕｂｓｌｏｔ＃０）を除外及び／又はスキップし、設定及び／又は指示されたＰＤＳＣＨの繰り返しの全体送信ＴＴＩの個数だけ実際にＰＤＳＣＨが送信されると仮定してデコーディングを行い、１ＯＦＤＭシンボルである場合、制御領域内ＴＴＩ（例：ｓｕｂｓｌｏｔ＃０）を含めて設定及び／又は指示されたＰＤＳＣＨの繰り返しの全体送信ＴＴＩの個数だけ実際にＰＤＳＣＨが送信されると仮定し、デコーディングを行うことができる。
【０３００】
本明細書における制御領域（ｃｏｎｔｒｏｌ  ｒｅｇｉｏｎ）は、サブフレーム内にＰＤＣＣＨ送信のために使用されるＯＦＤＭシンボル（ｓｙｍｂｏｌ）の個数を意味することができる。また、制御領域は、物理層の信号（例：ＰＣＦＩＣＨ）及び／又は上位層の信号（例：ＲＲＣメッセージ）を介して端末に指示される情報によって決定されるものであってもよい。
【０３０１】
第８実施例
まず、第８実施例を見るに先だって、無線フレームの構造について見る。図１（ａ）において、Δｆ＝１５ｋＨｚを使用するサブフレームは、下記表１０に従って６個のサブスロットにさらに分けられる。
【０３０２】
【表２１】
0006914366.tif 000026
【０３０３】
ＦＤＤの場合、１０個のサブフレーム、２０個のスロット、又は最大６０個のサブスロットは、１０ｍｓの間隔でダウンリンク送信に利用可能であり、１０個のサブフレーム、２０個のスロット、又は最大６０個のサブスロットは、１０ｍｓの間隔でアップリンク送信に利用可能である。アップリンク及びダウンリンク送信は、周波数領域で分離されることができる。ｈａｌｆ−ｄｕｐｌｅｘ  ＦＤＤ動作で、端末は同時に送信と受信をすることができない。これに対して、ｆｕｌｌ−ｄｕｐｌｅｘ  ＦＤＤ動作で、端末は同時に送信と受信をすることができる。
【０３０４】
次に、複数の連続されたサブフレームにかけたＴＴＩに対するＤＬ  ＤＭＲＳ共有の許可可否を決定及び／又は設定する方法について見る。
【０３０５】
サブスロット−ＰＤＳＣＨの場合、ＤＭＲＳ（ｄｅｍｏｄｕｌａｔｉｏｎ  ｒｅｆｅｒｅｎｃｅ  ｓｉｇｎａｌ）によるオーバーヘッド（ｏｖｅｒｈｅａｄ）の軽減のために、ＤＭＲＳ共有を許可することができる。チャネル推定の性能低下を防止するために、ＤＭＲＳ共有は、２つのサブスロット間でのみ許可されることができ、端末の処理時間（ｐｒｏｃｅｓｓｉｎｇ  ｔｉｍｅ）を考慮し、ＤＭＲＳ共有の際に、該当ＤＭＲＳは２つのサブスロットのうち、前のサブスロットにマッピング（ｍａｐｐｉｎｇ）されるように規則が定義されている。予め定義された規格（例：３ＧＰＰ  Ｓｐｅｃｉｆｉｃａｔｉｏｎ）によると、端末がｓｕｂｓｌｏｔ＃ｎ−１でダウンリンク割り当て（ＤＬ  ａｓｓｉｇｎｍｅｎｔ）ｓＤＣＩ（ｓｈｏｒｔ  ｄｏｗｎｌｉｎｋ  ｃｏｎｔｒｏｌ  ｉｎｆｏｒｍａｔｉｏｎ）を検出することができず、ｓｕｂｓｌｏｔ＃ｎで検出したダウンリンク割り当てｓＤＣＩでｓｕｂｓｌｏｔ＃ｎにＤＭＲＳが不在すると指示する場合、端末はｓｕｂｓｌｏｔ＃ｎのサブスロット−ＰＤＳＣＨのデコーディングを期待しない。
【０３０６】
複数の連続されたサブフレームにかけたＴＴＩに対するＤＬ  ＤＭＲＳ共有の許可可否は、次の方法で決定されることができる。
【０３０７】
以下説明される方法は、説明の便宜のために区分されたものであるだけで、ある方法の構成が別の構成と置換されるか、相互結合して適用できることはもちろんである。      
【０３０８】
（方法１）
前記のＤＬ  ＤＭＲＳ共有の動作が複数の連続されたサブフレームにかけたＴＴＩに対して許可されるか否かが、上位層の信号及び／又は物理層の信号を介して設定及び／又は指示された制御領域のシンボルの数によって異なって決定されるように、規則が定義、約束、及び／又は設定できる。
【０３０９】
一例として、上位層の信号及び／又は物理層の信号を介して、設定及び／又は指示された制御領域が１ＯＦＤＭシンボルである場合、ＤＬ  ＤＭＲＳ共有の動作が複数の連続されたサブフレームにかけたＴＴＩに対して、許可、適用、設定、及び／又は指示できる。これに対して、上位層の信号及び／又は物理層の信号を介して設定及び／又は指示された制御領域が２又は３ＯＦＤＭシンボルである場合、ＤＬ  ＤＭＲＳ共有の動作が複数の連続されたサブフレームにかけたＴＴＩに対して、許可、適用、設定、及び／又は指示されないことがある。この場合、端末は、それぞれのＴＴＩに対してＤＭＲＳが受信できる。
【０３１０】
（方法２）
前記のＤＬ  ＤＭＲＳ共有の動作が複数の連続されたサブフレームにかけたＴＴＩに対して、許可、適用、設定、及び／又は指示されるか否かが、該当ＴＴＩの長さに対する制御領域のシンボルの数が上位層の信号を介して設定されるか、それとも物理層の信号（例：ＰＣＦＩＣＨ）によって指示されるかに応じて異なって決定されるように、規則が定義、約束、及び／又は設定されることもできる。一例として、制御領域のシンボルの数が上位層の信号を介して設定される場合、前記方式１のように設定された制御領域のシンボルの数により、ＤＬ  ＤＭＲＳの許可、適用、設定、及び／又は指示の可否が決定できる。これに対して、制御領域のシンボルの数が物理層の信号（例：ＰＣＦＩＣＨ）によって指示される場合、端末はＤＬ  ＤＭＲＳ共有が許可、適用、設定、及び／又は指示されることを期待しなくてもよい。
【０３１１】
第９実施例
ＰＤＳＣＨの繰り返し動作で異なるサブフレームタイプによるＰＤＳＣＨ受信の信頼性の低下を解決するための方法について見る。
【０３１２】
異なるサブフレームタイプ（ｔｙｐｅ）そして／又は異なるサブフレームタイプに設定された異なる送信モード（Ｔｒａｎｓｍｉｓｓｉｏｎ  Ｍｏｄｅ、ＴＭ）に応じて適用される基準信号（ｒｅｆｅｒｅｎｃｅ  ｓｉｇｎａｌ、ＲＳ）が異なってもよく、異なるサブフレームタイプに設定された異なるＴＭをスケジューリングするＤＣＩフォーマットが異なる場合、該当ＤＣＩフォーマットのフィールド（ｆｉｅｌｄ）の構成そして／又は情報がそれぞれ異なって構成されてもよい。一例として、データの繰り返し送信区間が、互いに異なるＴＭが設定された異なるサブフレームタイプ（例：ＭＢＳＦＮ（ｍｕｌｔｉｃａｓｔ  ｂｒｏａｄｃａｓｔ  ｓｉｎｇｌｅ  ｆｒｅｑｕｅｎｃｙ  ｎｅｔｗｏｒｋ）サブフレーム及び非ＭＢＳＦＮサブフレーム）の間にかけてデータが送信される場合、これをスケジューリングするＤＣＩが非ＭＢＳＦＮ用ＴＭ（例：ＴＭ４）でモニタリングされるＤＣＩフォーマットであれば、次のサブフレーム又は次のサブフレーム内ＴＴＩに送信されるＭＢＳＦＮ用ＴＭ（例：ＴＭ９）に対応する送信スキーム（ｔｒａｎｓｍｉｓｓｉｏｎ  ｓｃｈｅｍｅ）が適用されたＰＤＳＣＨ  ＴＴＩを受信及び／又はデコーディングするためのＤＣＩ内の特定情報（例：スクランブリングＩＤ、レイヤーの数、及び／又はＤＭＲＳアンテナポートの情報等）が不在することがある。これは、端末のＰＤＳＣＨの繰り返しに対する受信及び／又はデコーディングの動作を事実上不能にし得る。
【０３１３】
従って、ｂｌｉｎｄ／ＨＡＲＱ−ｌｅｓｓ  ＰＤＳＣＨの繰り返し動作が設定及び／又は指示される場合、ＭＢＳＦＮサブフレーム又はＭＢＳＦＮサブフレーム内の（短い）ＴＴＩには、ＰＤＳＣＨが送信されないと仮定する。即ち、端末は、ＭＢＳＦＮサブフレーム又はＭＢＳＦＮサブフレーム内の（短い）ＴＴＩを除いた残りのＴＴＩで（例：非ＭＢＳＦＮサブフレーム又は非ＭＢＳＦＮサブフレーム内の（短い）ＴＴＩで）ＰＤＳＣＨが繰り返し送信されると仮定及び／又は期待するように、規則が定義、約束、及び／又は設定できる。特に、前記動作は、非ＭＢＳＦＮサブフレーム又は非ＭＢＳＦＮサブフレーム内の（短い）ＴＴＩ動作に対してＣＲＳ−ｂａｓｅｄ  ＴＭ（ＣＲＳに復調するように定義されたＴＭ、例えば、ＴＭ１乃至６）が設定された場合に適用されるものであってもよい。
【０３１４】
一般に、ｂｌｉｎｄ／ＨＡＲＱ−ｌｅｓｓ  ＰＤＳＣＨの繰り返し動作が設定及び／又は指示される場合、サブフレームタイプ（例：非ＭＢＳＦＮ又はＭＢＳＦＮ）に応じて異なるＴＭが設定されたならば、繰り返しが開始されたＴＴＩ（又は繰り返しをスケジューリングしたＴＴＩ）が含まれたサブフレームタイプと異なるサブフレームタイプのＴＴＩに対しては、ＰＤＳＣＨの繰り返し送信がスキップされるように（即ち、繰り返し送信中のＰＤＳＣＨが、該当ＴＴＩでは送信されないように）規則が定義、約束、及び／又は設定できる。言い換えると、端末はｂｌｉｎｄ／ＨＡＲＱ−ｌｅｓｓ  ＰＤＳＣＨの繰り返し動作が設定及び／又は指示される場合、サブフレームタイプ（例：非ＭＢＳＦＮ又はＭＢＳＦＮ）に応じて異なるＴＭが設定されたならば、繰り返しが開始されたＴＴＩ（又は繰り返しをスケジューリングしたＴＴＩ）が含まれたサブフレームタイプに該当するサブフレーム（又はそれに含まれたＴＴＩ）でのみＰＤＳＣＨが繰り返し送信されると仮定及び／又は期待するように規則が定義、約束、及び／又は設定できる。
【０３１５】
そして／又は、ＰＤＳＣＨの繰り返し送信が異なるサブフレームタイプに該当するＴＴＩにかけている場合、繰り返しが開始されたＴＴＩ（又は繰り返しをスケジューリングしたＴＴＩ）が含まれたサブフレームタイプに該当するサブフレームと異なるサブフレームタイプのサブフレーム（又はそれに含まれたＴＴＩ）でＰＤＳＣＨの繰り返し送信が終了し得る。
【０３１６】
第１０実施例
次に、ＰＤＳＣＨの繰り返し送信で無効（ｉｎｖａｌｉｄ）ＴＴＩによる時間遅延を減らすための方法について見る。
【０３１７】
ＰＤＳＣＨの繰り返し送信のうち、異なるサブフレームタイプ、そして／又は制御領域のシンボルの数によるＴＴＩの有効性（ａｖａｉｌａｂｉｌｉｔｙ）等の理由で、一定時間（ｔｉｍｅ  ｄｕｒａｔｉｏｎ）の間に該当ＰＤＳＣＨが受信されない無効ＴＴＩが発生し得る。即ち、端末は、このような無効ＴＴＩでは繰り返し送信に該当するＰＤＳＣＨが送信されないと仮定することができる。このような無効ＴＴＩで構成された一定時間が長くなりすぎる場合、レイテンシ（ｌａｔｅｎｃｙ）が過度に大きくなって好ましくないかもしれないので、特定時間以上無効ＴＴＩが構成される場合、ＰＤＳＣＨの繰り返し送信が終了することがあり、端末はそれ以前のＴＴＩまで受信したＰＤＳＣＨに対応するタイミングからＨＡＲＱ−ＡＣＫ送信ＴＴＩを導出し、ＨＡＲＱ−ＡＣＫ報告（ｒｅｐｏｒｔ）を行うように規則が定義、約束、及び／又は設定できる。これに対して、特定時間よりも短い時間の間、無効ＴＴＩが構成される場合、端末は無効ＴＴＩを除き、再度ＰＤＳＣＨの繰り返しが持続されることを期待し、繰り返しの回数だけＰＤＳＣＨの繰り返し送信を受信し、最後のＰＤＳＣＨ受信ＴＴＩに対応するタイミングからＨＡＲＱ−ＡＣＫ送信ＴＴＩを導出し、ＨＡＲＱ−ＡＣＫ報告を行うように、規則が定義、約束、及び／又は設定できる。ここで、特定時間と繰り返し回数は、事前に約束されているか、端末にシグナリングされることができる。
【０３１８】
第１１実施例
次に、ＰＤＳＣＨの繰り返し動作でＰＣＦＩＣＨのデコーディングエラーによるＰＤＳＣＨ受信の信頼性の低下の問題を解決するための方法について見る。
【０３１９】
ＵＲＬＬＣ送受信の信頼性は、制御チャネルの信頼性によって影響を受けることがある。特に、ＵＲＬＬＣ送受信の信頼性は、ＰＣＦＩＣＨデコーディング性能に大きく影響を受けることがある。端末がＰＣＦＩＣＨを誤ってデコーディングし、制御領域（例：制御チャネルが占めるシンボルの数）を誤って認知した場合、制御チャネルの信頼性を低下させ得る。従って、（サブスロット動作の場合）端末はＤＬ  ＴＴＩの境界（ｂｏｕｎｄａｒｙ）を基地局と異なって理解してデコーディングを行うことがある。これを防止するために、上位層の信号を介して特定サービングセル（ｓｅｒｖｉｎｇ  ｃｅｌｌ）の制御チャネル領域に対する情報を端末に設定する方式を考慮することができる。
【０３２０】
上位層の信号を介して特定サービングセル及び特定ＴＴＩの長さに対する制御領域に対する情報（例：制御領域のシンボルの数又はＣＦＩ値）が設定された場合にのみ、該当サービングセル及びＴＴＩの長さに対するｂｌｉｎｄ及び／又はＨＡＲＱ−ｌｅｓｓ  ＰＤＳＣＨの繰り返し動作が設定及び／又は指示できるように、規則が定義、約束、及び／又は設定できる。このような規則は、ＰＣＦＩＣＨエラーが発生する場合、繰り返し送信されるＰＤＳＣＨ受信の信頼性を保障しにくいため、ＰＤＳＣＨの繰り返し動作の設定及び／又は指示を制限するものであり得る。
【０３２１】
特に、ＰＣＦＩＣＨエラーが発生する場合、サブスロット動作のためのＤＬ  ＴＴＩの境界が端末と基地局間で異なって理解できる。従って、サブスロット動作に限って、上位層の信号を介して特定サービングセル及びサブスロット動作（ＰＤＣＣＨのモニタリングを含む）に対する制御チャネル領域に対する情報が設定された場合にのみ、該当サービングセル及びサブスロット動作に対するｂｌｉｎｄ／ＨＡＲＱ−ｌｅｓｓ  ＰＤＳＣＨの繰り返し動作が設定及び／又は指示できるように、規則が定義、約束、及び／又は設定できる。
【０３２２】
本明細書で提案する実施例に対する一例も本発明の具現方法のうち一つに含まれ得るので、一種の実施例と見なされることができることは自明である。
【０３２３】
また、前記言及したように、本明細書で提案する実施例は独立に具現されてもよいが、一部実施例の組み合わせ（又は併合）の形態で具現されてもよい。実施例の適用可否に対する情報（又は、前記実施例の規則に対する情報）は、基地局が端末へ事前に定義されたシグナリング（例：物理層のシグナリング及び／又は上位層のシグナリング等）を介して知らせるように、規則が定義及び／又は設定できる。
【０３２４】
１９は、本明細書で提案する端末の動作方法を説明するためのフローチャートである。
【０３２５】
図１９を参照すると、まず、端末はＰＤＳＣＨの繰り返し（Ｒｅｐｅｔｉｔｉｏｎ）に関する動作の設定に対する第１情報を含む上位層の信号を基地局から受信することができる（Ｓ１９０１）。例えば、前記ＰＤＳＣＨの繰り返しに関する動作は、ＨＡＲＱ−ｌｅｓｓ／ｂｌｉｎｄ  ＰＤＳＣＨ（又は、ＨＡＲＱ−ｌｅｓｓ及び／又はｂｌｉｎｄ  ＰＤＳＣＨ）の繰り返し動作であってもよい。前記第１情報は、上位層（ｈｉｇｈｅｒ  ｌａｙｅｒ）のパラメータ（ｐａｒａｍｅｔｅｒ）ｂｌｉｎｄＳｌｏｔＳｕｂｓｌｏｔＰＤＳＣＨ−Ｒｅｐｅｔｉｔｉｏｎｓ又はｂｌｉｎｄＳｕｂｆｒａｍｅＰＤＳＣＨ−Ｒｅｐｅｔｉｔｉｏｎｓを含んでもよい。
【０３２６】
ｂｌｉｎｄＳｌｏｔＳｕｂｓｌｏｔＰＤＳＣＨ−Ｒｅｐｅｔｉｔｉｏｎｓは、端末がスロット又はサブスロットに対するＰＤＳＣＨの繰り返し動作を支援するように設定する情報であってもよい。
【０３２７】
ｂｌｉｎｄＳｕｂｆｒａｍｅＰＤＳＣＨ−Ｒｅｐｅｔｉｔｉｏｎｓは、端末が前記サブフレームに対するＰＤＳＣＨの繰り返し動作を支援するように設定する情報であってもよい。
【０３２８】
次に、端末は、制御領域（ｃｏｎｔｒｏｌ  ｒｅｇｉｏｎ）のシンボルの数に対する第２情報を前記基地局から受信することができる（Ｓ１９０２）。例えば、前記第２情報は、物理制御フォーマット指示子チャネル（ｐｈｙｓｉｃａｌ  ｃｏｎｔｒｏｌ  ｆｏｒｍａｔ  ｉｎｄｉｃａｔｏｒ  ｃｈａｎｎｅｌ、ＰＣＦＩＣＨ）又は上位層の信号を介して受信できる。即ち、前記第２情報は、制御フォーマット指示子（Ｃｏｎｔｒｏｌ  Ｆｏｒｍａｔ  Ｉｎｄｉｃａｔｏｒ、ＣＦＩ）であってもよい。
【０３２９】
制御領域は、制御情報が送信される時間及び／又は周波数資源であってもよい。
【０３３０】
次に、端末は第２情報に基づいて、ＰＤＳＣＨの繰り返し回数に関する情報を含むダウンリンク制御情報（ｄｏｗｎｌｉｎｋ  ｃｏｎｔｒｏｌ  ｉｎｆｏｒｍａｔｉｏｎ、ＤＣＩ）を前記基地局から受信することができる（Ｓ１９０３）。例えば、第２情報が２シンボルである場合、ＤＣＩは該当２シンボルを介して送信されることができる。また、ＰＤＳＣＨの繰り返し回数に関する情報は、上位層の信号を介して上位層のパラメータｂｌｉｎｄＳｕｂｆｒａｍｅＰＤＳＣＨ−Ｒｅｐｅｔｉｔｉｏｎｓ又はｂｌｉｎｄＳｌｏｔＳｕｂｓｌｏｔＰＤＳＣＨ−Ｒｅｐｅｔｉｔｉｏｎｓが設定された場合に存在する情報であってもよい。
【０３３１】
次に、端末は前記ＤＣＩに基づき、前記基地局から前記ＰＤＳＣＨを繰り返して受信することができる（Ｓ１９０４）。端末は、ＰＤＳＣＨの繰り返し回数に関する情報に基づき、いくつかのＴＴＩの間に同じＴＢ（Ｔｒａｎｓｐｏｒｔ  Ｂｌｏｃｋ）が繰り返されて送信されるか確認し、受信動作を行うことができる。ＰＤＳＣＨの繰り返し回数に関する情報は、ＰＤＣＣＨ（ｐｈｙｓｉｃａｌ  ｄｏｗｎｌｉｎｋ  ｃｏｎｔｒｏｌ  ｃｈａｎｎｅｌ）又はＤＣＩがスケジューリングするＰＤＳＣＨの全体送信ＴＴＩの個数であってもよい。前記ＰＤＳＣＨの繰り返し回数に関する情報によるＴＴＩの個数は、前記ＤＣＩが受信されたＴＴＩからカウント（ｃｏｕｎｔ）できる。
【０３３２】
特に、前記制御領域が特定の個数のシンボルに設定された場合、ＰＤＳＣＨの繰り返し受信のための送信時間単位（Ｔｒａｎｓｍｉｓｓｉｏｎ  Ｔｉｍｅ  Ｕｎｉｔ）に前記制御領域と関連した送信時間単位が含まれないことがある。以下で、送信時間単位は、ＴＴＩ（Ｔｒａｎｓｍｉｓｓｉｏｎ  Ｔｉｍｅ  Ｉｎｔｅｒｖａｌ）と称し得る。
【０３３３】
言い換えると、前記ＰＤＳＣＨは、前記制御領域が特定の個数のシンボルに設定された場合、前記制御領域と関連したＴＴＩ（Ｔｒａｎｓｍｉｓｓｉｏｎ  Ｔｉｍｅ  Ｉｎｔｅｒｖａｌ）を除外又はスキップし、ＰＤＳＣＨの繰り返し回数に関する情報によるＴＴＩの個数だけ受信及び／又はデコーディングされることができる。
【０３３４】
ここで、ＴＴＩは、サブフレーム（ｓｕｂｆｒａｍｅ）、スロット（ｓｌｏｔ）、又はサブスロット（ｓｕｂｓｌｏｔ）であってもよい。
【０３３５】
また、前記特定の個数のシンボルは、２シンボル又は３シンボルであってもよい。
【０３３６】
また、ＴＴＩがサブスロットである場合、制御領域と関連したサブスロットは、サブフレームで一番目のサブスロット（ｓｕｂｓｌｏｔ＃０）であってもよい。或いは、制御領域と関連したサブスロットは、第２情報によってＤＣＩを送信するのに使用される２シンボル又は３シンボルを含むサブスロットであってもよい。
【０３３７】
例えば、前記ＰＤＳＣＨは、前記制御領域が２シンボル又は３シンボル（特定の個数のシンボル）に設定された場合、該当シンボルを含むサブスロット（例：ｓｕｂｓｌｏｔ＃０）を除外及び／又はスキップし、ＰＤＳＣＨの繰り返し回数に関する情報によるＴＴＩの個数だけ送信されると仮定し、繰り返されるＰＤＳＣＨを受信及び／又はデコーディングされることができる。
【０３３８】
言い換えると、端末は、図１８（ａ）において、第２情報が２シンボル又は３シンボルを示す場合、１stＴＴＩ（１８１２）及び、２ndＴＴＩ（１８１３）でＰＤＳＣＨを繰り返し受信し、制御領域と関連したｓｕｂｓｌｏｔ＃０（１８１１）を除外又はスキップし、３rdＴＴＩ（１８１４）及び４thＴＴＩ（１８１５）でＰＤＳＣＨが繰り返し送信されると仮定し、デコーディングを行うことができる。
【０３３９】
或いは、前記ＰＤＳＣＨは、前記制御領域が特定の個数のシンボルに設定された場合、前記制御領域の長さ（ｌｅｎｇｔｈ）によって影響を受けたＴＴＩ（例：ｓｕｂｓｌｏｔ＃０及びｓｕｂｓｌｏｔ＃１）を除き、前記ＰＤＳＣＨの繰り返し回数に関する情報によるＴＴＩの個数だけデコーディングされることができる。
【０３４０】
また、ＰＤＳＣＨの繰り返しが複数のサブフレームにかけて送信される場合、端末はＤＣＩを受信したサブスロットから複数のサブフレームそれぞれの一番目のサブスロット（ｓｕｂｓｌｏｔ＃０）を除き、前記ＰＤＳＣＨの繰り返し回数に関する情報だけＰＤＳＣＨが繰り返し送信されたことを仮定し、デコーディングを行うことができる。
【０３４１】
そして／又は、端末は、第２情報が特定シンボル（例：１シンボル）を示す場合、該当シンボルを含む特定ＴＴＩ（例：ｓｕｂｓｌｏｔ＃０）も含めてＰＤＳＣＨの繰り返し回数に関する情報だけＰＤＳＣＨが送信されると仮定し、デコーディングを行うことができる。例えば、端末は、図１８（ｂ）で、制御領域のシンボルの数に対する情報が１シンボルを示す場合、ｓｕｂｌｓｏｔ＃０（１８２１）も含めてＰＤＳＣＨが繰り返し送信されたと仮定し、デコーディングを行うことができる。
【０３４２】
或いは、端末は、第２情報が１ＯＦＤＭシンボル（又は特定の個数のシンボル）を示す場合、前記制御領域の長さ（ｌｅｎｇｔｈ）によって影響を受けた特定ＴＴＩ（例：ｓｕｂｓｌｏｔ＃０及びｓｕｂｓｌｏｔ＃１）を含めて、ＰＤＳＣＨの繰り返し送信回数に関する情報だけＰＤＳＣＨが送信されると仮定し、デコーディングを行うことができる。
【０３４３】
そして／又は、端末は第２情報と関係なく、特定ＴＴＩ（例：ｓｕｂｓｌｏｔ＃０）を除外及び／又はスキップし、ＰＤＳＣＨの繰り返し回数に関する情報だけＰＤＳＣＨが送信されると仮定し、デコーディングを行うことができる。或いは、端末は第２情報と関係なく、前記制御領域の長さ（ｌｅｎｇｔｈ）によって影響を受けた特定ＴＴＩ（例：ｓｕｂｓｌｏｔ＃０及びｓｕｂｓｌｏｔ＃１）を除外及び／又はスキップし、前記ＰＤＳＣＨの繰り返し回数に関する情報だけＰＤＳＣＨが送信されると仮定し、デコーディングを行うことができる。
【０３４４】
そして／又は、ＰＤＳＣＨの繰り返しに関する動作がサブフレームの境界（ｓｕｂｆｒａｍｅ  ｂｏｕｎｄａｒｙ）内に制限されるように、端末及び／又は基地局に約束、定義、及び／又は設定できる。例えば、端末がサブフレーム内でのみ同じＴＢに対して複数のＴＴＩで繰り返されて送信されるＰＤＳＣＨのデコーディングを行うように、規則が定義、約束、及び／又は設定できる。言い換えると、端末は連続された複数のサブフレームで同じＴＢに対して複数のＴＴＩで繰り返されて送信されるＰＤＳＣＨのデコーディングを期待しなくてもよい。
【０３４５】
前述した方法を介して、ＰＤＳＣＨの繰り返し動作で基地局と端末間のＰＤＳＣＨ受信の信頼性（ｒｅｌｉａｂｉｌｉｔｙ）を向上させることができる。
【０３４６】
以下、図１９に示されている端末の動作方法は、図１乃至図１８を参考にして説明した端末の動作方法と同一であるので、これ以外の詳細な説明は省略する。
【０３４７】
これに関して、前述した端末の動作は、本明細書の図２１に示されている端末装置２１２０によって具体的に具現できる。例えば、前述した端末の動作は、プロセッサ２１２１及び／又はＲＦユニット２１２３によって行われることができる。
【０３４８】
図２１を参照すると、まず、プロセッサ２１２１は、ＲＦユニット２１２３を介して、ＰＤＳＣＨの繰り返し（Ｒｅｐｅｔｉｔｉｏｎ）に関する動作の設定に対する第１情報を含む上位層の信号を基地局から受信することができる（Ｓ１９０１）。例えば、前記ＰＤＳＣＨの繰り返しに関する動作は、ＨＡＲＱ−ｌｅｓｓ／ｂｌｉｎｄ  ＰＤＳＣＨ（又は、ＨＡＲＱ−ｌｅｓｓ及び／又はｂｌｉｎｄ  ＰＤＳＣＨ）の繰り返し動作であってもよい。前記第１情報は、上位層（ｈｉｇｈｅｒ  ｌａｙｅｒ）のパラメータ（ｐａｒａｍｅｔｅｒ）ｂｌｉｎｄＳｌｏｔＳｕｂｓｌｏｔＰＤＳＣＨ−Ｒｅｐｅｔｉｔｉｏｎｓ又はｂｌｉｎｄＳｕｂｆｒａｍｅＰＤＳＣＨ−Ｒｅｐｅｔｉｔｉｏｎｓを含んでもよい。
【０３４９】
ｂｌｉｎｄＳｌｏｔＳｕｂｓｌｏｔＰＤＳＣＨ−Ｒｅｐｅｔｉｔｉｏｎｓは、端末がスロット又はサブスロットに対するＰＤＳＣＨの繰り返し動作を支援するように設定する情報であってもよい。
【０３５０】
ｂｌｉｎｄＳｕｂｆｒａｍｅＰＤＳＣＨ−Ｒｅｐｅｔｉｔｉｏｎｓは、端末が前記サブフレームに対するＰＤＳＣＨの繰り返し動作を支援するように設定する情報であってもよい。
【０３５１】
次に、プロセッサ２１２１は、ＲＦユニット２１２３を介して、制御領域（ｃｏｎｔｒｏｌ  ｒｅｇｉｏｎ）のシンボルの数に対する第２情報を前記基地局から受信することができる（Ｓ１９０２）。例えば、前記第２情報は、物理制御フォーマット指示子チャネル（ｐｈｙｓｉｃａｌ  ｃｏｎｔｒｏｌ  ｆｏｒｍａｔ  ｉｎｄｉｃａｔｏｒ  ｃｈａｎｎｅｌ、ＰＣＦＩＣＨ）又は上位層の信号を介して受信されることができる。即ち、前記第２情報は、制御フォーマット指示子（Ｃｏｎｔｒｏｌ  Ｆｏｒｍａｔ  Ｉｎｄｉｃａｔｏｒ、ＣＦＩ）であってもよい。
【０３５２】
制御領域は、制御情報が送信される時間及び／又は周波数資源であってもよい。
【０３５３】
次に、プロセッサ２１２１は、ＲＦユニット２１２３を介して、第２情報に基づいて、ＰＤＳＣＨの繰り返し回数に関する情報を含むダウンリンク制御情報（ｄｏｗｎｌｉｎｋ  ｃｏｎｔｒｏｌ  ｉｎｆｏｒｍａｔｉｏｎ、ＤＣＩ）を前記基地局から受信することができる（Ｓ１９０３）。例えば、第２情報が２シンボルである場合、ＤＣＩは該当２シンボルを介して送信されることができる。また、ＰＤＳＣＨの繰り返し回数に関する情報は、上位層の信号を介して上位層のパラメータｂｌｉｎｄＳｕｂｆｒａｍｅＰＤＳＣＨ−Ｒｅｐｅｔｉｔｉｏｎｓ又はｂｌｉｎｄＳｌｏｔＳｕｂｓｌｏｔＰＤＳＣＨ−Ｒｅｐｅｔｉｔｉｏｎｓが設定された場合に存在する情報であってもよい。
【０３５４】
次に、プロセッサ２１２１は、ＲＦユニット２１２３を介して、前記ＤＣＩに基づいて前記基地局から前記ＰＤＳＣＨを繰り返して受信できる（Ｓ１９０４）。端末はＰＤＳＣＨの繰り返し回数に関する情報に基づいて、幾つかのＴＴＩの間に同じＴＢ（Ｔｒａｎｓｐｏｒｔ  Ｂｌｏｃｋ）が繰り返されて送信されるか確認し、受信動作を行うことができる。ＰＤＳＣＨの繰り返し回数に関する情報は、ＰＤＣＣＨ（ｐｈｙｓｉｃａｌ  ｄｏｗｎｌｉｎｋ  ｃｏｎｔｒｏｌ  ｃｈａｎｎｅｌ）又はＤＣＩがスケジューリングするＰＤＳＣＨの全体送信ＴＴＩの個数であってもよい。前記ＰＤＳＣＨの繰り返し回数に関する情報によるＴＴＩの個数は、前記ＤＣＩが受信されたＴＴＩからカウント（ｃｏｕｎｔ）できる。
【０３５５】
特に、前記制御領域が特定の個数のシンボルに設定された場合、ＰＤＳＣＨの繰り返し受信のためのＴＴＩに前記制御領域と関連したＴＴＩは含まれなくてもよい。言い換えると、前記ＰＤＳＣＨは、前記制御領域が特定の個数のシンボルに設定された場合、前記制御領域と関連したＴＴＩ（Ｔｒａｎｓｍｉｓｓｉｏｎ  Ｔｉｍｅ  Ｉｎｔｅｒｖａｌ）を除外又はスキップし、ＰＤＳＣＨの繰り返し回数に関する情報によるＴＴＩの個数だけ受信及び／又はデコーディングされることができる。
【０３５６】
ここで、ＴＴＩは、サブフレーム（ｓｕｂｆｒａｍｅ）、スロット（ｓｌｏｔ）、又はサブスロット（ｓｕｂｓｌｏｔ）であってもよい。
【０３５７】
また、前記特定の個数のシンボルは、２シンボル又は３シンボルであってもよい。
【０３５８】
また、ＴＴＩがサブスロットである場合、制御領域と関連したサブスロットは、サブフレームで一番目のサブスロット（ｓｕｂｓｌｏｔ＃０）であってもよい。或いは、制御領域と関連したサブスロットは、第２情報によってＤＣＩを送信するのに使用される２シンボル又は３シンボルを含むサブスロットであってもよい。
【０３５９】
例えば、前記ＰＤＳＣＨは、前記制御領域が２シンボル又は３シンボル（特定の個数のシンボル）に設定された場合、該当シンボルを含むサブスロット（例：ｓｕｂｓｌｏｔ＃０）を除外及び／又はスキップし、ＰＤＳＣＨの繰り返し回数に関する情報によるＴＴＩの個数だけ送信されると仮定し、繰り返されるＰＤＳＣＨを受信及び／又はデコーディングされることができる。
【０３６０】
言い換えると、端末は、図１８（ａ）で、第２情報が２シンボル又は３シンボルを示す場合、１stＴＴＩ（１８１２）及び、２ndＴＴＩ（１８１３）でＰＤＳＣＨを繰り返し受信し、制御領域と関連したｓｕｂｓｌｏｔ＃０（１８１１）を除外又はスキップし、３rdＴＴＩ（１８１４）及び４thＴＴＩ（１８１５）でＰＤＳＣＨが繰り返し送信されると仮定し、デコーディングを行うことができる。
【０３６１】
或いは、前記ＰＤＳＣＨは、前記制御領域が特定の個数のシンボルに設定された場合、前記制御領域の長さ（ｌｅｎｇｔｈ）によって影響を受けたＴＴＩ（例：ｓｕｂｓｌｏｔ＃０及びｓｕｂｓｌｏｔ＃１）を除き、前記ＰＤＳＣＨの繰り返し回数に関する情報によるＴＴＩの個数だけデコーディングされることができる。
【０３６２】
また、ＰＤＳＣＨの繰り返しが複数のサブフレームにかけて送信される場合、端末はＤＣＩを受信したサブスロットから複数のサブフレームそれぞれの一番目のサブスロット（ｓｕｂｓｌｏｔ＃０）を除き、前記ＰＤＳＣＨの繰り返し回数に関する情報だけ、ＰＤＳＣＨが繰り返し送信されたことを仮定し、デコーディングを行うことができる。
【０３６３】
そして／又は、端末は、第２情報が特定のシンボル（例：１シンボル）を示す場合、該当シンボルを含む特定ＴＴＩ（例：ｓｕｂｓｌｏｔ＃０）も含めてＰＤＳＣＨの繰り返し回数に関する情報だけＰＤＳＣＨが送信されると仮定し、デコーディングを行うことができる。例えば、端末は、図１８（ｂ）で、制御領域のシンボルの数に対する情報が１シンボルを示す場合、ｓｕｂｌｓｏｔ＃０（１８２１）も含めてＰＤＳＣＨが繰り返し送信されたと仮定し、デコーディングを行うことができる。
【０３６４】
或いは、端末は、第２情報が１ＯＦＤＭシンボル（又は特定の個数のシンボル）を示す場合、前記制御領域の長さ（ｌｅｎｇｔｈ）によって影響を受けた特定ＴＴＩ（例：ｓｕｂｓｌｏｔ＃０及びｓｕｂｓｌｏｔ＃１）を含めてＰＤＳＣＨの繰り返し送信回数に関する情報だけＰＤＳＣＨが送信されると仮定し、デコーディングを行うことができる。
【０３６５】
そして／又は、端末は第２情報と関係なく、特定ＴＴＩ（例：ｓｕｂｓｌｏｔ＃０）を除外及び／又はスキップし、ＰＤＳＣＨの繰り返し回数に関する情報だけＰＤＳＣＨが送信されると仮定し、デコーディングを行うことができる。或いは、端末は第２情報と関係なく、前記制御領域の長さ（ｌｅｎｇｔｈ）によって影響を受けた特定ＴＴＩ（例：ｓｕｂｓｌｏｔ＃０及びｓｕｂｓｌｏｔ＃１）を除外及び／又はスキップし、前記ＰＤＳＣＨの繰り返し回数に関する情報だけＰＤＳＣＨが送信されると仮定し、デコーディングを行うことができる。
【０３６６】
そして／又は、ＰＤＳＣＨの繰り返しに関する動作がサブフレームの境界（ｓｕｂｆｒａｍｅ  ｂｏｕｎｄａｒｙ）内に制限されるように端末及び／又は基地局に約束、定義、及び／又は設定できる。例えば、端末がサブフレーム内でのみ同じＴＢに対して複数のＴＴＩで繰り返されて送信されるＰＤＳＣＨのデコーディングを行うように規則が定義、約束、及び／又は設定できる。言い換えると、端末は連続された複数のサブフレームで同じＴＢに対して複数のＴＴＩで繰り返されて送信されるＰＤＳＣＨのデコーディングを期待しなくてもよい。
【０３６７】
前述した方法を介して、ＰＤＳＣＨの繰り返し動作で基地局と端末間のＰＤＳＣＨ受信の信頼性（ｒｅｌｉａｂｉｌｉｔｙ）を向上させることができる。
【０３６８】
以下、図２１を参考にして説明した端末の動作は、図１乃至図１９を参考にして説明した端末の動作と同一であるので、これ以外の詳細な説明は省略する。
【０３６９】
図２０は、本明細書で提案する基地局の動作方法を説明するためのフローチャートである。
【０３７０】
図２０を参照すると、まず、基地局はＰＤＳＣＨの繰り返し（Ｒｅｐｅｔｉｔｉｏｎ）に関する動作の設定に対する第１情報を含む上位層の信号を端末に送信することができる（Ｓ２００１）。例えば、前記ＰＤＳＣＨの繰り返しに関する動作は、ＨＡＲＱ−ｌｅｓｓ／ｂｌｉｎｄ  ＰＤＳＣＨ（又は、ＨＡＲＱ−ｌｅｓｓ及び／又はｂｌｉｎｄ  ＰＤＳＣＨ）の繰り返し動作であってもよい。前記第１情報は、上位層（ｈｉｇｈｅｒ  ｌａｙｅｒ）のパラメータ（ｐａｒａｍｅｔｅｒ）ｂｌｉｎｄＳｌｏｔＳｕｂｓｌｏｔＰＤＳＣＨ−Ｒｅｐｅｔｉｔｉｏｎｓ又はｂｌｉｎｄＳｕｂｆｒａｍｅＰＤＳＣＨ−Ｒｅｐｅｔｉｔｉｏｎｓを含んでもよい。
【０３７１】
ｂｌｉｎｄＳｌｏｔＳｕｂｓｌｏｔＰＤＳＣＨ−Ｒｅｐｅｔｉｔｉｏｎｓは、端末がスロット又はサブスロットに対するＰＤＳＣＨの繰り返し動作を支援するように設定する情報であってもよい。
【０３７２】
ｂｌｉｎｄＳｕｂｆｒａｍｅＰＤＳＣＨ−Ｒｅｐｅｔｉｔｉｏｎｓは、端末が前記サブフレームに対するＰＤＳＣＨの繰り返し動作を支援するように設定する情報であってもよい。
【０３７３】
次に、基地局は制御領域のシンボルの数に対する第２情報を前記端末に送信することができる（Ｓ２００２）。例えば、前記第２情報は、物理制御フォーマット指示子チャネル（ｐｈｙｓｉｃａｌ  ｃｏｎｔｒｏｌ  ｆｏｒｍａｔ  ｉｎｄｉｃａｔｏｒ  ｃｈａｎｎｅｌ、ＰＣＦＩＣＨ）又は上位層の信号を介して受信されることができる。即ち、前記第２情報は、制御フォーマット指示子（Ｃｏｎｔｒｏｌ  Ｆｏｒｍａｔ  Ｉｎｄｉｃａｔｏｒ、ＣＦＩ）であってもよい。制御領域は、制御情報が送信される時間及び／又は周波数資源であってもよい。
【０３７４】
次に、基地局は、ＰＤＳＣＨの繰り返し回数に関する情報を含むダウンリンク制御情報（ｄｏｗｎｌｉｎｋ  ｃｏｎｔｒｏｌ  ｉｎｆｏｒｍａｔｉｏｎ、ＤＣＩ）を前記端末に送信することができる（Ｓ２００３）。例えば、ＰＤＳＣＨの繰り返し回数に関する情報は、上位層の信号を介して上位層のパラメータｂｌｉｎｄＳｕｂｆｒａｍｅＰＤＳＣＨ−Ｒｅｐｅｔｉｔｉｏｎｓ又はｂｌｉｎｄＳｌｏｔＳｕｂｓｌｏｔＰＤＳＣＨ−Ｒｅｐｅｔｉｔｉｏｎｓが設定された場合に存在する情報であってもよい。
【０３７５】
次に、基地局は、前記端末に前記ＰＤＳＣＨを繰り返して送信することができる（Ｓ２００４）。端末はＰＤＳＣＨの繰り返し回数に関する情報に基づいて、いくつかのＴＴＩの間に同じＴＢ（Ｔｒａｎｓｐｏｒｔ  Ｂｌｏｃｋ）が繰り返されて送信されるか確認し、受信動作を行うことができる。ＰＤＳＣＨの繰り返し回数に関する情報は、ＰＤＣＣＨ（ｐｈｙｓｉｃａｌ  ｄｏｗｎｌｉｎｋ  ｃｏｎｔｒｏｌ  ｃｈａｎｎｅｌ）又はＤＣＩがスケジューリングするＰＤＳＣＨの全体送信ＴＴＩの個数であってもよい。前記ＰＤＳＣＨの繰り返し回数に関する情報によるＴＴＩの個数は前記制御情報が受信されたＴＴＩからカウント（ｃｏｕｎｔ）できる。
【０３７６】
特に、制御領域が特定の個数のシンボルに設定された場合、前記端末のＰＤＳＣＨの繰り返し受信のためのＴＴＩに前記制御領域と関連したＴＴＩが含まれなくてもよい。言い換えると、前記ＰＤＳＣＨは、前記制御領域が特定の個数のシンボルに設定された場合、前記制御領域と関連したＴＴＩ（Ｔｒａｎｓｍｉｓｓｉｏｎ  Ｔｉｍｅ  Ｉｎｔｅｒｖａｌ）を除外又はスキップし、前記ＰＤＳＣＨの繰り返し回数に関する情報によるＴＴＩの個数だけ受信及び／又はデコーディングされることができる。或いは、前記ＰＤＳＣＨは、前記制御領域が特定の個数のシンボルに設定された場合、前記制御領域の長さ（ｌｅｎｇｔｈ）によって影響を受けたＴＴＩ（例：ｓｕｂｓｌｏｔ＃０及びｓｕｂｓｌｏｔ＃１）を除き、前記ＰＤＳＣＨの繰り返し回数に関する情報によるＴＴＩの個数だけデコーディングされることができる。
【０３７７】
ここで、ＴＴＩはサブフレーム（ｓｕｂｆｒａｍｅ）、スロット（ｓｌｏｔ）、又はサブスロット（ｓｕｂｓｌｏｔ）であってもよい。
【０３７８】
また、前記特定の個数のシンボルは、２シンボル又は３シンボルであってもよい。
【０３７９】
また、ＴＴＩがサブスロットである場合、制御領域と関連したサブスロットは、サブフレームで一番目のサブスロット（ｓｕｂｓｌｏｔ＃０）であってもよい。或いは、制御領域と関連したサブスロットは、第２情報によって制御領域を送信するのに使用される２シンボル又は３シンボルを含むサブスロットであってもよい。前記ＰＤＳＣＨは、前記制御領域が２シンボル又は３シンボルに設定された場合、該当シンボルを含むサブスロット（例：ｓｕｂｓｌｏｔ＃０）を除外及び／又はスキップし、ＰＤＳＣＨの繰り返し回数に関する情報によるＴＴＩの個数だけ送信されると仮定し、繰り返されるＰＤＳＣＨを端末によって受信及び／又はデコーディングされることができる。
【０３８０】
言い換えると、端末は、図１８（ａ）で、第２情報が２シンボル又は３シンボルを示す場合、１stＴＴＩ（１８１２）及び、２ndＴＴＩ（１８１３）でＰＤＳＣＨを繰り返し受信し、制御領域と関連したｓｕｂｓｌｏｔ＃０（１８１１）を除外又はスキップし、３rdＴＴＩ（１８１４）及び４thＴＴＩ（１８１５）でＰＤＳＣＨが繰り返し送信されると仮定し、デコーディングを行うことができる。
【０３８１】
また、ＰＤＳＣＨの繰り返しが複数のサブフレームにかけて送信される場合、端末はＤＣＩを受信したサブスロットから複数のサブフレームそれぞれの一番目のサブスロット（ｓｕｂｓｌｏｔ＃０）を除き、ＰＤＳＣＨの繰り返し回数に関する情報だけ、ＰＤＳＣＨが繰り返されることを仮定し、デコーディングを行うことができる。例えば、端末は、図１８（ａ）で、第２情報が２シンボル又は３シンボルを示す場合、ｓｕｂｓｌｏｔ＃０（１８１１）を除き、ＰＤＳＣＨが繰り返し送信されると仮定し、デコーディングを行うことができる。
【０３８２】
そして／又は、端末は第２情報が特定シンボル（例：１シンボル）を示す場合、該当シンボルを含む特定ＴＴＩ（例：ｓｕｂｓｌｏｔ＃０）も含めてＰＤＳＣＨの繰り返し回数に関する情報だけＰＤＳＣＨが送信されると仮定し、デコーディングを行うことができる。例えば、端末は図１８（ｂ）で、第２情報が１シンボルを示す場合、ｓｕｂｌｓｏｔ＃０（１８２１）も含めてＰＤＳＣＨが繰り返し送信されたと仮定し、デコーディングを行うことができる。
【０３８３】
或いは、端末は、第２情報が１ＯＦＤＭシンボル（又は、特定の個数のシンボル）を示す場合、前記制御領域の長さ（ｌｅｎｇｔｈ）によって影響を受けた特定ＴＴＩ（例：ｓｕｂｓｌｏｔ＃０及びｓｕｂｓｌｏｔ＃１）を含めてＰＤＳＣＨの繰り返し送信の回数に関する情報だけＰＤＳＣＨが送信されると仮定し、デコーディングを行うことができる。
【０３８４】
そして／又は、端末は第２情報と関係なく、特定ＴＴＩ（例：ｓｕｂｓｌｏｔ＃０）を除外及び／又はスキップし、ＰＤＳＣＨの繰り返し回数に関する情報だけＰＤＳＣＨが送信されると仮定し、デコーディングを行うことができる。或いは、端末は制御領域のシンボルの数に対する情報と関係なく、前記制御領域の長さ（ｌｅｎｇｔｈ）によって影響を受けた特定ＴＴＩ（例：ｓｕｂｓｌｏｔ＃０及びｓｕｂｓｌｏｔ＃１）を除外及び／又はスキップし、前記ＰＤＳＣＨの繰り返し回数に関する情報だけＰＤＳＣＨが送信されると仮定し、デコーディングを行うことができる。
【０３８５】
そして／又は、ＰＤＳＣＨの繰り返しに関する動作がサブフレームの境界（ｓｕｂｆｒａｍｅ  ｂｏｕｎｄａｒｙ）内に制限されるように、端末及び／又は基地局に約束、定義、及び／又は設定されることができる。例えば、端末がサブフレーム内でのみ同じＴＢに対して複数のＴＴＩで繰り返されて送信されるＰＤＳＣＨのデコーディングを行うように、規則が定義、約束、及び／又は設定できる。言い換えると、端末は連続された複数のサブフレームで同じＴＢに対して複数のＴＴＩで繰り返されて送信されるＰＤＳＣＨのデコーディングを期待しなくてもよい。
【０３８６】
前述した方式を介して、ＰＤＳＣＨの繰り返し動作で基地局と端末間のＰＤＳＣＨ受信の信頼性（ｒｅｌｉａｂｉｌｉｔｙ）を向上させることができる。
【０３８７】
以下、図２０に示されている基地局の動作方法は、図１乃至図１９を参考にして説明した基地局の動作方法と同一であるので、これ以外の詳細な説明は省略する。
【０３８８】
これに関して、前述した基地局の動作は、本明細書の図２１に示されている基地局装置２１１０によって具体的に具現できる。例えば、前述した基地局の動作は、プロセッサ２１１１及び／又はＲＦユニット２１１３によって行われることができる。
【０３８９】
図２１を参照すると、まず、プロセッサ２１１１はＲＦユニット２１１３を介して、ＰＤＳＣＨの繰り返し（Ｒｅｐｅｔｉｔｉｏｎ）に関する動作の設定に対する第１情報を含む上位層の信号を端末に送信することができる（Ｓ２００１）。例えば、前記ＰＤＳＣＨの繰り返しに関する動作は、ＨＡＲＱ−ｌｅｓｓ／ｂｌｉｎｄ  ＰＤＳＣＨ（又は、ＨＡＲＱ−ｌｅｓｓ及び／又はｂｌｉｎｄ  ＰＤＳＣＨ）の繰り返し動作であってもよい。前記第１情報は、上位層（ｈｉｇｈｅｒ  ｌａｙｅｒ）のパラメータ（ｐａｒａｍｅｔｅｒ）ｂｌｉｎｄＳｌｏｔＳｕｂｓｌｏｔＰＤＳＣＨ−Ｒｅｐｅｔｉｔｉｏｎｓ又はｂｌｉｎｄＳｕｂｆｒａｍｅＰＤＳＣＨ−Ｒｅｐｅｔｉｔｉｏｎｓを含んでもよい。
【０３９０】
ｂｌｉｎｄＳｌｏｔＳｕｂｓｌｏｔＰＤＳＣＨ−Ｒｅｐｅｔｉｔｉｏｎｓは、端末がスロット又はサブスロットに対するＰＤＳＣＨの繰り返し動作を支援するように設定する情報であってもよい。
【０３９１】
ｂｌｉｎｄＳｕｂｆｒａｍｅＰＤＳＣＨ−Ｒｅｐｅｔｉｔｉｏｎｓは、端末が前記サブフレームに対するＰＤＳＣＨの繰り返し動作を支援するように設定する情報であってもよい。
【０３９２】
次に、プロセッサ２１１１はＲＦユニット２１１３を介して、制御領域のシンボルの数に対する第２情報を前記端末に送信することができる（Ｓ２００２）。例えば、前記第２情報は、物理制御フォーマット指示子チャネル（ｐｈｙｓｉｃａｌ  ｃｏｎｔｒｏｌ  ｆｏｒｍａｔ  ｉｎｄｉｃａｔｏｒ  ｃｈａｎｎｅｌ、ＰＣＦＩＣＨ）又は上位層の信号を介して受信されることができる。即ち、前記第２情報は、制御フォーマット指示子（Ｃｏｎｔｒｏｌ  Ｆｏｒｍａｔ  Ｉｎｄｉｃａｔｏｒ、ＣＦＩ）であってもよい。制御領域は、制御情報が送信される時間及び／又は周波数資源であってもよい。
【０３９３】
次に、プロセッサ２１１１はＲＦユニット２１１３を介して、ＰＤＳＣＨの繰り返し回数に関する情報を含むダウンリンク制御情報（ｄｏｗｎｌｉｎｋ  ｃｏｎｔｒｏｌ  ｉｎｆｏｒｍａｔｉｏｎ、ＤＣＩ）を前記端末に送信することができる（Ｓ２００３）。例えば、ＰＤＳＣＨの繰り返し回数に関する情報は、上位層の信号を介して上位層のパラメータｂｌｉｎｄＳｕｂｆｒａｍｅＰＤＳＣＨ−Ｒｅｐｅｔｉｔｉｏｎｓ又はｂｌｉｎｄＳｌｏｔＳｕｂｓｌｏｔＰＤＳＣＨ−Ｒｅｐｅｔｉｔｉｏｎｓが設定された場合に存在する情報であってもよい。
【０３９４】
次に、プロセッサ２１１１はＲＦユニット２１１３を介して、前記端末に前記ＰＤＳＣＨを繰り返して送信できる（Ｓ２００４）。端末は、ＰＤＳＣＨの繰り返し回数に関する情報に基づいて、いくつかのＴＴＩの間に同じＴＢ（Ｔｒａｎｓｐｏｒｔ  Ｂｌｏｃｋ）が繰り返されて送信されるか確認し、受信動作を行うことができる。ＰＤＳＣＨの繰り返し回数に関する情報は、ＰＤＣＣＨ（ｐｈｙｓｉｃａｌ  ｄｏｗｎｌｉｎｋ  ｃｏｎｔｒｏｌ  ｃｈａｎｎｅｌ）又はＤＣＩがスケジューリングするＰＤＳＣＨの全体送信ＴＴＩの個数であり得る。前記ＰＤＳＣＨの繰り返し回数に関する情報によるＴＴＩの個数は、前記制御情報が受信されたＴＴＩからカウント（ｃｏｕｎｔ）できる。
【０３９５】
特に、制御領域が特定の個数のシンボルに設定された場合、前記端末のＰＤＳＣＨの繰り返し受信のためのＴＴＩに前記制御領域と関連したＴＴＩが含まれなくてもよい。言い換えると、前記ＰＤＳＣＨは、前記制御領域が特定の個数のシンボルに設定された場合、前記制御領域と関連したＴＴＩ（Ｔｒａｎｓｍｉｓｓｉｏｎ  Ｔｉｍｅ  Ｉｎｔｅｒｖａｌ）を除外又はスキップし、前記ＰＤＳＣＨの繰り返し回数に関する情報によるＴＴＩの個数だけ受信及び／又はデコーディングされることができる。或いは、前記ＰＤＳＣＨは、前記制御領域が特定の個数のシンボルに設定された場合、前記制御領域の長さ（ｌｅｎｇｔｈ）によって影響を受けたＴＴＩ（例：ｓｕｂｓｌｏｔ＃０及びｓｕｂｓｌｏｔ＃１）を除き、前記ＰＤＳＣＨの繰り返し回数に関する情報によるＴＴＩの個数だけデコーディングされることができる。
【０３９６】
ここで、ＴＴＩはサブフレーム（ｓｕｂｆｒａｍｅ）、スロット（ｓｌｏｔ）、又はサブスロット（ｓｕｂｓｌｏｔ）であってもよい。
【０３９７】
また、前記特定の個数のシンボルは、２シンボル又は３シンボルであってもよい。
【０３９８】
また、ＴＴＩがサブスロットである場合、制御領域と関連したサブスロットは、サブフレームで一番目のサブスロット（ｓｕｂｓｌｏｔ＃０）であってもよい。或いは、制御領域と関連したサブスロットは、第２情報によって制御領域を送信するのに使用される２シンボル又は３シンボルを含むサブスロットであってもよい。前記ＰＤＳＣＨは、前記制御領域が２シンボル又は３シンボルに設定された場合、該当シンボルを含むサブスロット（例：ｓｕｂｓｌｏｔ＃０）を除外及び／又はスキップし、ＰＤＳＣＨの繰り返し回数に関する情報によるＴＴＩの個数だけ送信されると仮定し、繰り返されるＰＤＳＣＨを端末によって受信及び／又はデコーディングできる。
【０３９９】
言い換えると、端末は図１８（ａ）で、第２情報が２シンボル又は３シンボルを示す場合、１stＴＴＩ（１８１２）及び、２ndＴＴＩ（１８１３）でＰＤＳＣＨを繰り返し受信し、制御領域と関連したｓｕｂｓｌｏｔ＃０（１８１１）を除外又はスキップし、３rdＴＴＩ（１８１４）及び４thＴＴＩ（１８１５）でＰＤＳＣＨが繰り返し送信されると仮定し、デコーディングを行うことができる。
【０４００】
また、ＰＤＳＣＨの繰り返しが複数のサブフレームにかけて送信される場合、端末はＤＣＩを受信したサブスロットから複数のサブフレームそれぞれの一番目のサブスロット（ｓｕｂｓｌｏｔ＃０）を除き、ＰＤＳＣＨの繰り返し回数に関する情報だけ、ＰＤＳＣＨが繰り返し送信されることを仮定し、デコーディングを行うことができる。例えば、端末は図１８（ａ）で、第２情報が２シンボル又は３シンボルを示す場合、ｓｕｂｓｌｏｔ＃０（１８１１）を除いてＰＤＳＣＨが繰り返し送信されると仮定し、デコーディングを行うことができる。
【０４０１】
そして／又は、端末は、第２情報が特定シンボル（例：１シンボル）を示す場合、該当シンボルを含む特定ＴＴＩ（例：ｓｕｂｓｌｏｔ＃０）も含めてＰＤＳＣＨの繰り返し回数に関する情報だけＰＤＳＣＨが送信されると仮定し、デコーディングを行うことができる。例えば、端末は図１８（ｂ）で、第２情報が１シンボルを示す場合、ｓｕｂｌｓｏｔ＃０（１８２１）も含めてＰＤＳＣＨが繰り返し送信されたと仮定し、デコーディングを行うことができる。
【０４０２】
或いは、端末は、第２情報が１ＯＦＤＭシンボル（又は、特定の個数のシンボル）を示す場合、前記制御領域の長さ（ｌｅｎｇｔｈ）によって影響を受けた特定ＴＴＩ（例：ｓｕｂｓｌｏｔ＃０及びｓｕｂｓｌｏｔ＃１）を含めてＰＤＳＣＨの繰り返し送信回数に関する情報だけＰＤＳＣＨが送信されると仮定し、デコーディングを行うことができる。
【０４０３】
そして／又は、端末は第２情報と関係なく、特定ＴＴＩ（例：ｓｕｂｓｌｏｔ＃０）を除外及び／又はスキップし、ＰＤＳＣＨの繰り返し回数に関する情報だけＰＤＳＣＨが送信されると仮定し、デコーディングを行うことができる。或いは、端末は制御領域のシンボルの数に対する情報と関係なく、前記制御領域の長さ（ｌｅｎｇｔｈ）によって影響を受けた特定ＴＴＩ（例：ｓｕｂｓｌｏｔ＃０及びｓｕｂｓｌｏｔ＃１）を除外及び／又はスキップし、前記ＰＤＳＣＨの繰り返し回数に関する情報だけＰＤＳＣＨが送信されると仮定し、デコーディングを行うことができる。
【０４０４】
そして／又は、ＰＤＳＣＨの繰り返しに関する動作がサブフレームの境界（ｓｕｂｆｒａｍｅ  ｂｏｕｎｄａｒｙ）内に制限されるように、端末及び／又は基地局に約束、定義、及び／又は設定されることができる。例えば、端末がサブフレーム内でのみ同じＴＢに対して複数のＴＴＩで繰り返されて送信されるＰＤＳＣＨのデコーディングを行うように規則が定義、約束、及び／又は設定できる。言い換えると、端末は連続された複数のサブフレームで同じＴＢに対して複数のＴＴＩで繰り返されて送信されるＰＤＳＣＨのデコーディングを期待しなくてもよい。
【０４０５】
前述した方式を介して、ＰＤＳＣＨの繰り返し動作で基地局と端末間のＰＤＳＣＨの受信の信頼性（ｒｅｌｉａｂｉｌｉｔｙ）を向上させることができる。
【０４０６】
以下、図２１を参考にして説明した基地局の動作は、図１乃至図２０を参考にして説明した基地局の動作と同一であるので、これ以外の詳細な説明は省略する。
【０４０７】
本発明が適用できる装置一般
図２１は、本発明が適用できる無線通信装置の内部ブロック図の一例を示す。
図２１を参照すると、無線通信システムは基地局２１１０と基地局２１１０の領域内に位置した多数の端末２１２０を含む。
【０４０８】
基地局２１１０は、プロセッサ（ｐｒｏｃｅｓｓｏｒ）２１１１、メモリー（ｍｅｍｏｒｙ）２１１２、及びＲＦ部（ｒａｄｉｏ  ｆｒｅｑｕｅｎｃｙ  ｕｎｉｔ）２１１３を含む。プロセッサ２１１１は、先の図１乃至図２０で提案された機能、過程及び／又は方法を具現する。無線インターフェースプロトコルの層はプロセッサ２１１１により具現できる。メモリー２１１２はプロセッサ２１１１と連結されて、プロセッサ２１１１を駆動するための多様な情報を格納する。ＲＦ部２１１３はプロセッサ２１１１と連結されて、無線信号を送信及び／又は受信する。
【０４０９】
端末２１２０は、プロセッサ２１２１、メモリー２１２２、及びＲＦ部２１２３を含む。プロセッサ２１２１は先の図１乃至図２０で提案された機能、過程及び／又は方法を具現する。無線インターフェースプロトコルの層はプロセッサ２１２１により具現できる。メモリー２１２２はプロセッサ２１２１と連結されて、プロセッサ２１２１を駆動するための多様な情報を格納する。ＲＦ部２１２３はプロセッサ２１２１と連結されて、無線信号を送信及び／又は受信する。
【０４１０】
メモリー２１１２、２１２２はプロセッサ２１１１、２１２１の内部または外部にあってもよく、よく知られている多様な手段によりプロセッサ２１１１、２１２１と連結できる。
【０４１１】
また、基地局２１１０及び／又は端末２１２０は、１本のアンテナ（ｓｉｎｇｌｅ  ａｎｔｅｎｎａ）または多重アンテナ（ｍｕｌｔｉｐｌｅ  ａｎｔｅｎｎａ）を有することができる。
【０４１２】
図２２は、本発明の一実施例に係る通信装置のブロック構成図を例示する。
【０４１３】
特に、図２２では、前記図２１の端末をより詳細に例示する図である。
【０４１４】
図２２を参照すると、端末は、プロセッサ（またはデジタル信号プロセッサ（ＤＳＰ：ｄｉｇｉｔａｌ  ｓｉｇｎａｌ  ｐｒｏｃｅｓｓｏｒ）２２１０、ＲＦモジュール（ＲＦ  ｍｏｄｕｌｅ）（またはＲＦユニット）２２３５、パワー管理モジュール（ｐｏｗｅｒ  ｍａｎａｇｅｍｅｎｔ  ｍｏｄｕｌｅ）２２０５、アンテナ（ａｎｔｅｎｎａ）２２４０、バッテリー（ｂａｔｔｅｒｙ）２２５５、ディスプレイ（ｄｉｓｐｌａｙ）２２１５、キーパッド（ｋｅｙｐａｄ）２２２０、メモリー（ｍｅｍｏｒｙ）２２３０、ＳＩＭカード（ＳＩＭ（Ｓｕｂｓｃｒｉｂｅｒ  Ｉｄｅｎｔｉｆｉｃａｔｉｏｎ  Ｍｏｄｕｌｅ）ｃａｒｄ）２２２５（この構成は選択的である）、スピーカー（ｓｐｅａｋｅｒ）２２４５、及びマイクロフォン（ｍｉｃｒｏｐｈｏｎｅ）２２５０を含めて構成できる。また、端末は単一のアンテナまたは多重のアンテナを含むことができる。
【０４１５】
プロセッサ２２１０は先の図１乃至図２１で提案された機能、過程及び／又は方法を具現する。無線インターフェースプロトコルの層はプロセッサ２２１０により具現できる。
【０４１６】
メモリ２２３０はプロセッサ２２１０と連結され、プロセッサ２２１０の動作と関連した情報を格納する。メモリ２２３０はプロセッサ２２１０の内部または外部にあってもよく、よく知られている多様な手段によりプロセッサ２２１０と連結できる。
【０４１７】
ユーザは、例えば、キーパッド２２２０のボタンを押すか（あるいはタッチするか）、またはマイクロフォン２２５０を用いた音声駆動（ｖｏｉｃｅ  ａｃｔｉｖａｔｉｏｎ）によって電話番号などのような命令情報を入力する。プロセッサ２２１０は、このような命令情報を受信し、電話番号に電話をかけるなど、適切な機能を行うように処理する。駆動上のデータ（ｏｐｅｒａｔｉｏｎａｌ  ｄａｔａ）は、ＳＩＭカード２２２５またはメモリ２２３０から抽出できる。また、プロセッサ２２１０は、ユーザが認知し、また便宜のために、命令情報または駆動情報をディスプレイ２２１５上にディスプレイすることができる。
【０４１８】
ＲＦモジュール２２３５は、プロセッサ２２１０に連結されて、ＲＦ信号を送信及び／又は受信する。プロセッサ２２１０は、通信を開始するために、例えば、音声通信データを構成する無線信号を送信するように命令情報をＲＦモジュール２２３５に伝達する。ＲＦモジュール２２３５は、無線信号を受信および送信するために受信機（ｒｅｃｅｉｖｅｒ）と送信機（ｔｒａｎｓｍｉｔｔｅｒ）で構成される。アンテナ２２４０は、無線信号を送信および受信する機能をする。無線信号を受信する際に、ＲＦモジュール２２３５は、プロセッサ２２１０によって処理するために信号を伝達して、基底帯域に信号を変換することができる。処理された信号は、スピーカー２２４５を介して出力される可聴または可読情報に変換されることができる。
【０４１９】
図２３は、本明細書で提案する方法が適用できる無線通信装置のＲＦモジュールの一例を示した図である。
【０４２０】
具体的に、図２３はＦＤＤ（Ｆｒｅｑｕｅｎｃｙ  Ｄｉｖｉｓｉｏｎ  Ｄｕｐｌｅｘ）システムで具現できるＲＦモジュールの一例を示す。
【０４２１】
まず、送信経路で、図２１及び図２２で記述されたプロセッサは、送信されるデータをプロセシングしてアナログ出力信号を送信機２３１０に提供する。
【０４２２】
送信機２３１０内で、アナログ出力信号はディジタル−対−アナログ変換（ＡＤＣ）により引起こされるイメージを除去するために、低域通過フィルタ（Ｌｏｗ  Ｐａｓｓ  Ｆｉｌｔｅｒ、ＬＰＦ）２３１１によりフィルタリングされ、アップコンバーター（Ｍｉｘｅｒ）２３１２により基底帯域からＲＦにアップコンバートし、可変利得増幅器（Ｖａｒｉａｂｌｅ  Ｇａｉｎ  Ａｍｐｌｉｆｉｅｒ、ＶＧＡ）２３１３により増幅され、増幅された信号はフィルタ２３１４によりフィルタリングされ、電力増幅器（Ｐｏｗｅｒ  Ａｍｐｌｉｆｉｅｒ、ＰＡ）２３１５によりさらに増幅され、デュプレクサ２３５０／アンテナスイッチ２３６０を介してルーティングされ、アンテナ２３７０を介して送信される。
【０４２３】
また、受信経路で、アンテナは外部から信号を受信して、受信された信号を提供し、この信号はアンテナスイッチ２３６０／デュプレクサ２３５０を介してルーティングされ、受信機２３２０に提供される。
【０４２４】
受信機２３２０内で、受信された信号は低雑音増幅器（Ｌｏｗ  Ｎｏｉｓｅ  Ａｍｐｌｉｆｉｅｒ、ＬＮＡ）２３２３により増幅され、帯域通過フィルタ２３２４によりフィルタリングされ、ダウンコンバータ（Ｍｉｘｅｒ）２３２５によりＲＦから基底帯域にダウンコンバートする。
【０４２５】
前記ダウンコンバートした信号は低域通過フィルタ（ＬＰＦ）２３２６によりフィルタリングされ、ＶＧＡ２３２７により増幅されてアナログ入力信号を獲得し、これは図２１及び図２２で記述したプロセッサに提供される。
【０４２６】
また、ローカルオシレータ（ｌｏｃａｌ  ｏｓｃｉｌｌａｔｏｒ、ＬＯ）発生器２３４０は、送信及び受信ＬＯ信号を発生及びアップコンバータ２３１２及びダウンコンバータ２３２５に各々提供する。
【０４２７】
また、位相固定ループ（Ｐｈａｓｅ  Ｌｏｃｋｅｄ  Ｌｏｏｐ、ＰＬＬ）２３３０は、適切な周波数で送信及び受信ＬＯ信号を生成するために、プロセッサから制御情報を受信し、制御信号をＬＯ発生器２３４０に提供する。
【０４２８】
また、図２３に図示されている回路は図２３に図示されている構成と異なるように配列されることもできる。
【０４２９】
図２４は、本明細書で提案する方法が適用できる無線通信装置のＲＦモジュールのまた別の一例を示した図である。
【０４３０】
具体的に、図２４はＴＤＤ（Ｔｉｍｅ  Ｄｉｖｉｓｉｏｎ  Ｄｕｐｌｅｘ）システムで具現できるＲＦモジュールの一例を示す。
【０４３１】
ＴＤＤシステムにおけるＲＦモジュールの送信機２４１０及び受信機２４２０は、ＦＤＤシステムにおけるＲＦモジュールの送信機及び受信機の構造と同一である。
【０４３２】
以下、ＴＤＤシステムのＲＦモジュールは、ＦＤＤシステムのＲＦモジュールと差が出る構造についてのみ見ることとし、同じ構造については図２３の説明を参照することとする。
【０４３３】
送信機の電力増幅器（Ｐｏｗｅｒ  Ａｍｐｌｉｆｉｅｒ、ＰＡ）２４１５により増幅された信号は、バンド選択スイッチ（Ｂａｎｄ  Ｓｅｌｅｃｔ  Ｓｗｉｔｃｈ）２４５０、バンド通過フィルタ（ＢＰＦ）２４６０、及びアンテナスイッチ２４７０を介してルーティングされ、アンテナ２４８０を介して送信される。
【０４３４】
また、受信経路で、アンテナは外部から信号を受信して、受信された信号を提供し、この信号はアンテナスイッチ２４７０、バンド通過フィルタ２４６０、及びバンド選択スイッチ２４５０を介してルーティングされ、受信機２４２０に提供される。
【０４３５】
本明細書における無線装置は、基地局、ネットワークノード、送信端末、受信端末、無線装置、無線通信装置、車両、自律走行機能を搭載した車両、ドローン（Ｕｎｍａｎｎｅｄ  Ａｅｒｉａｌ  Ｖｅｈｉｃｌｅ、ＵＡＶ）、ＡＩ（Ａｒｔｉｆｉｃｉａｌ  Ｉｎｔｅｌｌｉｇｅｎｃｅ）モジュール、ロボット、ＡＲ（Ａｕｇｍｅｎｔｅｄ  Ｒｅａｌｉｔｙ）装置、ＶＲ（Ｖｉｒｔｕａｌ  Ｒｅａｌｉｔｙ）装置、ＭＴＣ装置、ＩｏＴ装置、医療装置、フィンテック装置（又は金融装置）、保安装置、気候／環境装置又はその他の第４次産業革命分野又は５Ｇサービスと関連した装置等であり得る。例えば、ドローンは人が乗らず、無線コントロール信号によって飛行する飛行体であり得る。例えば、ＭＴＣ装置及びＩｏＴ装置は、人の直接的な介入や、又は操作が必要ではない装置であって、スマートメーター、ベンディングマシーン、温度計、スマート電球、ドアロック、各種センサ等であってもよい。例えば、医療装置は、疾病を診断、治療、軽減、処置又は予防する目的で使用される装置、構造又は機能を検査、代替又は変形する目的で使用される装置であって、診療用装備、手術用装置、（体外）診断用装置、補聴器、施術用装置等であってもよい。例えば、保安装置は、発生する恐れがある危険を防止し、安全を維持するために設置した装置であって、カメラ、ＣＣＴＶ、ブラックボックス等であってもよい。例えば、フィンテック装置は、モバイル決済等の金融サービスを提供することができる装置であって、決済装置、ＰＯＳ（Ｐｏｉｎｔ  ｏｆ  Ｓａｌｅｓ）等であってもよい。例えば、気候／環境装置は、気候／環境をモニタリング、予測する装置を意味し得る。
【０４３６】
本明細書における端末は、携帯電話、スマートフォン（ｓｍａｒｔ  ｐｈｏｎｅ）、ノートパソコン（ｌａｐｔｏｐ  ｃｏｍｐｕｔｅｒ）、デジタル放送用端末機、ＰＤＡ（ｐｅｒｓｏｎａｌ  ｄｉｇｉｔａｌ  ａｓｓｉｓｔａｎｔｓ）、ＰＭＰ（ｐｏｒｔａｂｌｅ  ｍｕｌｔｉｍｅｄｉａ  ｐｌａｙｅｒ）、ナビゲーション、スレートＰＣ（ｓｌａｔｅ  ＰＣ）、タブレットＰＣ（ｔａｂｌｅｔ  ＰＣ）、ウルトラブック（ｕｌｔｒａｂｏｏｋ）、ウェアラブルデバイス（ｗｅａｒａｂｌｅ  ｄｅｖｉｃｅ）、例えば、ウォッチ型端末機（ｓｍａｒｔｗａｔｃｈ）、ガラス型端末機（ｓｍａｒｔ  ｇｌａｓｓ）、ＨＭＤ（ｈｅａｄ  ｍｏｕｎｔｅｄ  ｄｉｓｐｌａｙ））、フォルダブル（ｆｏｌｄａｂｌｅ）デバイス等を含み得る。例えば、ＨＭＤは、頭に着用する形態のディスプレイ装置であって、ＶＲ又はＡＲを具現するために使用されることができる。
【０４３７】
以上で説明された実施例は、本発明の構成要素と特徴が所定の形態で結合されたものである。各構成要素または特徴は、別途の明示的な言及がない限り、選択的なものとして考慮されなければならない。各構成要素または特徴は、他の構成要素や特徴と結合されない形態で実施できる。また、一部の構成要素及び／又は特徴を結合して本発明の実施例を構成することも可能である。本発明の実施例で説明される動作の順序は変更され得る。ある実施形態の一部の構成や特徴は、他の実施例に含まれることができ、または他の実施例の対応する構成または特徴と取り替えることができる。特許請求範囲で明示的な引用関係がない請求項を結合して実施例を構成するか、または出願後の補正により新たな請求項に含めることができることは自明である。
【０４３８】
本発明に係る実施例は、多様な手段、例えば、ハードウェア、ファームウェア（ｆｉｒｍｗａｒｅ）、ソフトウェア、またはそれらの結合などにより具現できる。ハードウェアによる具現の場合、本発明の一実施例は１つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラー、マイクロコントローラー、マイクロプロセッサなどにより具現できる。
【０４３９】
ファームウェアやソフトウェアによる具現の場合、本発明の一実施例は以上で説明された機能または動作を行うモジュール、手続、関数などの形態で具現できる。ソフトウェアコードはメモリに格納されてプロセッサにより駆動できる。前記メモリは前記プロセッサの内部または外部に位置し、既に公知となっている多様な手段により前記プロセッサとデータをやり取りすることができる。
【０４４０】
本発明は、本発明の必須的な特徴を逸脱しない範囲で他の特定の形態で具体化できることは当業者にとって自明である。したがって、前述した詳細な説明は、全ての面で制限的に解釈されてはならず、例示的なものと考慮されなければならない。本発明の範囲は、添付した請求項の合理的な解釈により決定されなければならず、本発明の等価的な範囲内での全ての変更は、本発明の範囲に含まれる。
【産業上の利用可能性】
【０４４１】
本明細書の無線通信システムにおけるダウンリンクデータを送受信するための案は、３ＧＰＰ  ＬＴＥ／ＬＴＥ−Ａシステムに適用される例を中心として説明したが、３ＧＰＰ  ＬＴＥ／ＬＴＥ−Ａシステム以外にも、５Ｇシステム等の多様な無線通信システムに適用することが可能である。
【図１】
0006914366.tif 000027
【図２】
0006914366.tif 000028
【図３】
0006914366.tif 000029
【図４】
0006914366.tif 000030
【図５】
0006914366.tif 000031
【図６】
0006914366.tif 000032
【図７】
0006914366.tif 000033
【図８】
0006914366.tif 000034
【図９】
0006914366.tif 000035
【図１０】
0006914366.tif 000036
【図１１】
0006914366.tif 000037
【図１２】
0006914366.tif 000038
【図１３】
0006914366.tif 000039
【図１４】
0006914366.tif 000040
【図１５】
0006914366.tif 000041
【図１６】
0006914366.tif 000042
【図１７】
0006914366.tif 000043
【図１８】
0006914366.tif 000044
【図１９】
0006914366.tif 000045
【図２０】
0006914366.tif 000046
【図２１】
0006914366.tif 000047
【図２２】
0006914366.tif 000048
【図２３】
0006914366.tif 000049
【図２４】
0006914366.tif 000050